(57)【要約】  ユーザ装置（ＵＥ）が記載される。該ＵＥは、プロセッサ、および該プロセッサと電子通信するメモリにストアされた命令を含む。該ＵＥは、セルのための第１時分割デュプレキシング（ＴＤＤ）アップリンク／ダウンリンク（ＵＬ／ＤＬ）構成および該セルのための少なくとも第２ＴＤＤ  ＵＬ／ＤＬ構成を含むセカンダリ構成情報を受信する。該第１ＴＤＤ  ＵＬ／ＤＬ構成および該第２ＴＤＤ  ＵＬ／ＤＬ構成のサポートされる組み合わせが定められ、該第１ＴＤＤ  ＵＬ／ＤＬ構成および該第２ＴＤＤ  ＵＬ／ＤＬ構成の必ずしも全ての組み合わせがサポートされるのではない。
2016514910.tif 000002
【特許請求の範囲】
【請求項１】
プロセッサ；および
前記プロセッサと電子通信するメモリを含むユーザ装置（ＵＥ）であって、前記メモリにストアされている命令は：
セルのための第１時分割デュプレキシング（ＴＤＤ）アップリンク／ダウンリンク（ＵＬ／ＤＬ）構成および前記セルのための少なくとも第２ＴＤＤ  ＵＬ／ＤＬ構成を含むセカンダリ構成情報を受信するために実行可能であり、
前記第１ＴＤＤ  ＵＬ／ＤＬ構成および前記第２ＴＤＤ  ＵＬ／ＤＬ構成のサポートされる組み合わせが定められ、前記第１ＴＤＤ  ＵＬ／ＤＬ構成および前記第２ＴＤＤ  ＵＬ／ＤＬ構成の必ずしも全ての組み合わせがサポートされるのではない、
ＵＥ。
【請求項２】
前記第２ＴＤＤ  ＵＬ／ＤＬ構成に基づいてダウンリンク（ＤＬ）基準ＴＤＤ  ＵＬ／ＤＬ構成を決定し；および
前記ＤＬ基準ＴＤＤ  ＵＬ／ＤＬ構成に基づいて物理ダウンリンクシェアドチャネル（ＰＤＳＣＨ）オペレーションを実行する
ために実行可能な命令をさらに含む、請求項１に記載のＵＥ。
【請求項３】
前記第１ＴＤＤ  ＵＬ／ＤＬ構成に基づいてアップリンク（ＵＬ）基準ＴＤＤ  ＵＬ／ＤＬ構成を決定し；および
前記ＵＬ基準ＴＤＤ  ＵＬ／ＤＬ構成に基づいて物理アップリンクシェアドチャネル（ＰＵＳＣＨ）オペレーションを実行する
ために実行可能な命令をさらに含む、請求項１に記載のＵＥ。
【請求項４】
前記第１ＴＤＤ  ＵＬ／ＤＬ構成はシステム情報ブロック（ＳＩＢ）または無線リソース制御（ＲＲＣ）共通メッセージでシグナリングされる、請求項１に記載のＵＥ。
【請求項５】
前記第１ＴＤＤ  ＵＬ／ＤＬ構成および前記第２ＴＤＤ  ＵＬ／ＤＬ構成の組み合わせは、動的ＴＤＤ  ＵＬ／ＤＬ再構成のためのＴＤＤ  ＵＬ／ＤＬ構成のセットを定義する、請求項１に記載のＵＥ。
【請求項６】
プロセッサ；および
前記プロセッサと電子通信するメモリを含む発展型ノードＢ（ｅＮＢ）であって、前記メモリにストアされた命令は：
セルのための第１時分割デュプレキシング（ＴＤＤ）アップリンク／ダウンリンク（ＵＬ／ＤＬ）構成および少なくとも第２ＴＤＤ  ＵＬ／ＤＬ構成を含むセカンダリ構成情報を送信するために実行可能であり、
前記第１ＴＤＤ  ＵＬ／ＤＬ構成および前記第２ＴＤＤ  ＵＬ／ＤＬ構成のサポートされる組み合わせが定められ、前記第１ＴＤＤ  ＵＬ／ＤＬ構成および前記第２ＴＤＤ  ＵＬ／ＤＬ構成の必ずしも全ての組み合わせがサポートされるのではない、
ｅＮＢ。
【請求項７】
前記第２ＴＤＤ  ＵＬ／ＤＬ構成に基づいてダウンリンク（ＤＬ）基準ＴＤＤ  ＵＬ／ＤＬ構成を決定し；および
前記ＤＬ基準ＴＤＤ  ＵＬ／ＤＬ構成に基づいて物理ダウンリンクシェアドチャネル（ＰＤＳＣＨ）オペレーションを実行する
ために実行可能な命令をさらに含む、請求項６に記載のｅＮＢ。
【請求項８】
前記第１ＴＤＤ  ＵＬ／ＤＬ構成に基づいてアップリンク（ＵＬ）基準ＴＤＤ  ＵＬ／ＤＬ構成を決定し；および
前記ＵＬ基準ＴＤＤ  ＵＬ／ＤＬ構成に基づいて物理アップリンクシェアドチャネル（ＰＵＳＣＨ）オペレーションを実行する
ために実行可能な命令をさらに含む、請求項６に記載のｅＮＢ。
【請求項９】
前記第１ＴＤＤ  ＵＬ／ＤＬ構成はシステム情報ブロック（ＳＩＢ）または無線リソース制御（ＲＲＣ）共通メッセージでシグナリングされる、請求項６に記載のｅＮＢ。
【請求項１０】
前記第１ＴＤＤ  ＵＬ／ＤＬ構成および前記第２ＴＤＤ  ＵＬ／ＤＬ構成の組み合わせは、動的ＴＤＤ  ＵＬ／ＤＬ再構成のためのＴＤＤ  ＵＬ／ＤＬ構成のセットを定義する、請求項６に記載のｅＮＢ。
【請求項１１】
セルのための第１時分割デュプレキシング（ＴＤＤ）アップリンク／ダウンリンク（ＵＬ／ＤＬ）構成および前記セルのための少なくとも第２ＴＤＤ  ＵＬ／ＤＬ構成を含むセカンダリ構成情報を受信することを含む、ユーザ装置（ＵＥ）によって実行される方法であって、
前記第１ＴＤＤ  ＵＬ／ＤＬ構成および前記第２ＴＤＤ  ＵＬ／ＤＬ構成のサポートされる組み合わせが定められ、前記第１ＴＤＤ  ＵＬ／ＤＬ構成および前記第２ＴＤＤ  ＵＬ／ＤＬ構成の必ずしも全ての組み合わせがサポートされるのではない、
方法。
【請求項１２】
前記第２ＴＤＤ  ＵＬ／ＤＬ構成に基づいてダウンリンク（ＤＬ）基準ＴＤＤ  ＵＬ／ＤＬ構成を決定すること；および
前記ＤＬ基準ＴＤＤ  ＵＬ／ＤＬ構成に基づいて物理ダウンリンクシェアドチャネル（ＰＤＳＣＨ）オペレーションを実行すること、
をさらに含む、請求項１１に記載の方法。
【請求項１３】
前記第１ＴＤＤ  ＵＬ／ＤＬ構成に基づいてアップリンク（ＵＬ）基準ＴＤＤ  ＵＬ／ＤＬ構成を決定すること；および
前記ＵＬ基準ＴＤＤ  ＵＬ／ＤＬ構成に基づいて物理アップリンクシェアドチャネル（ＰＵＳＣＨ）オペレーションを実行すること、
をさらに含む、請求項１１に記載の方法。
【請求項１４】
前記第１ＴＤＤ  ＵＬ／ＤＬ構成はシステム情報ブロック（ＳＩＢ）または無線リソース制御（ＲＲＣ）共通メッセージでシグナリングされる、請求項１１に記載の方法。
【請求項１５】
前記第１ＴＤＤ  ＵＬ／ＤＬ構成および前記第２ＴＤＤ  ＵＬ／ＤＬ構成の組み合わせは、動的ＴＤＤ  ＵＬ／ＤＬ再構成のためのＴＤＤ  ＵＬ／ＤＬ構成のセットを定義する、請求項１１に記載の方法。
【請求項１６】
セルのための第１時分割デュプレキシング（ＴＤＤ）アップリンク／ダウンリンク（ＵＬ／ＤＬ）構成および前記セルのための少なくとも第２ＴＤＤ  ＵＬ／ＤＬ構成を含むセカンダリ構成情報を送信することを含む、発展形ノードＢ（ｅＮＢ）により実行される方法であって、
前記第１ＴＤＤ  ＵＬ／ＤＬ構成および前記第２ＴＤＤ  ＵＬ／ＤＬ構成のサポートされる組み合わせが定められ、前記第１ＴＤＤ  ＵＬ／ＤＬ構成および前記第２ＴＤＤ  ＵＬ／ＤＬ構成の必ずしも全ての組み合わせがサポートされるのではない、
方法。
【請求項１７】
前記第２ＴＤＤ  ＵＬ／ＤＬ構成に基づいてダウンリンク（ＤＬ）基準ＴＤＤ  ＵＬ／ＤＬ構成を決定すること；および
前記ＤＬ基準ＴＤＤ  ＵＬ／ＤＬ構成に基づいて物理ダウンリンクシェアドチャネル（ＰＤＳＣＨ）オペレーションを実行すること；
をさらに含む、請求項１６に記載の方法。
【請求項１８】
前記第１ＴＤＤ  ＵＬ／ＤＬ構成に基づいてアップリンク（ＵＬ）基準ＴＤＤ  ＵＬ／ＤＬ構成を決定すること；および
前記ＵＬ基準ＴＤＤ  ＵＬ／ＤＬ構成に基づいて物理アップリンクシェアドチャネル（ＰＵＳＣＨ）オペレーションを実行すること；
をさらに含む、請求項１６に記載の方法。
【請求項１９】
前記第１ＴＤＤ  ＵＬ／ＤＬ構成はシステム情報ブロック（ＳＩＢ）または無線リソース制御（ＲＲＣ）共通メッセージでシグナリングされる、請求項１６に記載の方法。
【請求項２０】
前記第１ＴＤＤ  ＵＬ／ＤＬ構成および前記第２ＴＤＤ  ＵＬ／ＤＬ構成の組み合わせは、動的ＴＤＤ  ＵＬ／ＤＬ再構成のためのＴＤＤ  ＵＬ／ＤＬ構成のセットを定義する、請求項１６に記載の方法。
【発明の詳細な説明】
【技術分野】
【０００１】
本開示は、一般的に通信システムに関する。より具体的には、本開示は構成シグナリングのためのシステムおよび方法に関する。
【背景技術】
【０００２】
無線通信デバイスは、消費者のニーズに応じるとともに可搬性および利便性を改善するためにより小型にかつより強力になってきている。消費者は、無線通信デバイスに頼るようになっているとともに、信頼できるサービス、サービスエリア拡大および機能性向上を期待するようになっている。無線通信システムは、それぞれ基地局によりサービスされ得る多数の無線通信デバイスのために通信を提供することができる。基地局は、無線通信デバイスと通信するデバイスであり得る。
【０００３】
無線通信デバイスが進歩するとき、通信容量、スピード、柔軟性および／または効率の改善が求められてきた。しかし、通信容量、スピード、柔軟性および／または効率の改善はある種の問題を提起することがある。
【０００４】
例えば、無線通信デバイスは通信構造を使用して１つ以上のデバイスと通信することができる。しかし、その使用される通信構造は、限られた柔軟性および／または効率を提供し得るにすぎないことがある。このディスカッションにより説明されるように、通信の柔軟性および／または効率を改善するシステムおよび方法は有益であろう。
【発明の概要】
【課題を解決するための手段】
【０００５】
本発明の一実施態様は：プロセッサ；および該プロセッサと電子通信するメモリを含むユーザ装置（ｕｓｅｒ  ｅｑｕｉｐｍｅｎｔ（ＵＥ））を開示し、該メモリにストアされた命令は：セルのための第１時分割デュプレキシング（ｔｉｍｅ−ｄｉｖｉｓｉｏｎ  ｄｕｐｌｅｘｉｎｇ（ＴＤＤ））アップリンク／ダウンリンク（ｕｐｌｉｎｋ／ｄｏｗｎｌｉｎｋ（ＵＬ／ＤＬ））構成および該セルのための少なくとも第２ＴＤＤ  ＵＬ／ＤＬ構成を含むセカンダリ構成情報を受信するために実行可能であり、該第１ＴＤＤ  ＵＬ／ＤＬ構成および該第２ＴＤＤ  ＵＬ／ＤＬ構成のサポートされる組み合わせが定められ、該第１ＴＤＤ  ＵＬ／ＤＬ構成および該第２ＴＤＤ  ＵＬ／ＤＬ構成の必ずしも全ての組み合わせがサポートされるのではない。
【０００６】
本発明の他の１つの実施態様は：プロセッサ；および該プロセッサと電子通信するメモリを含む発展形ノードＢ（ｅｖｏｌｖｅｄ  Ｎｏｄｅ  Ｂ（ｅＮＢ））を開示し、該メモリにストアされた命令は：セルのための第１時分割デュプレキシング（ＴＤＤ）アップリンク／ダウンリンク（ＵＬ／ＤＬ）構成および少なくとも第２ＴＤＤ  ＵＬ／ＤＬ構成を含むセカンダリ構成情報を送信するために実行可能であり、該第１ＴＤＤ  ＵＬ／ＤＬ構成および該第２ＴＤＤ  ＵＬ／ＤＬ構成のサポートされる組み合わせが定められ、該第１ＴＤＤ  ＵＬ／ＤＬ構成および該第２ＴＤＤ  ＵＬ／ＤＬ構成の必ずしも全ての組み合わせがサポートされるのではない。
【０００７】
本発明の他の１つの実施態様は：セルのための第１時分割デュプレキシング（ＴＤＤ）アップリンク／ダウンリンク（ＵＬ／ＤＬ）構成および該セルのための少なくとも第２ＴＤＤ  ＵＬ／ＤＬ構成を含むセカンダリ構成情報を受信することを含む、ユーザ装置（ＵＥ）により実行される方法を開示し、該第１ＴＤＤ  ＵＬ／ＤＬ構成および該第２ＴＤＤ  ＵＬ／ＤＬ構成のサポートされる組み合わせが定められ、該第１ＴＤＤ  ＵＬ／ＤＬ構成および該第２ＴＤＤ  ＵＬ／ＤＬ構成の必ずしも全ての組み合わせがサポートされるのではない。
【０００８】
本発明の他の１つの実施態様は、セルのための第１時分割デュプレキシング（ＴＤＤ）アップリンク／ダウンリンク（ＵＬ／ＤＬ）構成および該セルのための少なくとも第２ＴＤＤ  ＵＬ／ＤＬ構成を含むセカンダリ構成情報を送信することを含む、発展形ノードＢ（ｅＮＢ）により実行される方法を開示し、該第１ＴＤＤ  ＵＬ／ＤＬ構成および該第２ＴＤＤ  ＵＬ／ＤＬ構成のサポートされる組み合わせが定められ、該第１ＴＤＤ  ＵＬ／ＤＬ構成および該第２ＴＤＤ  ＵＬ／ＤＬ構成の必ずしも全ての組み合わせがサポートされるのではない。
【図面の簡単な説明】
【０００９】
【図１】構成シグナリングのためのシステムおよび方法が実行され得る１つ以上の発展形ノードＢ（ｅＮＢ）および１つ以上のユーザ装置（Ｕｓｅｒ  Ｅｑｕｉｐｍｅｎｔ（ＵＥ））の１つの構成を示すブロック図である。
【図２】ＵＥによる構成シグナリングのための方法２００の１つのインプリメンテーションを示す流れ図である。
【図３】ｅＮＢによる構成シグナリングのための方法３００の１つのインプリメンテーションを示す流れ図である。
【図４】本書で開示されたシステムおよび方法に従って使用され得る無線フレーム４３５の一例を示す図である。
【図５】本書で開示されたシステムおよび方法に従う幾つかの時分割デュプレキシング（ＴＤＤ）アップリンク／ダウンリンク（ＵＬ／ＤＬ）構成を示す図である。
【図６】ＤＬ基準ＴＤＤ  ＵＬ／ＤＬ構成６６３およびＵＬ基準ＴＤＤ  ＵＬ／ＤＬ構成の決定の例を示す図である。
【図７】ＵＥによる構成シグナリングのための方法７００のより詳しいインプリメンテーションを示す流れ図である。
【図８】ｅＮＢによる構成シグナリングのための方法８００のより詳しいインプリメンテーションを示す流れ図である。
【図９】ＵＥにおいて利用され得る種々のコンポーネントを示す。
【図１０】ｅＮＢにおいて利用され得る種々のコンポーネントを示す。
【図１１】フィードバックレポートのためのシステムおよび方法が実行され得るＵＥの１つの構成を示すブロック図である。
【図１２】フィードバックレポートのためのシステムおよび方法が実行され得るｅＮＢの１つの構成を示すブロック図である。
【発明を実施するための形態】
【００１０】
時分割デュプレキシング（ＴＤＤ）アップリンク／ダウンリンク（ＵＬ／ＤＬ）構成を受信するためのユーザ装置（ＵＥ）が説明される。該ＵＥは、プロセッサおよび該プロセッサと電子通信するメモリにストアされた実行可能な命令を含む。該ＵＥは、セルのための第１ＴＤＤ  ＵＬ／ＤＬ構成および該セルのための少なくとも第２ＴＤＤ  ＵＬ／ＤＬ構成を含むセカンダリ構成情報を受信する。
【００１１】
ＵＥは、該第１ＴＤＤ  ＵＬ／ＤＬ構成および該第２ＴＤＤ  ＵＬ／ＤＬ構成に基づいてダウンリンク（ＤＬ）基準ＴＤＤ  ＵＬ／ＤＬ構成を決定することができる。ＵＥは、該ＤＬ基準ＴＤＤ  ＵＬ／ＤＬ構成に基づいて物理ダウンリンクシェアドチャネル（Ｐｈｙｓｉｃａｌ  Ｄｏｗｎｌｉｎｋ  Ｓｈａｒｅｄ  Ｃｈａｎｎｅｌ（ＰＤＳＣＨ））オペレーションも実行することができる。
【００１２】
ＵＥは、該第１ＴＤＤ  ＵＬ／ＤＬ構成および該第２ＴＤＤ  ＵＬ／ＤＬ構成に基づいてアップリンク（ＵＬ）基準ＴＤＤ  ＵＬ／ＤＬ構成を決定することができる。ＵＥは、該ＵＬ基準ＴＤＤ  ＵＬ／ＤＬ構成に基づいて物理アップリンクシェアドチャネル（Ｐｈｙｓｉｃａｌ  Ｕｐｌｉｎｋ  Ｓｈａｒｅｄ  Ｃｈａｎｎｅｌ（ＰＵＳＣＨ））オペレーションも実行することができる。
【００１３】
該セカンダリ構成情報は、第３ＴＤＤ  ＵＬ／ＤＬ構成を含むこともできる。ＵＥは、該第２ＴＤＤ  ＵＬ／ＤＬ構成および該第３ＴＤＤ  ＵＬ／ＤＬ構成に基づいてＤＬ基準ＴＤＤ  ＵＬ／ＤＬ構成を決定することができる。ＵＥは、該ＤＬ基準ＴＤＤ  ＵＬ／ＤＬ構成に基づいてＰＤＳＣＨオペレーションを実行することもできる。
【００１４】
該セカンダリ構成情報が第３ＴＤＤ  ＵＬ／ＤＬ構成を含むときには、ＵＥは該第２ＴＤＤ  ＵＬ／ＤＬ構成および該第３ＴＤＤ  ＵＬ／ＤＬ構成に基づいてＵＬ基準ＴＤＤ  ＵＬ／ＤＬ構成を決定することができる。ＵＥは、該ＵＬ基準ＴＤＤ  ＵＬ／ＤＬ構成に基づいてＰＵＳＣＨオペレーションを実行することもできる。
【００１５】
該セカンダリ構成情報が第３ＴＤＤ  ＵＬ／ＤＬ構成を含むときには、ＵＥは該第１ＴＤＤ  ＵＬ／ＤＬ構成、該第２ＴＤＤ  ＵＬ／ＤＬ構成および該第３ＴＤＤ  ＵＬ／ＤＬ構成に基づいてＤＬ基準ＴＤＤ  ＵＬ／ＤＬ構成を決定することができる。ＵＥは、該ＤＬ基準ＴＤＤ  ＵＬ／ＤＬ構成に基づいてＰＤＳＣＨオペレーションを実行することもできる。
【００１６】
該セカンダリ構成情報が第３ＴＤＤ  ＵＬ／ＤＬ構成を含むときには、ＵＥは該第１ＴＤＤ  ＵＬ／ＤＬ構成、該第２ＴＤＤ  ＵＬ／ＤＬ構成および該第３ＴＤＤ  ＵＬ／ＤＬ構成に基づいてＵＬ基準ＴＤＤ  ＵＬ／ＤＬ構成を決定することができる。ＵＥは、該ＵＬ基準ＴＤＤ  ＵＬ／ＤＬ構成に基づいてＰＵＳＣＨオペレーションを実行することもできる。
【００１７】
該第１ＴＤＤ  ＵＬ／ＤＬ構成は、システム情報ブロック（ｓｙｓｔｅｍ  ｉｎｆｏｒｍａｔｉｏｎ  ｂｌｏｃｋ（ＳＩＢ））または無線リソース制御（ｒａｄｉｏ  ｒｅｓｏｕｒｃｅ  ｃｏｎｔｒｏｌ（ＲＲＣ））共通メッセージでシグナリングされ得る。該セカンダリ構成情報は、少なくとも１つのＳＩＢまたは少なくとも１つのＲＲＣ共通メッセージでシグナリングされ得る。該ＳＩＢまたはＲＲＣ共通メッセージはセカンダリＴＤＤ構成情報エレメントを含むことができる。該セカンダリＴＤＤ構成情報エレメントは１つ以上のＴＤＤ  ＵＬ／ＤＬ構成を含むことができる。該セカンダリＴＤＤ構成情報エレメントは、複数のＴＤＤ  ＵＬ／ＤＬ構成の組み合わせのインデックスを含むこともできる。
【００１８】
ＴＤＤ  ＵＬ／ＤＬ構成を送信するための発展形ノードＢ（ｅＮＢ）も説明される。ｅＮＢはプロセッサ、および該プロセッサと電子通信するメモリにストアされた実行可能な命令を含む。ｅＮＢは、セルのための第１ＴＤＤ  ＵＬ／ＤＬ構成、および少なくとも第２ＴＤＤ  ＵＬ／ＤＬ構成を含むセカンダリ構成情報を送信する。
【００１９】
ｅＮＢは、該第１ＴＤＤ  ＵＬ／ＤＬ構成および該第２ＴＤＤ  ＵＬ／ＤＬ構成に基づいてＤＬ基準ＴＤＤ  ＵＬ／ＤＬ構成を決定することができる。ｅＮＢは、該ＤＬ基準ＴＤＤ  ＵＬ／ＤＬ構成に基づいてＰＤＳＣＨオペレーションを実行することもできる。
【００２０】
ｅＮＢは、該第１ＴＤＤ  ＵＬ／ＤＬ構成および該第２ＴＤＤ  ＵＬ／ＤＬ構成に基づいてＵＬ基準ＴＤＤ  ＵＬ／ＤＬ構成を決定することができる。ｅＮＢは、該ＵＬ基準ＴＤＤ  ＵＬ／ＤＬ構成に基づいてＰＵＳＣＨオペレーションを実行することもできる。
【００２１】
該セカンダリ構成情報は第３ＴＤＤ  ＵＬ／ＤＬ構成を含むこともできる。ｅＮＢは、該第２ＴＤＤ  ＵＬ／ＤＬ構成および該第３ＴＤＤ  ＵＬ／ＤＬ構成に基づいてＤＬ基準ＴＤＤ  ＵＬ／ＤＬ構成を決定することができる。ｅＮＢは、該ＤＬ基準ＴＤＤ  ＵＬ／ＤＬ構成に基づいてＰＤＳＣＨオペレーションを実行することもできる。
【００２２】
該セカンダリ構成情報が第３ＴＤＤ  ＵＬ／ＤＬ構成を含むときには、ｅＮＢは該第２ＴＤＤ  ＵＬ／ＤＬ構成および該第３ＴＤＤ  ＵＬ／ＤＬ構成に基づいてＵＬ基準ＴＤＤ  ＵＬ／ＤＬ構成を決定することができる。ｅＮＢは、該ＵＬ基準ＴＤＤ  ＵＬ／ＤＬ構成に基づいてＰＵＳＣＨオペレーションを実行することもできる。
【００２３】
該セカンダリ構成情報が第３ＴＤＤ  ＵＬ／ＤＬ構成を含むときには、ｅＮＢは該第１ＴＤＤ  ＵＬ／ＤＬ構成、該第２ＴＤＤ  ＵＬ／ＤＬ構成および該第３ＴＤＤ  ＵＬ／ＤＬ構成に基づいてＤＬ基準ＴＤＤ  ＵＬ／ＤＬ構成を決定することができる。ｅＮＢは、該ＤＬ基準ＴＤＤ  ＵＬ／ＤＬ構成に基づいてＰＤＳＣＨオペレーションを実行することもできる。
【００２４】
該セカンダリ構成情報が第３ＴＤＤ  ＵＬ／ＤＬ構成を含むときには、ｅＮＢは該第１ＴＤＤ  ＵＬ／ＤＬ構成、該第２ＴＤＤ  ＵＬ／ＤＬ構成および該第３ＴＤＤ  ＵＬ／ＤＬ構成に基づいてＵＬ基準ＴＤＤ  ＵＬ／ＤＬ構成を決定することができる。ｅＮＢは、該ＵＬ基準ＴＤＤ  ＵＬ／ＤＬ構成に基づいてＰＵＳＣＨオペレーションを実行することもできる。
【００２５】
該第１ＴＤＤ  ＵＬ／ＤＬ構成は、ＳＩＢまたはＲＲＣ共通メッセージでシグナリングされ得る。該セカンダリ構成情報は、少なくとも１つのＳＩＢまたは少なくとも１つのＲＲＣ共通メッセージでシグナリングされ得る。該ＳＩＢまたはＲＲＣ共通メッセージは、セカンダリＴＤＤ構成情報エレメントを含むことができる。該セカンダリＴＤＤ構成情報エレメントは１つ以上のＴＤＤ  ＵＬ／ＤＬ構成を含むことができる。該セカンダリＴＤＤ構成情報エレメントは、複数のＴＤＤ  ＵＬ／ＤＬ構成の組み合わせのインデックスを含むこともできる。
【００２６】
ＵＥによりＴＤＤ  ＵＬ／ＤＬ構成を受信する方法も説明される。該方法は、セルのための第１ＴＤＤ  ＵＬ／ＤＬ構成、および、該セルのための少なくとも第２ＴＤＤ  ＵＬ／ＤＬ構成を含むセカンダリ構成情報を受信することを含む。
【００２７】
ｅＮＢによりＴＤＤ  ＵＬ／ＤＬ構成を送信する方法も説明される。該方法は、セルのための第１ＴＤＤ  ＵＬ／ＤＬ構成、および、該セルのための少なくとも第２ＴＤＤ  ＵＬ／ＤＬ構成を含むセカンダリ構成情報を送信することを含む。
【００２８】
“３ＧＰＰ”とも称される第３世代パートナーシッププロジェクトは、第３および第４世代無線通信システムのための世界的に適用可能な技術仕様および技術的レポートを定めることを狙った協力協定である。３ＧＰＰは、次世代モバイルネットワーク、システム、およびデバイスのための仕様を定めることができる。
【００２９】
３ＧＰＰロングタームエボリューション（Ｌｏｎｇ  Ｔｅｒｍ  Ｅｖｏｌｕｔｉｏｎ（ＬＴＥ））は、将来の必要に対処するためにユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ））携帯電話またはデバイス規格を改良するプロジェクトに与えられた名称である。一側面において、ＵＭＴＳは進化型ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ））および進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ））のためのサポートおよび仕様を提供するために修正されている。
【００３０】
本書で開示されるシステムおよび方法の少なくとも幾つかの側面は、３ＧＰＰ  ＬＴＥ、ＬＴＥアドバンスト（ＬＴＥ−Ａｄｖａｎｃｅｄ（ＬＴＥ−Ａ））および他の規格（例えば、３ＧＰＰ  Ｒｅｌｅａｓｅ８、９、１０および／または１１）と関連して記述され得る。しかし、本開示の範囲は、この点については限定されるべきではない。本書で開示されるシステムおよび方法の少なくとも幾つかの側面は、他のタイプの無線通信システムにおいて利用され得る。
【００３１】
無線通信デバイスは音声および／またはデータを基地局へ伝えるために使われる電子デバイスであってもよく、基地局はデバイスのネットワーク（例えば、公衆交換電話網（ＰＳＴＮ）、インターネット、など）と通信することができる。本書においてシステムおよび方法を記述するとき、無線通信デバイスは、代わりに移動局、ＵＥ、アクセス端末、加入者ステーション、移動端末、リモートステーション、ユーザ端末、端末、加入者ユニット、移動デバイス、などとも称されることがある。無線通信デバイスの例は、セルラフォン、スマートフォン、パーソナルデジタルアシスタント（ＰＤＡ）、ラップトップコンピュータ、ネットブック、電子ブックリーダー、無線モデム、などを含む。３ＧＰＰ仕様においては、無線通信デバイスは通例ＵＥと称される。しかし、本開示の範囲は３ＧＰＰ規格に限定されるべきではないので、より一般的な“無線通信デバイス”（ｗｉｒｅｌｅｓｓ  ｃｏｍｍｕｎｉｃａｔｉｏｎ  ｄｅｖｉｃｅ）という用語を意味するために本書では“ＵＥ”および“無線通信デバイス”という用語が交換可能に使われ得る。
【００３２】
３ＧＰＰ仕様では、基地局は通例ノードＢ、発展形ノードＢ（ｅＮＢ）、ホームエンハンスドもしくは発展形ノードＢ（ｈｏｍｅ  ｅｎｈａｎｃｅｄ  ｏｒ  ｅｖｏｌｖｅｄ  Ｎｏｄｅ  Ｂ（ＨｅＮＢ））または他のなんらかの類似の専門用語で呼ばれる。本開示の範囲は３ＧＰＰ規格に限定されるべきではないので、本書では“基地局”、“ノードＢ”、“ｅＮＢ”、および“ＨｅＮＢ”という用語はより一般的な用語“基地局”（ｂａｓｅ  ｓｔａｔｉｏｎ）を意味するように交換可能に使われ得る。さらに、“基地局”という用語はアクセスポイントを示すために使われ得る。アクセスポイントは、無線通信デバイスのためにネットワーク（例えば、ローカルエリアネットワーク（ＬＡＮ）、インターネット、など）へのアクセスを提供する電子デバイスであり得る。“通信デバイス”（ｃｏｍｍｕｎｉｃａｔｉｏｎ  ｄｅｖｉｃｅ）という用語は、無線通信デバイス（例えば、ＵＥ）および／または基地局（例えば、ｅＮＢ）の両方を示すために使われ得る。
【００３３】
本書で使われる“セル”（ｃｅｌｌ）は、ＵＥとｅＮＢの間の通信のためのプロトコルがＩＭＴ−Ａｄｖａｎｃｅｄ（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）もしくはその拡張のために使用されるべく標準化により指定されあるいは規制機関により決定され得るとともに、その全体もしくはそのサブセットがｅＮＢとＵＥの間の通信のために使用されるべく３ＧＰＰによってライセンスバンド(例えば、周波数帯域)として採用され得る、通信チャネルの任意のセットを指すことができる、ということに留意するべきである。“構成セル”は、ＵＥが気付いていて情報を送信もしくは受信することをｅＮＢにより許可されているセルである。“1つまたは複数の構成セル”は、サービスをする1つまたは複数のセルであり得る。ＵＥは、システム情報を受信して、全ての構成セルに対して所要の測定を実行することができる。“アクティブ化セル”は、ＵＥが送信および受信を行っている構成セルである。すなわち、アクティブ化セルは、それについてＵＥが物理ダウンリンク制御チャネル(ｐｈｙｓｉｃａｌ  ｄｏｗｎｌｉｎｋ  ｃｏｎｔｒｏｌ  ｃｈａｎｎｅｌ（ＰＤＣＣＨ)）を監視するところのセルであり、ダウンリンク送信の場合にはＵＥがそれについて物理ダウンリンクシェアドチャネル（ＰＤＳＣＨ）をデコードするところのセルである。“非アクティブ化セル”は、ＵＥが送信ＰＤＣＣＨを監視していない構成セルである。“セル”は様々な次元に関して記述され得るということに留意するべきである。例えば、“セル”は時間的、空間的(例えば、地理的)および周波数特性を持つことができる。
【００３４】
本書で開示されるシステムおよび方法は、動的ＴＤＤ  ＵＬ／ＤＬ再構成と関連付けられた構成シグナリングを記述する。特に、本書で開示されるシステムおよび方法は、動的ＴＤＤ  ＵＬ／ＤＬ再構成セルのためのＴＤＤ  ＵＬ／ＤＬ構成シグナリングおよび基準ＴＤＤ  ＵＬ／ＤＬ構成を記述する。動的ＴＤＤ  ＵＬ／ＤＬ再構成は、トラフィックアダプテーションによる強化された干渉軽減（ｅｎｈａｎｃｅｄ  ｉｎｔｅｒｆｅｒｅｎｃｅ  ｍｉｔｉｇａｔｉｏｎ  ｗｉｔｈ  ｔｒａｆｆｉｃ  ａｄａｐｔａｔｉｏｎ（ｅＩＭＴＡ））とも称され得るということに留意するべきである。従って、動的ＴＤＤ  ＵＬ／ＤＬ再構成をサポートするセル（例えば、動的ＴＤＤ  ＵＬ／ＤＬ再構成セル）はｅＩＭＴＡセルと称されてもよい。
【００３５】
トラフィックアダプテーションによる強化された干渉軽減（ｅＩＭＴＡ）は、ＬＴＥ  ＴＤＤネットワークにとってはトラフィック負荷に基づいて動的ＴＤＤ  ＵＬ／ＤＬ割り当てを用いてスペクトルのより柔軟な使用を可能にするための主要な話題である。従って、後述されるように或るサブフレームはフレキシブルで変換可能であり、ダウンリンクまたはアップリンクとして使用され得る。ＴＤＤ  ＵＬ／ＤＬ構成はＴＤＤ  ＵＬ／ＤＬ再構成とも称され得る。
【００３６】
システム情報変更、無線リソース制御（ＲＲＣ）シグナリング、媒体アクセス制御（ＭＡＣ）シグナリングおよび物理（ＰＨＹ）レイヤシグナリングを含む幾つかのシグナリング方法がＬＴＥ  Ｒｅｌｅａｓｅ−１１研究において考慮されている。再構成が速ければ速いほど、動的ＴＤＤ  ＵＬ／ＤＬ再構成からの利益はより大きいと結論された。再構成タイムスケールおよびシグナリング方法は２つのカテゴリーに分割することができる。第１のインプリメンテーションでは、新しいＴＤＤ  ＵＬ／ＤＬ構成がシグナリングされ、その後に旧ＴＤＤ  ＵＬ／ＤＬ構成から該新ＴＤＤ  ＵＬ／ＤＬ構成への遷移が行われる。このインプリメンテーションでは、該遷移動作は明示されなければならない。該遷移期間中、アソシエーションタイミングは旧ＴＤＤ  ＵＬ／ＤＬ構成から新ＴＤＤ  ＵＬ／ＤＬ構成へ変更されなければならない。第２インプリメンテーションでは、複数の基準ＴＤＤ  ＵＬ／ＤＬ構成がシグナリング可能であり、１つ以上の基準ＴＤＤ  ＵＬ／ＤＬ構成を決定することができ、該基準ＴＤＤ  ＵＬ／ＤＬ構成に従って種々のＴＤＤ  ＵＬ／ＤＬサブフレーム割り当てを達成することができる。本書で開示されるシステムおよび方法では、該第２インプリメンテーション（例えば、複数の基準ＴＤＤ  ＵＬ／ＤＬ構成をシグナリングする）が考慮される。
【００３７】
動的ＴＤＤ  ＵＬ／ＤＬ再構成セルは、デフォルトＴＤＤ  ＵＬ／ＤＬ構成および許容されるＴＤＤ  ＵＬ／ＤＬ再構成範囲で構成され得る。該ＴＤＤ  ＵＬ／ＤＬ再構成範囲はＴＤＤ  ＵＬ／ＤＬ構成のセット、または２つの構成済みＴＤＤ  ＵＬ／ＤＬ構成間の他の状態であり得る。従って、動的ＴＤＤ  ＵＬ／ＤＬ再構成セルは、複数のＴＤＤ  ＵＬ／ＤＬ構成で構成され得る。
【００３８】
第１ＴＤＤ  ＵＬ／ＤＬ構成はデフォルトＴＤＤ  ＵＬ／ＤＬ構成であってよい。該第１ＴＤＤ  ＵＬ／ＤＬ構成はプライマリＴＤＤ  ＵＬ／ＤＬ構成と称されてもよい。１つのインプリメンテーションでは、該第１ＴＤＤ  ＵＬ／ＤＬ構成の他に第２のＴＤＤ  ＵＬ／ＤＬ構成が構成され得る。他の１つのインプリメンテーションでは、該第１ＴＤＤ  ＵＬ／ＤＬ構成の他に第２ＴＤＤ  ＵＬ／ＤＬ構成および第３ＴＤＤ  ＵＬ／ＤＬ構成が構成され得る。該第２ＴＤＤ  ＵＬ／ＤＬ構成および該第３ＴＤＤ  ＵＬ／ＤＬ構成はセカンダリＴＤＤ  ＵＬ／ＤＬ構成として定義され得る。従って、動的ＴＤＤ  ＵＬ／ＤＬ再構成セルは、第１ＴＤＤ  ＵＬ／ＤＬ構成および少なくとも１つのセカンダリＴＤＤ  ＵＬ／ＤＬ構成で構成され得る。
【００３９】
動的ＴＤＤ  ＵＬ／ＤＬ再構成セルは、プライマリサービングセル（ｐｒｉｍａｒｙ  ｓｅｒｖｉｎｇ  ｃｅｌｌ（ＰＣｅｌｌ））またはセカンダリサービングセル（ｓｅｃｏｎｄａｒｙ  ｓｅｒｖｉｎｇ  ｃｅｌｌ（ＳＣｅｌｌ））として使用され得る。１つのインプリメンテーションでは、第１（例えば、プライマリ）ＴＤＤ  ＵＬ／ＤＬ構成はＰＣｅｌｌのためにＲｅｌｅａｓｅ−８、９、１０および１１の場合のようにｔｄｄ−ｃｏｎｆｉｇ情報エレメント（ｉｎｆｏｒｍａｔｉｏｎ  ｅｌｅｍｅｎｔ（ＩＥ））によりシグナリングされ得る。しかし、動的ＴＤＤ  ＵＬ／ＤＬ再構成セルのセカンダリＴＤＤ  ＵＬ／ＤＬ構成をシグナリングするために幾つかの方法が使用され得る。本書で記述されるシステムおよび方法は、セカンダリＴＤＤ  ＵＬ／ＤＬ構成をシグナリングするための詳しいＩＥ構造を提供する。セカンダリＴＤＤ  ＵＬ／ＤＬ構成は、特定セル用ＴＤＤ  ＵＬ／ＤＬ構成または特定ＵＥ用ＴＤＤ  ＵＬ／ＤＬ構成を提供するために種々の信号で送信され得る。
【００４０】
動的ＴＤＤ  ＵＬ／ＤＬ再構成セルの構成済み第１およびセカンダリＴＤＤ  ＵＬ／ＤＬ構成の組み合わせは、固定サブフレームおよびフレキシブルサブフレームを定義することができる。例えば、複数の構成済みＴＤＤ  ＵＬ／ＤＬ構成は、ダウンリンク（ＤＬ）基準ＴＤＤ  ＵＬ／ＤＬ構成およびアップリンク（ＵＬ）基準ＴＤＤ  ＵＬ／ＤＬ構成を決定するために使用できる。該ＤＬ基準ＴＤＤ  ＵＬ／ＤＬ構成はＰＤＳＣＨハイブリッド自動反復要求肯定応答（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ（ＨＡＲＱ−ＡＣＫ））レポートタイミングのために使用でき、ＵＬ基準ＴＤＤ  ＵＬ／ＤＬ構成は物理アップリンクシェアドチャネル（ＰＵＳＣＨ）スケジューリングおよびＰＵＳＣＨ  ＨＡＲＱ−ＡＣＫタイミングのために使用できる。
【００４１】
記述されるシステムおよび方法は、ＲＲＣおよびＰＨＹシグナリングの組み合わせを使用することができ、他の方法によるＴＤＤ  ＵＬ／ＤＬ構成の遷移の必要性を無くすことができる。或るインプリメンテーションにおいて、記述されるシステムおよび方法は、動的ＴＤＤ  ＵＬ／ＤＬ再構成セルのために１つ以上のＴＤＤ  ＵＬ／ＤＬ構成を構成するために詳しいシグナリング方法および情報エレメント（ＩＥ）構造を提供する。動的ＴＤＤ  ＵＬ／ＤＬ再構成セルのための基準ＴＤＤ  ＵＬ／ＤＬ構成を得るシステムおよび方法も記述される。さらに、記述されるシステムおよび方法はレガシーＵＥ（例えば、Ｒｅｌｅａｓｅ−１１およびそれより前のＵＥ）に下位互換性を提供し、動的ＴＤＤ  ＵＬ／ＤＬ再構成のために許容されるＴＤＤ  ＵＬ／ＤＬ再構成範囲およびサブフレームを定義する。さらに、記述されるシステムおよび方法は、標準的ＴＤＤ  ＵＬ／ＤＬ構成タイミングを再使用することによって動的サブフレーム割り当てのためのＰＨＹレイヤのシグナリング速度を改善する。
【００４２】
動的ＴＤＤ  ＵＬ／ＤＬ再構成セルは、該セルに対するトラフィック負荷を適応させるように動的ＴＤＤ  ＵＬ／ＤＬ再構成をサポートするＴＤＤセルである。ＬＴＥ時分割デュプレキシング（ＬＴＥ  ＴＤＤ）では、アップリンクおよびダウンリンクの信号の両方のために同じ周波数帯域が使用され得る。ＬＴＥ  ＴＤＤにおいて異なるＤＬおよびＵＬ割り当て（例えば、トラフィック比）を達成するために、７個のＵＬ／ＤＬ構成が３ＧＰＰ仕様で与えられている（例えば、３ＧＰＰ  ＴＳ３６．２１１）。これらの割り当ては、４０％ないし９０％のサブフレームをＤＬ信号に割り当てることができる。
【００４３】
現行の仕様によれば（例えば、ＬＴＥ  Ｒｅｌｅａｓｅ−８、９、１０および１１）、ＴＤＤ  ＵＬ／ＤＬ構成を変更するためにシステム情報変更手続きが使用される。この手続きは、長い遅延を伴うとともに、コールドシステムリスタートを必要とする（例えば、旧ＴＤＤ  ＵＬ／ＤＬ構成のＴＤＤ  ＵＬ／ＤＬアソシエーションを切り離して新しいアソシエーションをセットアップするためにシステム内の全てのＵＥが一定期間にわたって送信および受信できない）。サブフレームアソシエーションは“ＵＬ／ＤＬアソシエーション”と称されてもよく、ＵＬからＤＬへのサブフレームアソシエーションとＤＬからＵＬへのサブフレームアソシエーションとを含み得るということに留意するべきである。アソシエーションの例は、ＤＬサブフレーム（ＰＤＣＣＨ）のＵＬサブフレーム内のＵＬパワー制御へのアソシエーション、ＤＬサブフレーム物理ＤＬ制御チャネル（ＰＤＣＣＨ）の、ＵＬサブフレーム内の物理ＵＬシェアドチャネル（ＰＵＳＣＨ）割り当てへのアソシエーション、１つまたは複数のＵＬサブフレーム上の肯定応答および否定応答（ＡＣＫ／ＮＡＣＫ）フィードバックの、１つまたは複数のＤＬサブフレーム内の物理ダウンリンクシェアドチャネル（ＰＤＳＣＨ）送信へのアソシエーション、物理ハイブリッド自動反復要求（ＨＡＲＱ）インジケータチャネル（ＰＨＩＣＨ）または物理ダウンリンク制御チャネル（ＰＤＣＣＨ）上の肯定応答および否定応答（ＡＣＫ／ＮＡＣＫ）フィードバックの、１つまたは複数のＵＬサブフレーム内の１つまたは複数の物理ＵＬシェアドチャネル（ＰＵＳＣＨ）送信へのアソシエーション、などを含む。
【００４４】
公知のＰＨＹレイヤのシグナリングは、動的なＤＬからＵＬへの変換を可能にするように拡張され得る。例えば、特別サブフレームタイプ２が使用され得るが、該特別サブフレームタイプ２はＤＬからＵＬへの遷移のために使用される現行の標準的特別サブフレームの拡張と見なされ得る。この特別サブフレームタイプ２は、現存するＴＤＤ  ＵＬ／ＤＬアソシエーションを維持しながらＵＬ送信を提供するために使用され得る。ＰＨＹレイヤのシグナリングは、ＵＬ基準ＴＤＤ  ＵＬ／ＤＬ構成のアソシエーションタイミングに従ってＰＵＳＣＨスケジューリングのためにＤＣＩ０／４フォーマットを使用すること、および、ＰＤＳＣＨスケジューリングのためにＤＣＩフォーマット１／２および拡張を使用すること、などを含むこともできる。
【００４５】
本書で使われる“Ｒｅｌｅａｓｅ１２ＵＥ”は、予期される３ＧＰＰ  Ｒｅｌｅａｓｅ１２仕様および場合によってはその後の仕様に従って動作し得るＵＥであり得る。Ｒｅｌｅａｓｅ１２ＵＥは、動的ＴＤＤ  ＵＬ／ＤＬ再構成をサポートするＵＥであり得る。さらに、本書で使われる“レガシーＵＥ”は、以前の（例えば、ＬＴＥ  Ｒｅｌｅａｓｅ  ８、９、１０、１１）仕様に従って動作し得るＵＥであり得る。
【００４６】
動的ＴＤＤ  ＵＬ／ＤＬ再構成は、ＤＬからＵＬへのおよびＵＬからＤＬへの両方の再構成またはスイッチングに適用され得る。動的ＴＤＤ  ＵＬ／ＤＬ再構成は、ＰＤＳＣＨハイブリッド自動反復要求肯定応答（ＨＡＲＱ−ＡＣＫ）タイミングのために１つのＴＤＤ  ＵＬ／ＤＬ構成を適用すること、および、ＰＵＳＣＨスケジューリングおよびＰＵＳＣＨ  ＨＡＲＱ−ＡＣＫタイミングのために他の１つのＴＤＤ  ＵＬ／ＤＬ構成を適用することを許容する。動的ＴＤＤ  ＵＬ／ＤＬ再構成をサポートするＵＥは、許容されるＴＤＤ  ＵＬ／ＤＬ再構成範囲（例えば、スイッチング領域）内の対応する基準ＴＤＤ  ＵＬ／ＤＬ構成に基づくこれらのタイミングに従うことができる。レガシーＵＥは、動的ＴＤＤ  ＵＬ／ＤＬ再構成のいかなる変更や知識も無しに現存するアソシエーションに従うことができる。しかし、ｅＮＢは、下位互換性タイミングを維持するためにレガシーＵＥを幾つかのサブフレームに制限し得る。
【００４７】
公知のＬＴＥ  ＴＤＤシステムにおいては、ＵＬおよびＤＬ割り当ては、７つの定義済みＴＤＤ  ＵＬ／ＤＬ構成から選択され、システム全体にわたって同期化される。現在、セルにおけるＴＤＤ  ＵＬ／ＤＬ割り当て再構成は、ＴＤＤ  ＵＬ／ＤＬアソシエーションを調整するために全ての送信を停止させなければならないので、非常に犠牲が大きくなることがある。１つのセルにおける変更は、隣のセル（およびそれらの隣のセル、など）でのＴＤＤ  ＵＬ／ＤＬ構成同期に調和するように隣のセル（およびそれらの隣のセル、など）での一連の変更を引き起こしあるいは伴うことがある。さらに、現行のＴＤＤ  ＵＬ／ＤＬ割り当て再構成はシステム情報変更を必要とするが、それは長い遅延を伴うとともに、トラフィック負荷の瞬間的なあるいは短期的な変化に対する適応性を持たない。
【００４８】
現行の仕様（例えば、ＬＴＥ  Ｒｅｌｅａｓｅ８、９、１０および１１）では、ＴＤＤ  ＵＬ／ＤＬ構成を変更するためにシステム情報変更手続きが使用され得る。この手続きは、複数のブロードキャストチャネル間隔を必要とするので、長い遅延を伴うとともに、瞬間的なトラフィック負荷変化に適応することができない。種々のＴＤＤ  ＵＬ／ＤＬアソシエーションがあるので、旧ＴＤＤ  ＵＬ／ＤＬ構成のＴＤＤ  ＵＬ／ＤＬアソシエーションを切断して新しいアソシエーションをセットアップするために全てのトランスミッタが送信を全くオフにしなければならないことがある。
【００４９】
このことは、システム容量（例えば、アップリンクまたはダウンリンクに提供される負荷）の莫大な損失とユーザトラフィック中断とを引き起こすことがある。従って、ＵＬおよびＤＬ割り当ての再構成も非常に大きな犠牲を生じさせることがある。さらに、１つのセルでの変更が原因となって隣のセルが自分たちのＴＤＤ  ＵＬ／ＤＬ構成を変更せざるを得なくなることがある。従って、“リップル”効果が生じることがある。トラフィック負荷が大きく変動すると、頻繁なＴＤＤ  ＵＬ／ＤＬ再構成は深刻なネットワーク問題を引き起こすことがある。
【００５０】
ネットワーク総合トラフィック負荷対容量比が低いときには、ＴＤＤ  ＵＬ／ＤＬ構成は、ＵＬトラフィックおよびＤＬトラフィック負荷が、割り当てられているＵＬサブフレームおよびＤＬサブフレームによってそれぞれサポートされ得るならば、容認され得る。この場合、実際のＴＤＤ  ＵＬ／ＤＬトラフィック比は、該ＴＤＤ  ＵＬ／ＤＬ割り当てと同じかあるいは異なり得る。一方、もし総トラフィック負荷対容量比が高ければ、もっと良く合うＴＤＤ  ＵＬ／ＤＬ比が構成され得る。
【００５１】
幾つかの場合に再構成が必要となることがある。例えば、割り当てられたＵＬリソースがＵＬトラフィック負荷をサポートできなければ、再構成が必要となることがある。他の一例において、割り当てられたＤＬリソースがＤＬトラフィック負荷をサポートできなければ再構成が必要となることがある。さらに、もっと良く合うＴＤＤ  ＵＬ／ＤＬ割り当てでトラフィック負荷に適応するために再構成が用いられ得る。例えば、現行のＴＤＤ  ＵＬ／ＤＬ構成がＵＬ対ＤＬトラフィック比に合わなければ再構成が必要となることがある。
【００５２】
トラフィック条件により良く適合するために、システム情報変更とは別に動的ＴＤＤ  ＵＬ／ＤＬ再構成手続きがサポートされ得る。動的ＴＤＤ  ＵＬ／ＤＬ再構成は、下位互換性（例えば、レガシーＵＥのための）を維持することができて、実時間トラフィック変化に基づく高速サブフレーム変更を用いて、より高度の柔軟性（例えば、Ｒｅｌｅａｓｅ１２仕様およびそれ以上に従って動作するＵＥのために）を提供することができる。さらに、隣のセルにおける異なるＴＤＤ  ＵＬ／ＤＬ構成が同一チャネル干渉緩和技術で一時的にあるいは持続的にサポートされ得る（例えば、Ｒｅｌｅａｓｅ１１で）。異なるＴＤＤ  ＵＬ／ＤＬ構成は、異なる初期ネットワーク構成によっておよび／またはトラフィック適応での動的ＴＤＤ  ＵＬ／ＤＬ再構成変更によって引き起こされ得る。動的ＴＤＤ  ＵＬ／ＤＬ再構成の目的は、トラフィック条件に限られないであろう。例えば、動的ＴＤＤ  ＵＬ／ＤＬ再構成を使うと決定するときに考慮され得る１つまたは複数のファクターがあり得る（例えば、干渉緩和、オーバーヘッド低減、モビリティ、オペレータの決定、など）。
【００５３】
Ｒｅｌｅａｓｅ８、９、１０および１１では、ＰＤＳＣＨ  ＨＡＲＱ−ＡＣＫ、ＰＵＳＣＨスケジューリングおよびＰＵＳＣＨ  ＨＡＲＱ−ＡＣＫに関するＴＤＤ  ＵＬ／ＤＬアソシエーションはＴＤＤ  ＵＬ／ＤＬ構成によって定義される。ネットワーク内の全てのレガシーＵＥは、所与のＴＤＤ  ＵＬ／ＤＬ構成により定義される同じＰＤＳＣＨ  ＨＡＲＱ−ＡＣＫレポートアソシエーションに従う。同様に、ネットワーク内の全てのレガシーＵＥは、所与のＴＤＤ  ＵＬ／ＤＬ構成により定義される同じＰＵＳＣＨスケジューリングおよびＰＵＳＣＨ  ＨＡＲＱ−ＡＣＫレポートアソシエーションに従う。
【００５４】
しかし、動的ＴＤＤ  ＵＬ／ＤＬ再構成は、異なる基準ＴＤＤ  ＵＬ／ＤＬ構成に基づいてＰＤＳＣＨおよびＰＵＳＣＨタイミングアソシエーションを分離することのできるアプローチを提供する。例えば、ネットワーク（例えば、１つ以上のＵＥおよび１つ以上のｅＮＢ）は、（Ｒｅｌｅａｓｅ８、９、１０および１１の場合のようなデフォルトＴＤＤ  ＵＬ／ＤＬ構成の他に）トラフィック適応に基づく動的ＴＤＤ  ＵＬ／ＤＬ再構成を許容するように構成され得る。例えば、動的ＴＤＤ  ＵＬ／ＤＬ再構成を許容するように構成されているＵＥは、デフォルトＴＤＤ  ＵＬ／ＤＬ構成（例えば、第１ＴＤＤ  ＵＬ／ＤＬ構成）についての知識を有するが、ＰＤＳＣＨ  ＨＡＲＱ−ＡＣＫアソシエーションのための１つの基準ＴＤＤ  ＵＬ／ＤＬ構成（例えば、ＤＬ基準ＴＤＤ  ＵＬ／ＤＬ構成）、および、ＰＵＳＣＨスケジューリングおよびＰＵＳＣＨ  ＨＡＲＱ−ＡＣＫアソシエーションのための他の１つの基準ＴＤＤ  ＵＬ／ＤＬ構成（例えば、ＵＬ基準ＴＤＤ  ＵＬ／ＤＬ構成）を利用することができる。従って、動的ＴＤＤ  ＵＬ／ＤＬ再構成セルは自分のＴＤＤ  ＵＬ／ＤＬ構成を動的に変更し得るので、該ＤＬ基準ＴＤＤ  ＵＬ／ＤＬ構成およびＵＬ基準ＴＤＤ  ＵＬ／ＤＬ構成は明示されるべきである。
【００５５】
本書で開示されるシステムおよび方法の種々の例が次に図面を参照して記述され、図面においては同様の参照番号は機能的に類似するエレメントを示すであろう。本書で一般的に記述され図面に示されるシステムおよび方法は、多様な異なるインプリメンテーションで整えられ設計することができる。従って、図面に示された幾つかのインプリメンテーションについての以下のより詳しい記述は、請求の範囲を限定することを意図しておらず、単に該システムおよび方法を代表するにすぎない。
【００５６】
図１は、構成シグナリングのためのシステムおよび方法が実行され得る１つ以上のｅＮＢ１６０および１つ以上のＵＥ１０２の１つのインプリメンテーションを示すブロック図である。１つ以上のＵＥ１０２は、１つ以上のアンテナ１２２ａ−ｎを用いて１つ以上のｅＮＢ１６０と通信する。例えば、ＵＥ１０２は、１つ以上のアンテナ１２２ａ−ｎを用いて電磁信号をｅＮＢ１６０に送信し、電磁信号をｅＮＢ１６０から受信する。ｅＮＢ１６０は、１つ以上のアンテナ１８０ａ−ｎを用いてＵＥ１０２と通信する。
【００５７】
ＵＥ１０２およびｅＮＢ１６０は、互いに通信し合うために１つ以上のチャネル１１９、１２１を使用することができる。例えば、ＵＥ１０２は、１つ以上のアップリンクチャネル１２１を用いて情報またはデータをｅＮＢ１６０に送信することができる。アップリンクチャネル１２１の例は、物理アップリンク制御チャネル（ＰＵＣＣＨ）およびＰＵＳＣＨなどを含む。１つ以上のｅＮＢ１６０も、例えば１つ以上のダウンリンクチャネル１１９を用いて１つ以上のＵＥ１０２に情報またはデータを送信することができる。ダウンリンクチャネル１１９の例はＰＤＣＣＨ、ＰＤＳＣＨなどを含む。他の種類のチャネルが用いられ得る。
【００５８】
１つ以上のＵＥ１０２の各々は、１つ以上のトランシーバ１１８、１つ以上のデモジュレータ１１４、１つ以上のデコーダ１０８、１つ以上のエンコーダ１５０、１つ以上のモジュレータ１５４、データバッファ１０４およびＵＥオペレーションモジュール１２４を含み得る。例えば、１つ以上の受信および／または送信経路がＵＥ１０２内に実装され得る。便宜上、単一のトランシーバ１１８、デコーダ１０８、デモジュレータ１１４、エンコーダ１５０およびモジュレータ１５４がＵＥ１０２内に示されているが、複数の並列エレメント（例えば、複数のトランシーバ１１８、複数のデコーダ１０８、複数のデモジュレータ１１４、複数のエンコーダ１５０および複数のモジュレータ１５４）が実装され得る。
【００５９】
トランシーバ１１８は、１つ以上のレシーバ１２０および１つ以上のトランスミッタ１５８を含むことができる。１つ以上のレシーバ１２０は、１つ以上のアンテナ１２２ａ−ｎを用いてｅＮＢ１６０から信号を受信することができる。例えば、レシーバ１２０は信号を受信しダウンコンバートして１つ以上の受信信号１１６を生じさせることができる。１つ以上の受信信号１１６は、デモジュレータ１１４に提供され得る。１つ以上のトランスミッタ１５８は、１つ以上のアンテナ１２２ａ−ｎを用いて信号をｅＮＢ１６０に送信することができる。例えば、１つ以上のトランスミッタ１５８は、１つ以上の変調されている信号１５６をアップコンバートして送信することができる。
【００６０】
デモジュレータ１１４は、１つ以上の受信信号１１６を復調して１つ以上の復調済み信号１１２を生じさせることができる。１つ以上の復調済み信号１１２は、デコーダ１０８に提供され得る。ＵＥ１０２は、デコーダ１０８を用いて信号をデコードすることができる。デコーダ１０８は１つ以上のデコード済み信号１１０ａ−ｂを生じさせることができる。例えば、第１ＵＥデコード済み信号１１０ａは受信されたペイロードデータを含むことができ、該データはデータバッファ１０４にストアすることができる。第２ＵＥデコード済み信号１１０ｂはオーバーヘッドデータおよび／または制御データを含むことができる。例えば、該第２ＵＥデコード済み信号１１０ｂは、１つ以上のオペレーションを実行するためにＵＥオペレーションモジュール１２４により使用され得るデータを提供することができる。
【００６１】
本書で使われる用語“モジュール”は、特定のエレメントまたはコンポーネントがハードウェアで、ソフトウェアで、あるいはハードウェアおよびソフトウェアの組み合わせで実装され得るということを意味することができる。しかし、本書で“モジュール”として記載されたどのエレメントも代わりにハードウェアで実装され得るということに留意するべきである。例えば、ＵＥオペレーションモジュール１２４はハードウェア、ソフトウェアまたは両者の組み合わせで実装され得る。
【００６２】
一般的に、ＵＥオペレーションモジュール１２４は、ＵＥ１０２が１つ以上のｅＮＢ１６０と通信することを可能にし得る。ＵＥオペレーションモジュール１２４は、ＵＥシグナリングモジュール１０６、ＵＥ基準ＴＤＤ  ＵＬ／ＤＬ構成モジュール１２６、第１ＴＤＤ  ＵＬ／ＤＬ構成１２８ｂおよびセカンダリ構成情報１３０ｂを含むことができる。
【００６３】
或るインプリメンテーションでは、ＵＥ１０２は動的ＴＤＤ  ＵＬ／ＤＬ再構成のために組み込みサポートを含み得るということに留意するべきである。ＵＥ１０２は、ＵＥ１０２が動的ＴＤＤ  ＵＬ／ＤＬ再構成のためのサポートを含むか否かにより、異なる動作を有することができる。例えば、Ｒｅｌｅａｓｅ−１２  ＵＥ１０２はｅＩＭＴＡをサポートすることができる（例えば、Ｒｅｌｅａｓｅ−１２  ＵＥ１０２は、動的ＴＤＤ  ＵＬ／ＤＬ再構成をサポートすることができる）。しかし、レガシー（例えば、Ｒｅｌｅａｓｅ−１１）ＵＥ１０２は、ｅＩＭＴＡをサポートすることができない。
【００６４】
ＵＥシグナリングモジュール１０６は、セルのための第１（例えば、プライマリ）ＴＤＤ  ＵＬ／ＤＬ構成１２８ａを受信することができる。該セルは、動的ＴＤＤ  ＵＬ／ＤＬ再構成セル（例えば、ｅＩＭＴＡセル）であり得る。動的ＴＤＤ  ＵＬ／ＤＬ再構成セルは、プライマリサービングセル（ＰＣｅｌｌ）またはセカンダリサービングセル（ＳＣｅｌｌ）として使用され得る。eＩＭＴＡ  ＰＣｅｌｌおよびｅＩＭＴＡ  ＳＣｅｌｌのために異なるＴＤＤ  ＵＬ／ＤＬ構成シグナリング方法が採用され得る。ＵＥシグナリングモジュール１０６は、該セルでＵＥ１０２を構成するためのシグナリングを受信することができる。該シグナリングは、該セルのための第１ＴＤＤ  ＵＬ／ＤＬ構成１２８ａを示すことができる。ＵＥシグナリングモジュール１０６は、ｅＮＢ１６０から送信された１つ以上のメッセージで該第１ＴＤＤ  ＵＬ／ＤＬ構成を受信することができる。
【００６５】
第１ＴＤＤ  ＵＬ／ＤＬ構成１２８ａは、該セルのためのデフォルトＴＤＤ  ＵＬ／ＤＬ構成であり得る。第１ＴＤＤ  ＵＬ／ＤＬ構成１２８ａは、プライマリＴＤＤ  ＵＬ／ＤＬ構成と称されてもよい。第１ＴＤＤ  ＵＬ／ＤＬ構成１２８ａは、図２と関連して以下で記述されるようにシグナリングされ得る。例えば、第１ＴＤＤ  ＵＬ／ＤＬ構成１２８ａは、ｔｄｄ−Ｃｏｎｆｉｇ  ＩＥによりシグナリングされ得る。
【００６６】
該セルがＰＣｅｌｌであるならば、１つのインプリメンテーションにおいて、ＵＥシグナリングモジュール１０６はシステム情報ブロック（ＳＩＢ）メッセージのｔｄｄ−Ｃｏｎｆｉｇフィールドで第１ＴＤＤ  ＵＬ／ＤＬ構成１２８ａを受信することができる。ＳＩＢでの第１ＴＤＤ  ＵＬ／ＤＬ構成１２８ａのシグナリングの例が下記のリスティング（１）において示される。
【００６７】
他の１つのインプリメンテーションでは、該セルがＰＣｅｌｌであれば、ＵＥシグナリングモジュール１０６は、無線リソース制御（ＲＲＣ）共通メッセージで第１ＴＤＤ  ＵＬ／ＤＬ構成１２８ａを受信することができる。例えば、該セルの第１ＴＤＤ  ＵＬ／ＤＬ構成１２８ａを示すためにＲＲＣ共通ブロック内のｔｄｄ−Ｃｏｎｆｉｇフィールドが使用され得る。ＲＲＣ共通メッセージでの第１ＴＤＤ  ＵＬ／ＤＬ構成１２８ａのシグナリングの例が下記のリスティング（３）において示される。
【００６８】
該セルがＳＣｅｌｌであるならば、ＵＥシグナリングモジュール１０６は第１ＴＤＤ  ＵＬ／ＤＬ構成１２８ａをＲＲＣ共通メッセージで受信することもできる。ＳＣｅｌｌ  の第１ＴＤＤ  ＵＬ／ＤＬ構成１２８ａのＲＲＣ共通メッセージでのシグナリングの例が下記のリスティング（４）において示される。
【００６９】
ＵＥシグナリングモジュール１０６は、該セルのためのセカンダリ構成情報１３０ａを受信することができる。１つのインプリメンテーションでは、ＵＥシグナリングモジュール１０６は、セカンダリ構成情報１３０ａを第１ＴＤＤ  ＵＬ／ＤＬ構成１２８ａと同じメッセージ（例えば、ＳＩＢまたはＲＲＣ）で受信することができる。他の１つのインプリメンテーションでは、ＵＥシグナリングモジュール１０６は、セカンダリ構成情報１３０ａを第１ＴＤＤ  ＵＬ／ＤＬ構成１２８ａとは別のメッセージ（例えば、ＳＩＢまたはＲＲＣ）で受信することができる。セカンダリ構成情報１３０は、ｅＮＢ１６０から送信され得る。
【００７０】
セカンダリ構成情報１３０ａは、許容されるＴＤＤ  ＵＬ／ＤＬ再構成範囲を含むことができる。該ＴＤＤ  ＵＬ／ＤＬ再構成範囲は、ＴＤＤ  ＵＬ／ＤＬ構成のセット、あるいは２つのＴＤＤ  ＵＬ／ＤＬ構成の間の任意の状態であり得る。
【００７１】
１つのインプリメンテーションでは、第１ＴＤＤ  ＵＬ／ＤＬ構成１２８ａの他に、少なくとも第２ＴＤＤ  ＵＬ／ＤＬ構成が動的ＴＤＤ  ＵＬ／ＤＬ再構成セルのために構成され得る。他の１つのインプリメンテーションでは、第１ＴＤＤ  ＵＬ／ＤＬ構成１２８ａの他に第２ＴＤＤ  ＵＬ／ＤＬ構成および第３ＴＤＤ  ＵＬ／ＤＬ構成が構成され得る。
【００７２】
ＵＥシグナリングモジュール１０６は、セカンダリ構成情報１３０ａをセカンダリＴＤＤ構成ＩＥで受信することができる。該セカンダリＴＤＤ構成ＩＥは、１つまたは２つのセカンダリＴＤＤ  ＵＬ／ＤＬ構成（例えば、該第２または第３ＴＤＤ  ＵＬ／ＤＬ構成）を含むことができる。
【００７３】
１つのインプリメンテーションでは、セカンダリＴＤＤ  ＵＬ／ＤＬ構成はセカンダリＴＤＤ構成ＩＥで示され得る。１つの余分のＴＤＤ  ＵＬ／ＤＬ構成のために、ＵＥシグナリングモジュール１０６は、以下のリスティング（５）で示されるセカンダリＴＤＤ構成ＩＥを受信することができる。２つの余分のＴＤＤ  ＵＬ／ＤＬ構成のためには、ＵＥシグナリングモジュール１０６は以下のリスティング（６）で示されるセカンダリＴＤＤ構成ＩＥを受信することができる。
【００７４】
他の１つのインプリメンテーションでは、該セカンダリＴＤＤ構成ＩＥは、以下の表（１）および表（２）で示されるように、複数のＴＤＤ  ＵＬ／ＤＬ構成の組み合わせのインデックスを含むことができる。許容されるＴＤＤ  ＵＬ／ＤＬ再構成範囲を示すために、表項目のインデックスが使用され得る。
【００７５】
動的ＴＤＤ  ＵＬ／ＤＬ再構成ＰＣｅｌｌおよび動的ＴＤＤ  ＵＬ／ＤＬ再構成ＳＣｅｌｌのために異なるＴＤＤ  ＵＬ／ＤＬ構成シグナリング方法が採用され得る。動的ＴＤＤ  ＵＬ／ＤＬ再構成セルがＰＣｅｌｌであるならば、セカンダリ構成情報１３０ａは、以下のリスティング（８）で示されるようにＳＩＢで、あるいは以下のリスティング（９）で示されるようにＲＲＣブロックで、シグナリングされ得る。動的ＴＤＤ  ＵＬ／ＤＬ再構成セルがＳＣｅｌｌであるならば、セカンダリ構成情報１３０ａは、以下のリスティング（１０）で示されるように、拡張ｔｄｄ−Ｃｏｎｆｉｇ−ｒ１２フィールドをＲＲＣブロックに加えることによってシグナリングされ得る。
【００７６】
ＵＥ基準ＴＤＤ  ＵＬ／ＤＬ構成モジュール１２６は、第１ＴＤＤ  ＵＬ／ＤＬ構成１２８ａおよびセカンダリ構成情報１３０ａのいずれかまたは両方に基づいて基準ＴＤＤ  ＵＬ／ＤＬ構成を決定することができる。ＤＬ基準ＴＤＤ  ＵＬ／ＤＬ構成は、第１（例えば、プライマリ）ＴＤＤ  ＵＬ／ＤＬ構成１２８ａおよびセカンダリ構成情報１３０ａ（例えば、セカンダリＴＤＤ  ＵＬ／ＤＬ構成）のいずれかまたは両方に基づいて決定され得る。該ＤＬ基準ＴＤＤ  ＵＬ／ＤＬ構成は、動的ＴＤＤ  ＵＬ／ＤＬ再構成セルのＰＤＳＣＨ  ＨＡＲＱ−ＡＣＫタイミングのために使用され得る。
【００７７】
ＵＬ基準ＴＤＤ  ＵＬ／ＤＬ構成も、第１ＴＤＤ  ＵＬ／ＤＬ構成１２８ａおよびセカンダリ構成情報１３０ａのいずれかまたは両方に基づいて決定され得る。該ＵＬ基準ＴＤＤ  ＵＬ／ＤＬ構成は、動的ＴＤＤ  ＵＬ／ＤＬ再構成セルのＰＵＳＣＨスケジューリングおよびＰＵＳＣＨ  ＨＡＲＱ−ＡＣＫタイミングのために使用され得る。
【００７８】
基準ＴＤＤ  ＵＬ／ＤＬ構成（例えば、ＤＬ基準およびＵＬ基準ＴＤＤ  ＵＬ／ＤＬ構成）は、セカンダリ構成情報１３０ａがセカンダリＴＤＤ  ＵＬ／ＤＬ構成を１つ含むか２つ含むかによって異なる仕方で決定され得る。
【００７９】
１つのシナリオでは、セカンダリ構成情報１３０ａは、第２ＴＤＤ  ＵＬ／ＤＬ構成であり得る１つの余分のＴＤＤ  ＵＬ／ＤＬ構成を含むことができる。１つのインプリメンテーションでは、ＤＬ基準ＴＤＤ  ＵＬ／ＤＬ構成およびＵＬ基準ＴＤＤ  ＵＬ／ＤＬ構成は、図２と関連して以下で記述されるように、現存するＴＤＤ  ＵＬ／ＤＬ構成から選択され得る。
【００８０】
他の１つのインプリメンテーションでは、第１ＴＤＤ  ＵＬ／ＤＬ構成１２８ａはＤＬ基準ＴＤＤ  ＵＬ／ＤＬ構成として使用でき、第２ＴＤＤ  ＵＬ／ＤＬ構成はＵＬ基準ＴＤＤ  ＵＬ／ＤＬ構成として使用できる。さらに別の１つのインプリメンテーションでは、第１ＴＤＤ  ＵＬ／ＤＬ構成１２８ａはＵＬ基準ＴＤＤ  ＵＬ／ＤＬ構成として使用でき、第２ＴＤＤ  ＵＬ／ＤＬ構成はＤＬ基準ＴＤＤ  ＵＬ／ＤＬ構成として使用できる。
【００８１】
他の１つのシナリオでは、セカンダリ構成情報１３０ａは２つの余分のＴＤＤ  ＵＬ／ＤＬ構成を含むことができ、その２つの余分のＴＤＤ  ＵＬ／ＤＬ構成は第２ＴＤＤ  ＵＬ／ＤＬ構成および第３ＴＤＤ  ＵＬ／ＤＬ構成であり得る。１つのアプローチでは、図２に記載されているように、基準ＴＤＤ  ＵＬ／ＤＬ構成を決定するためにセカンダリＴＤＤ  ＵＬ／ＤＬ構成（例えば、該第２および第３ＴＤＤ  ＵＬ／ＤＬ構成）だけが使用される。他の１つのアプローチでは、図２に記述されているように、基準ＴＤＤ  ＵＬ／ＤＬ構成を決定するためにプライマリＴＤＤ  ＵＬ／ＤＬ構成と２つのセカンダリＴＤＤ  ＵＬ／ＤＬ構成の両方とが使用される。
【００８２】
ＵＥオペレーションモジュール１２４は、情報１８４を１つ以上のレシーバ１２０に提供することができる。例えば、ＵＥオペレーションモジュール１２４は、再送をいつ受信するべきかを１つまたは複数のレシーバ１２０に知らせることができる。或るインプリメンテーションでは、このことは、ＤＬ基準ＴＤＤ  ＵＬ／ＤＬ構成および／またはＵＬ基準ＴＤＤ  ＵＬ／ＤＬ構成に基づくことができる。
【００８３】
ＵＥオペレーションモジュール１２４は、情報１３８をデモジュレータ１１４に提供することができる。例えば、ＵＥオペレーションモジュール１２４は、ｅＮＢ１６０からの送信について予期される変調パターンをデモジュレータ１１４に知らせることができる。或るインプリメンテーションでは、このことはＤＬ基準ＴＤＤ  ＵＬ／ＤＬ構成および／またはＵＬ基準ＴＤＤ  ＵＬ／ＤＬ構成に基づくことができる。
【００８４】
ＵＥオペレーションモジュール１２４は、情報１３６をデコーダ１０８に提供することができる。例えば、ＵＥオペレーションモジュール１２４は、ｅＮＢ１６０からの送信について予期されるエンコーディングをデコーダ１０８に知らせることができる。或るインプリメンテーションでは、このことはＤＬ基準ＴＤＤ  ＵＬ／ＤＬ構成および／またはＵＬ基準ＴＤＤ  ＵＬ／ＤＬ構成に基づくことができる。
【００８５】
ＵＥオペレーションモジュール１２４は、情報１４２をエンコーダ１５０に提供することができる。情報１４２は、エンコードされるべきデータおよび／またはエンコーディングのための命令を含むことができる。例えば、ＵＥオペレーションモジュール１２４は、送信データ１４６および／または他の情報１４２をエンコードするようにエンコーダ１５０に命令することができる。該他の情報１４２は、ＰＤＳＣＨ  ＨＡＲＱ−ＡＣＫ情報を含むことができる。
【００８６】
エンコーダ１５０は、送信データ１４６および／またはＵＥオペレーションモジュール１２４により提供された他の情報１４２をエンコードすることができる。例えば、データ１４６および／または他の情報１４２をエンコードすることは、エラー検出および／または訂正コーディング、送信のためのスペース、時間および／または周波数リソースへのデータのマッピング、多重化、などを伴うことができる。エンコーダ１５０は、エンコード済みデータ１５２をモジュレータ１５４に提供することができる。
【００８７】
ＵＥオペレーションモジュール１２４は情報１４４をモジュレータ１５４に提供することができる。例えば、ＵＥオペレーションモジュール１２４は、ｅＮＢ１６０への送信のために使用されるべき変調タイプ（例えば、コンステレーションマッピング）をモジュレータ１５４に知らせることができる。モジュレータ１５４は、エンコード済みデータ１５２を変調して１つ以上の変調済み信号１５６を１つ以上のトランスミッタ１５８に提供することができる。
【００８８】
ＵＥオペレーションモジュール１２４は、１つ以上のトランスミッタ１５８に情報１４０を提供することができる。この情報１４０は、１つ以上のトランスミッタ１５８のための命令を含むことができる。例えば、ＵＥオペレーションモジュール１２４は、ｅＮＢ１６０に信号をいつ送信するべきかを１つ以上のトランスミッタ１５８に命令することができる。或るインプリメンテーションでは、このことは、（例えばＵＥ基準ＴＤＤ  ＵＬ／ＤＬ構成モジュール１３２ａにより決定された）ＤＬ基準ＴＤＤ  ＵＬ／ＤＬ構成またはＵＬ基準ＴＤＤ  ＵＬ／ＤＬ構成に基づくことができる。例えば、１つ以上のトランスミッタ１５８は、ＵＬサブフレームの間に送信することができる。１つ以上のトランスミッタ１５８は、１つまたは複数の変調済み信号１５６をアップコンバートして１つ以上のｅＮＢ１６０に送信することができる。
【００８９】
ｅＮＢ１６０は、１つ以上のトランシーバ１７６、１つ以上のデモジュレータ１７２、１つ以上のデコーダ１６６、１つ以上のエンコーダ１０９、１つ以上のモジュレータ１１３、データバッファ１６２およびｅＮＢオペレーションモジュール１８２を含むことができる。例えば、ｅＮＢ１６０内に１つ以上の受信および／または送信経路が実装され得る。便宜上、単一のトランシーバ１７６、デコーダ１６６、デモジュレータ１７２、エンコーダ１０９およびモジュレータ１１３がｅＮＢ１６０内に示されているが、複数の並列エレメント（例えば、複数のトランシーバ１７６、複数のデコーダ１６６、複数のデモジュレータ１７２、複数のエンコーダ１０９および複数のモジュレータ１１３）が実装可能である。
【００９０】
トランシーバ１７６は、１つ以上のレシーバ１７８および１つ以上のトランスミッタ１１７を含むことができる。１つ以上のレシーバ１７８は、１つ以上のアンテナ１８０ａ−ｎを用いてＵＥ１０２から信号を受信することができる。例えば、レシーバ１７８は、信号を受信しダウンコンバートして１つ以上の受信済み信号１７４を生じさせることができる。１つ以上の受信済み信号１７４は、デモジュレータ１７２に提供することができる。１つ以上のトランスミッタ１１７は、１つ以上のアンテナ１８０ａ−ｎを用いてＵＥ１０２に信号を送信することができる。例えば、１つ以上のトランスミッタ１１７は、１つ以上の変調済み信号１１５をアップコンバートして送信することができる。
【００９１】
デモジュレータ１７２は、１つ以上の受信済み信号１７４を復調して１つ以上の復調済み信号１７０を生じさせることができる。１つ以上の復調済み信号１７０は、デコーダ１６６に提供することができる。ｅＮＢ１６０は、デコーダ１６６を用いて信号をデコードすることができる。デコーダ１６６は、１つ以上のデコード済み信号１６８ａ−ｂを生じさせることができる。例えば、第１ｅＮＢデコード済み信号１６８ａは、受信済みペイロードデータを含むことができ、該データはデータバッファ１６２にストアすることができる。第２ｅＮＢデコード済み信号１６８ｂは、オーバーヘッドデータおよび／または制御データを含むことができる。例えば、第２ｅＮＢデコード済み信号１６８ｂは、１つ以上のオペレーションを実行するためにｅＮＢオペレーションモジュール１８２により使用され得るデータ（例えば、ＰＤＳＣＨ  ＨＡＲＱ−ＡＣＫ情報）を提供することができる。
【００９２】
一般的に、ｅＮＢオペレーションモジュール１８２は、ｅＮＢ１６０が１つ以上のＵＥ１０２と通信することを可能にすることができる。ｅＮＢオペレーションモジュール１８２は、ｅＮＢシグナリングモジュール１６４、ｅＮＢ基準ＴＤＤ  ＵＬ／ＤＬ構成モジュール１３２、第１ＴＤＤ  ＵＬ／ＤＬ構成１２８ｂおよびセカンダリ構成情報１３０ｂを含むことができる。
【００９３】
ｅＮＢシグナリングモジュール１６４は、セルのための第１（例えば、プライマリ）ＴＤＤ  ＵＬ／ＤＬ構成１２８ｂを送信することができる。該セルは動的ＴＤＤ  ＵＬ／ＤＬ再構成セル（例えば、ｅＩＭＴＡセル）であることができる。動的ＴＤＤ  ＵＬ／ＤＬ再構成セルは、プライマリサービングセル（ＰＣｅｌｌ）またはセカンダリサービングセル（ＳＣｅｌｌ）として用いられることができる。ｅＮＢシグナリングモジュール１６４は、シグナリングをＵＥ１０２に、該ＵＥ１０２を該セルで構成するために、送信することができる。該シグナリングは、該セルのための第１ＴＤＤ  ＵＬ／ＤＬ構成１２８ｂを示すことができる。
【００９４】
該第１ＴＤＤ  ＵＬ／ＤＬ構成１２８ｂは、該セルのためのデフォルトＴＤＤ  ＵＬ／ＤＬ構成であることができる。該第１ＴＤＤ  ＵＬ／ＤＬ構成１２８ｂは、プライマリＴＤＤ  ＵＬ／ＤＬ構成と称されてもよい。該第１ＴＤＤ  ＵＬ／ＤＬ構成１２８ｂは、図２と関連して以下で記述されるようにシグナリングされることができる。例えば、該第１ＴＤＤ  ＵＬ／ＤＬ構成１２８ｂは、ｔｄｄ−Ｃｏｎｆｉｇ  ＩＥによってシグナリングされることができる。
【００９５】
該セルがＰＣｅｌｌであるならば、１つのインプリメンテーションにおいて、ｅＮＢシグナリングモジュール１６４は該第１ＴＤＤ  ＵＬ／ＤＬ構成１２８ｂをＳＩＢメッセージのｔｄｄ−Ｃｏｎｆｉｇフィールドで送信することができる。ＳＩＢでの第１ＴＤＤ  ＵＬ／ＤＬ構成１２８ｂのシグナリングの例が下記のリスティング（１）に示されている。
【００９６】
他の１つのインプリメンテーションにおいて、該セルがＰＣｅｌｌであるならば、ｅＮＢシグナリングモジュール１６４は第１ＴＤＤ  ＵＬ／ＤＬ構成１２８ｂをＲＲＣ共通メッセージで送信することができる。例えば、ＲＲＣ共通ブロック内のｔｄｄ−Ｃｏｎｆｉｇフィールドは、該セルの第１ＴＤＤ  ＵＬ／ＤＬ構成１２８ｂを示すために使用され得る。ＲＲＣ共通メッセージでの第１ＴＤＤ  ＵＬ／ＤＬ構成１２８ｂのシグナリングの例が下記のリスティング（３）に示されている。
【００９７】
該セルがＳＣｅｌｌであるならば、ｅＮＢシグナリングモジュール１６４は、第１ＴＤＤ  ＵＬ／ＤＬ構成１２８ｂをＲＲＣ共通メッセージで送信することもできる。ＳＣｅｌｌの第１ＴＤＤ  ＵＬ／ＤＬ構成１２８ｂのＲＲＣ共通メッセージでのシグナリングの例が下記のリスティング（４）に示されている。
【００９８】
ｅＮＢシグナリングモジュール１６４は、セルのためのセカンダリ構成情報１３０ｂを送信することができる。１つのインプリメンテーションでは、ｅＮＢシグナリングモジュール１６４は、第１ＴＤＤ  ＵＬ／ＤＬ構成１２８ｂと同じメッセージ（例えば、ＳＩＢまたはＲＲＣ）でセカンダリ構成情報１３０ｂを送信することができる。他の１つのインプリメンテーションでは、ｅＮＢシグナリングモジュール１６４は、第１ＴＤＤ  ＵＬ／ＤＬ構成１２８ｂとは別のメッセージ（例えば、ＳＩＢまたはＲＲＣ）でセカンダリ構成情報１３０ｂを送信することができる。
【００９９】
セカンダリ構成情報１３０ｂは、許容されるＴＤＤ  ＵＬ／ＤＬ再構成範囲を含むことができる。該ＴＤＤ  ＵＬ／ＤＬ再構成範囲は、ＴＤＤ  ＵＬ／ＤＬ構成のセット、または２つのＴＤＤ  ＵＬ／ＤＬ構成間の任意の状態であることができる。
【０１００】
１つのインプリメンテーションでは、第１ＴＤＤ  ＵＬ／ＤＬ構成１２８ｂの他に、少なくとも第２ＴＤＤ  ＵＬ／ＤＬ構成が動的ＴＤＤ  ＵＬ／ＤＬ再構成セルのために構成され得る。他の１つのインプリメンテーションでは、第１ＴＤＤ  ＵＬ／ＤＬ構成１２８ｂの他に第２ＴＤＤ  ＵＬ／ＤＬ構成および第３ＴＤＤ  ＵＬ／ＤＬ構成が構成され得る。
【０１０１】
ｅＮＢシグナリングモジュール１６４は、セカンダリ構成情報１３０ｂをセカンダリＴＤＤ構成ＩＥで送信することができる。該セカンダリＴＤＤ構成ＩＥは、１つまたは２つのセカンダリＴＤＤ  ＵＬ／ＤＬ構成（例えば、該第２または第３ＴＤＤ  ＵＬ／ＤＬ構成）を含むことができる。
【０１０２】
１つのインプリメンテーションでは、セカンダリＴＤＤ  ＵＬ／ＤＬ構成は、セカンダリＴＤＤ構成ＩＥで示され得る。１つの余分のＴＤＤ  ＵＬ／ＤＬ構成のためには、ｅＮＢシグナリングモジュール１６４は、下記のリスティング（５）に示されているようにセカンダリＴＤＤ構成ＩＥを送信することができる。２つの余分のＴＤＤ  ＵＬ／ＤＬ構成のためには、ｅＮＢシグナリングモジュール１６４は、下記のリスティング（６）に示されているようにセカンダリＴＤＤ構成ＩＥを送信することができる。
【０１０３】
他の１つのインプリメンテーションでは、セカンダリＴＤＤ構成ＩＥは、下記の表（１）および表（２）に示されているように、複数のＴＤＤ  ＵＬ／ＤＬ構成の組み合わせのインデックスを含むことができる。表（例えば、表（１）または表（２））の項目のインデックスは、許容されるＴＤＤ  ＵＬ／ＤＬ再構成範囲を示すために使用され得る。
【０１０４】
動的ＴＤＤ  ＵＬ／ＤＬ再構成ＰＣｅｌｌおよび動的ＴＤＤ  ＵＬ／ＤＬ再構成ＳＣｅｌｌのために異なるＴＤＤ  ＵＬ／ＤＬ構成シグナリング方法が採用され得る。動的ＴＤＤ  ＵＬ／ＤＬ再構成セルがＰＣｅｌｌであるならば、セカンダリ構成情報１３０ｂは、下記のリスティング（８）に示されているようにＳＩＢで、または下記のリスティング（９）に示されているようにＲＲＣブロックで、シグナリングされ得る。動的ＴＤＤ  ＵＬ／ＤＬ再構成セルがＳＣｅｌｌであるならば、セカンダリ構成情報１３０ｂは、下記のリスティング（１０）に示されているように、拡張ｔｄｄ−Ｃｏｎｆｉｇ−ｒ１２フィールドをＲＲＣブロックに付け加えることによってシグナリングされ得る。
【０１０５】
ｅＮＢ基準ＴＤＤ  ＵＬ／ＤＬ構成モジュール１３２は、第１ＴＤＤ  ＵＬ／ＤＬ構成１２８ｂおよびセカンダリ構成情報１３０ｂのいずれかまたは両方に基づいて基準ＴＤＤ  ＵＬ／ＤＬ構成を決定することができる。ＤＬ基準ＴＤＤ  ＵＬ／ＤＬ構成は、第１（例えば、プライマリ）ＴＤＤ  ＵＬ／ＤＬ構成１２８ｂおよびセカンダリ構成情報１３０ｂ（例えば、セカンダリＴＤＤ  ＵＬ／ＤＬ構成）のいずれかまたは両方に基づいて決定され得る。該ＤＬ基準ＴＤＤ  ＵＬ／ＤＬ構成は、動的ＴＤＤ  ＵＬ／ＤＬ再構成セルのＰＤＳＣＨ  ＨＡＲＱ−ＡＣＫタイミングのために使用され得る。
【０１０６】
ＵＬ基準ＴＤＤ  ＵＬ／ＤＬ構成も、第１ＴＤＤ  ＵＬ／ＤＬ構成１２８ｂおよびセカンダリ構成情報１３０ｂのいずれかまたは両方に基づいて決定され得る。該ＵＬ基準ＴＤＤ  ＵＬ／ＤＬ構成は、動的ＴＤＤ  ＵＬ／ＤＬ再構成セルのＰＵＳＣＨスケジューリングおよびＰＵＳＣＨ  ＨＡＲＱ−ＡＣＫタイミングのために使用され得る。
【０１０７】
該基準ＴＤＤ  ＵＬ／ＤＬ構成（例えば、ＤＬ基準およびＵＬ基準ＴＤＤ  ＵＬ／ＤＬ構成）は、セカンダリ構成情報１３０ｂがセカンダリＴＤＤ  ＵＬ／ＤＬ構成を１つ含むのか２つ含むのかによって異なる仕方で決定され得る。
【０１０８】
１つのシナリオでは、セカンダリ構成情報１３０ｂは１つの余分のＴＤＤ  ＵＬ／ＤＬ構成を含むことができ、該ＴＤＤ  ＵＬ／ＤＬ構成は第２ＴＤＤ  ＵＬ／ＤＬ構成であり得る。１つのインプリメンテーションでは、ＤＬ基準ＴＤＤ  ＵＬ／ＤＬ構成およびＵＬ基準ＴＤＤ  ＵＬ／ＤＬ構成は、図２と関連して以下で記述されるように、現存するＴＤＤ  ＵＬ／ＤＬ構成から選択され得る。
【０１０９】
他の１つのインプリメンテーションでは、第１ＴＤＤ  ＵＬ／ＤＬ構成１２８ｂはＤＬ基準ＴＤＤ  ＵＬ／ＤＬ構成として使用でき、第２ＴＤＤ  ＵＬ／ＤＬ構成はＵＬ基準ＴＤＤ  ＵＬ／ＤＬ構成として使用できる。さらに別の１つのインプリメンテーションでは、第１ＴＤＤ  ＵＬ／ＤＬ構成１２８ｂはＵＬ基準ＴＤＤ  ＵＬ／ＤＬ構成として使用でき、第２ＴＤＤ  ＵＬ／ＤＬ構成はＤＬ基準ＴＤＤ  ＵＬ／ＤＬ構成として使用できる。
【０１１０】
他の１つのシナリオでは、セカンダリ構成情報１３０ｂは２つの余分のＴＤＤ  ＵＬ／ＤＬ構成を含むことができ、その２つの余分のＴＤＤ  ＵＬ／ＤＬ構成は第２ＴＤＤ  ＵＬ／ＤＬ構成および第３ＴＤＤ  ＵＬ／ＤＬ構成であり得る。１つのアプローチでは、図２に記載されているように基準ＴＤＤ  ＵＬ／ＤＬ構成を決定するためにセカンダリＴＤＤ  ＵＬ／ＤＬ構成（例えば、該第２および第３ＴＤＤ  ＵＬ／ＤＬ構成）だけが使用される。他の１つのアプローチでは、図２に記載されているように基準ＴＤＤ  ＵＬ／ＤＬ構成を決定するためにプライマリＴＤＤ  ＵＬ／ＤＬ構成と２つのセカンダリＴＤＤ  ＵＬ／ＤＬ構成の両方とが使用される。
【０１１１】
ｅＮＢオペレーションモジュール１８２は、１つ以上のレシーバ１７８に情報１９０を提供することができる。例えば、ｅＮＢオペレーションモジュール１８２は、ＤＬ基準ＴＤＤ  ＵＬ／ＤＬ構成に対応するダウンリンクサブフレームアソシエーションのセットに基づいてＰＤＳＣＨ  ＨＡＲＱ−ＡＣＫ情報を何時受信し、何時受信しないかを１つまたは複数のレシーバ１７８に知らせることができる。
【０１１２】
ｅＮＢオペレーションモジュール１８２は、デモジュレータ１７２に情報１８８を提供することができる。例えば、ｅＮＢオペレーションモジュール１８２は、１つまたは複数のＵＥ１０２からの送信について予期される変調パターンをデモジュレータ１７２に知らせることができる。或るインプリメンテーションでは、このことは、ＤＬ基準ＴＤＤ  ＵＬ／ＤＬ構成および／またはＵＬ基準ＴＤＤ  ＵＬ／ＤＬ構成に基づくことができる。
【０１１３】
ｅＮＢオペレーションモジュール１８２は、情報１８６をデコーダ１６６に提供することができる。例えば、ｅＮＢオペレーションモジュール１８２は、１つまたは複数のＵＥ１０２からの送信について予期されるエンコーディングをデコーダ１６６に知らせることができる。或るインプリメンテーションでは、このことは、ＤＬ基準ＴＤＤ  ＵＬ／ＤＬ構成および／またはＵＬ基準ＴＤＤ  ＵＬ／ＤＬ構成に基づくことができる。
【０１１４】
ｅＮＢオペレーションモジュール１８２は、エンコーダ１０９に情報１０１を提供することができる。情報１０１は、エンコードされるべきデータおよび／またはエンコーディングのための命令を含むことができる。例えば、ｅＮＢオペレーションモジュール１８２は、送信データ１０５および／または他の情報１０１をエンコードするようにエンコーダ１０９に命令することができる。或るインプリメンテーションでは、このことは、ＤＬ基準ＴＤＤ  ＵＬ／ＤＬ構成および／またはＵＬ基準ＴＤＤ  ＵＬ／ＤＬ構成に基づくことができる。
【０１１５】
エンコーダ１０９は、送信データ１０５および／またはｅＮＢオペレーションモジュール１８２により提供された他の情報１０１をエンコードすることができる。例えば、データ１０５および／または他の情報１０１をエンコードすることは、エラー検出および／または訂正コーディング、データを送信のためのスペース、時間および／または周波数リソースにマッピングすること、多重化、などを伴うことができる。エンコーダ１０９は、エンコード済みデータ１１１をモジュレータ１１３に提供することができる。送信データ１０５は、ＵＥ１０２へ中継されるべきネットワークデータを含むことができる。
【０１１６】
ｅＮＢオペレーションモジュール１８２は、情報１０３をモジュレータ１１３に提供することができる。この情報１０３は、モジュレータ１１３のための命令を含むことができる。例えば、ｅＮＢオペレーションモジュール１８２は、１つまたは複数のＵＥ１０２への送信のために使用されるべき変調タイプ（例えば、コンステレーションマッピング）をモジュレータ１１３に知らせることができる。モジュレータ１１３は、エンコード済みデータ１１１を変調して１つ以上の変調済み信号１１５を１つ以上のトランスミッタ１１７に提供することができる。
【０１１７】
ｅＮＢオペレーションモジュール１８２は、情報１９２を１つ以上のトランスミッタ１１７に提供することができる。この情報１９２は、１つ以上のトランスミッタ１１７のための命令を含むことができる。例えば、ｅＮＢオペレーションモジュール１８２は、１つまたは複数のＵＥ１０２に信号を何時送るか（あるいは何時送らないか）を１つ以上のトランスミッタ１１７に命令することができる。或るインプリメンテーションでは、このことはＤＬ基準ＴＤＤ  ＵＬ／ＤＬ構成に基づくことができる。１つ以上のトランスミッタ１１７は、１つまたは複数の変調済み信号１１５をアップコンバートして１つ以上のＵＥ１０２に送信することができる。
【０１１８】
ＤＬサブフレームがｅＮＢ１６０から１つ以上のＵＥ１０２に送信され得ること、およびＵＬサブフレームが１つ以上のＵＥ１０２からｅＮＢ１６０に送信され得ることに留意するべきである。さらに、ｅＮＢ１６０および１つ以上のＵＥ１０２の両方がデータを標準的特別サブフレームで送信することができる。
【０１１９】
１つまたは複数のｅＮＢ１６０および１つまたは複数のＵＥ１０２に含まれるエレメントまたはパーツのうちの１つ以上がハードウェアで実装され得ることにも留意するべきである。例えば、これらのエレメントまたはパーツのうちの１つ以上がチップ、回路またはハードウェアコンポーネントなどとして実装され得る。本書に記載された機能または方法のうちの１つ以上がハードウェアで実装され得ること、および／またはハードウェアを用いて実行され得ることにも留意するべきである。例えば、本書に記載された方法のうちの１つ以上はチップセット、特定用途向け集積回路（ＡＳＩＣ）、大規模集積（ＬＳＩ）回路または集積回路などで実装でき、および／またはチップセット、特定用途向け集積回路（ＡＳＩＣ）、大規模集積（ＬＳＩ）回路または集積回路などを用いて実現できる。
【０１２０】
図２は、ＵＥ１０２による構成シグナリングのための方法２００の１つのインプリメンテーションを示す流れ図である。ＵＥ１０２は、動的ＴＤＤ  ＵＬ／ＤＬ再構成サポート（例えば、ｅＩＭＴＡサポート）を用いて構成され得る。ＵＥ１０２はセルのための第１ＴＤＤ  ＵＬ／ＤＬ構成１２８を受信する（ステップ２０２）。該セルは動的ＴＤＤ  ＵＬ／ＤＬ再構成セル（例えば、ｅＩＭＴＡセル）である。
【０１２１】
動的ＴＤＤ  ＵＬ／ＤＬ再構成セルは、プライマリサービングセル（ＰＣｅｌｌ）またはセカンダリサービングセル（ＳＣｅｌｌ）として使用される。ｅＩＭＴＡ  ＰＣｅｌｌおよびｅＩＭＴＡ  ＳＣｅｌｌのために異なるＴＤＤ  ＵＬ／ＤＬ構成シグナリング方法が採用され得る。上で記述されたように、サービングセルは、ＵＥ１０２が気付いていて情報を送信もしくは受信することをｅＮＢ１６０により許可されているセルである。ＵＥ１０２は、ｅＮＢ１６０からのサービングセルでＵＥ１０２を構成するためにシグナリングを受信する（ステップ２０２）。該シグナリングは、該サービングセルのための第１ＴＤＤ  ＵＬ／ＤＬ構成１２８を示す。
【０１２２】
第１ＴＤＤ  ＵＬ／ＤＬ構成１２８は、セルのためのデフォルトＴＤＤ  ＵＬ／ＤＬ構成である。第１ＴＤＤ  ＵＬ／ＤＬ構成１２８は、プライマリＴＤＤ  ＵＬ／ＤＬ構成と称されてもよい。第１ＴＤＤ  ＵＬ／ＤＬ構成１２８は、Ｒｅｌｅａｓｅ−８、９、１０および１１の場合のようにシグナリングされ得る。例えば、Ｒｅｌｅａｓｅ−８、９、１０および１１ＴＤＤセルにおいては、唯一のＴＤＤ  ＵＬ／ＤＬ構成が構成される。第１ＴＤＤ  ＵＬ／ＤＬ構成１２８は、ＰＣｅｌｌのためのＲｅｌｅａｓｅ−８、９、１０および１１の場合と同じくｔｄｄ−Ｃｏｎｆｉｇ情報エレメント（ＩＥ）によってシグナリングされ得る。
【０１２３】
１つのインプリメンテーションでは、該セルがＰＣｅｌｌであるならば、ＵＥ１０２は、動的ＴＤＤ  ＵＬ／ＤＬ再構成セルの第１ＴＤＤ  ＵＬ／ＤＬ構成１２８をシグナリングするために使用され得るＳｙｓｔｅｍＩｎｆｏｒｍａｔｉｏｎＢｌｏｃｋＴｙｐｅ（ＳＩＢ１）ブロック内のｔｄｄ−Ｃｏｎｆｉｇフィールドで第１ＴＤＤ  ＵＬ／ＤＬ構成１２８を受信する（ステップ２０２）。第１ＴＤＤ  ＵＬ／ＤＬ構成１２８は、動的ＴＤＤ  ＵＬ／ＤＬ再構成サポートされるＵＥ１０２のためのデフォルトＴＤＤ  ＵＬ／ＤＬ構成として使用される。レガシーＵＥ１０２のためには、第１ＴＤＤ  ＵＬ／ＤＬ構成１２８は唯一のＴＤＤ  ＵＬ／ＤＬ構成である。ＳＩＢでの第１ＴＤＤ  ＵＬ／ＤＬ構成１２８のシグナリングの例がリスティング（１）に示されている。
【数１】
2016514910.tif 000003
2016514910.tif 000004
2016514910.tif 000005
リスティング（１）
【０１２４】
リスティング（１）において、ＴＤＤ−ｃｏｎｆｉｇ  ＩＥ（ボールドテキストで記載されている）は、ＰＣｅｌｌのための第１ＴＤＤ  ＵＬ／ＤＬ構成１２８を指定するために使用され得る。‘ｃｅｌｌＢａｒｒｅｄ’は、該セルが（３ＧＰＰ  ＴＳ３６．３０４で定義されているように）禁じられるかどうかを示すことができる。‘ｃｅｌｌＲｅｓｅｒｖｅｄＦｏｒＯｐｅｒａｔｏｒＵｓｅ’は、（３ＧＰＰ  ＴＳ３６．３０４で定義されているように）使用され得る。
【０１２５】
‘ｃｓｇ−Ｉｄｅｎｔｉｔｙ’は、セルが属するクローズドサブスクライバグループ（Ｃｌｏｓｅｄ  Ｓｕｂｓｃｒｉｂｅｒ  Ｇｒｏｕｐ（ＣＳＧ））のアイデンティティを示すことができる。‘ｃｓｇ−Ｉｎｄｉｃａｔｉｏｎ’がＴＲＵＥにセットされているならば、ＵＥ１０２は、セルがマニュアルＣＳＧ選択時に選択されたＣＳＧメンバーセルであれば該セルにアクセスすること、または限定されたサービスを得ること、を許されるだけである。
【０１２６】
‘ｉｍｓ−ＥｍｅｒｇｅｎｃｙＳｕｐｐｏｒｔ’は、該セルが限定されたサービスモードでＵＥ１０２のためのＩＭＳエマージェンシーベアラサービスをサポートするかどうかを示すことができる。ｉｍｓ−ＥｍｅｒｇｅｎｃｙＳｕｐｐｏｒｔが無ければ、ＩＭＳエマージェンシーコールは、限定されたサービスモードでＵＥ１０２のためのセルにおいてネットワークによってサポートされない。
【０１２７】
‘ｉｎｔｒａＦｒｅｑＲｅｓｅｌｅｃｔｉｏｎ’は、最高ランクのセルが禁じられているか、あるいは（３ＧＰＰ  ＴＳ３６．３０４で指定されているように）ＵＥ１０２によって禁じられるものとして扱われるとき、イントラ周波数セルへのセル再選択を制御するために使用され得る。
【０１２８】
‘ｍｕｌｔｉＢａｎｄＩｎｆｏＬｉｓｔ’は、セルが属する（３ＧＰＰ  ＴＳ３６．１０１、表５．５−１で定義されている）追加の周波数帯域インジケータのリストであり得る。ＵＥ１０２がｆｒｅｑＢａｎｄＩｎｄｉｃａｔｏｒ  ＩＥ内の周波数帯域をサポートするならば、ＵＥ１０２はその周波数帯域を使用することができる。そうでなければ、ＵＥ１０２は、ｍｕｌｔｉＢａｎｄＩｎｆｏＬｉｓｔ  ＩＥ内の自分がサポートする最初にリストされている帯域を使用することができる。
【０１２９】
‘ｐｌｍｎ−ＩｄｅｎｔｉｔｙＬｉｓｔ’は、ＰＬＭＮアイデンティティのリストであり得る。最初にリストされているＰＬＭＮアイデンティティはプライマリＰＬＭＮであり得る。
【０１３０】
‘ｐ−Ｍａｘ’は、セルに使用され得る値であり得る。もし無ければ、ＵＥ１０２はＵＥ１０２の能力に応じて最大パワーを使用することができる。
【０１３１】
‘ｑ−ＱｕａｌＭｉｎ’は、（３ＧＰＰ  ＴＳ３６．３０４に定義されている）パラメータ“Ｑｑｕａｌｍｉｎ”であり得る。ｃｅｌｌＳｅｌｅｃｔｉｏｎＩｎｆｏ−ｖ９２０が存在しなければ、ＵＥ１０２はＱｑｕａｌｍｉｎのために負の無限大の（デフォルト）値を使用することができる。
【０１３２】
‘ｑ−ＱｕａｌＭｉｎＯｆｆｓｅｔ’は、（３ＧＰＰ  ＴＳ３６．３０４で定義されている）パラメータ“Ｑｑｕａｌｍｉｎｏｆｆｓｅｔ”であり得る。Ｑｑｕａｌｍｉｎｏｆｆｓｅｔの実効値＝ＩＥ値［ｄＢ］である。ｃｅｌｌＳｅｌｅｃｔｉｏｎＩｎｆｏ−ｖ９２０が存在しないかあるいは該フィールドが存在しなければ、ＵＥ１０２はＱｑｕａｌｍｉｎｏｆｆｓｅｔのために０ｄＢの（デフォルト）値を使用することができる。ｑ−ＱｕａｌＭｉｎＯｆｆｓｅｔは、セルにおける最低所要品質レベルに影響を及ぼし得る。
【０１３３】
‘ｑ−ＲｘＬｅｖＭｉｎＯｆｆｓｅｔ’は、（３ＧＰＰ  ＴＳ３６．３０４で定義されている）パラメータ“Ｑｒｘｌｅｖｍｉｎｏｆｆｓｅｔ”であり得る。Ｑｒｘｌｅｖｍｉｎｏｆｆｓｅｔの実効値＝ＩＥ値＊２［ｄＢ］である。もし存在しなければ、ＵＥ１０２はＱｒｘｌｅｖｍｉｎｏｆｆｓｅｔのために０ｄＢの（デフォルト）値を使用することができる。ｑ−ＲｘＬｅｖＭｉｎＯｆｆｓｅｔは、セルにおける最低所要受信レベルに影響を及ぼし得る。
【０１３４】
‘ｓｉｂ−Ｍａｐｐｉｎｇｉｎｆｏ’は、このＳｙｓｔｅｍＩｎｆｏｒｍａｔｉｏｎメッセージにマッピングされたＳＩＢのリストであり得る。ＳＩＢ２についてのマッピング情報は無い；該マッピング情報は常に、ｓｃｈｅｄｕｌｉｎｇＩｎｆｏＬｉｓｔリストにリストされている第１ＳｙｓｔｅｍＩｎｆｏｒｍａｔｉｏｎメッセージ内に存在する。
【０１３５】
‘ｓｉ−Ｐｅｒｉｏｄｉｃｉｔｙ’は、システム情報（ＳＩ）メッセージの無線フレーム単位の周期性であり得る。ｒｆ８は８無線フレームを意味することができ、ＲＦ１６は１６無線フレームを意味することができる、などである。
【０１３６】
‘ｓｉ−ＷｉｎｄｏｗＬｅｎｇｔｈ’は、全てのＳＩのための共通ＳＩスケジューリングウィンドウであり得る。ｓｉ−ＷｉｎｄｏｗＬｅｎｇｔｈはミリ秒の単位を持つことができ、ここでｍｓ１は１ミリ秒を意味し、ｍｓ２は２ミリ秒を意味する、などである。
【０１３７】
‘ｓｙｓｔｅｍＩｎｆｏＶａｌｕｅＴａｇ’は、マスター情報ブロック（ＭＩＢ）、ＳＩＢ１、ＳＩＢ１０、ＳＩＢ１１、ＳＩＢ１２およびＳＩＢ１４以外の全てのＳＩＢのために共通であり得る。ＭＩＢおよびＳＩＢ１の変更は、対応するメッセージの取得によって検出され得る。‘ｔｒａｃｋｉｎｇＡｒｅａＣｏｄｅ’は、リストされている全てのＰＬＭＮのために共通であるｔｒａｃｋｉｎｇＡｒｅａＣｏｄｅであり得る。
【０１３８】
次の用語はリスティング（１）における条件付き存在を示すことができる。‘ＲＳＲＱ’は、ＳＩＢ３がブロードキャストされていてＳＩＢ３内に‘ｔｈｒｅｓｈＳｅｒｖｉｎｇＬｏｗＱ’が存在するならばフィールドの存在が必須であることを示す。そうでなければ、該フィールドは任意に存在する（例えば、Ｎｅｅｄ  ＯＰ）。
【０１３９】
‘ＴＤＤ’は、ＴＤＤのためにフィールドの存在が必須であることを示す。‘ＴＤＤ’は周波数分割デュプレキシング（ＦＤＤ）のためには存在せず、ＵＥ１０２はこのフィールドのために現存するいかなる値をも削除することができる。
【０１４０】
‘ＴＤＤ−ＯＲ’は、ＴＤＤのためのフィールドの存在は任意であることを示す（例えば、Ｎｅｅｄ  ＯＰ）。‘ＴＤＤ−ＯＲ’はＦＤＤのためには存在しない。
【０１４１】
ＴＤＤ−ｃｏｎｆｉｇ  ＩＥは、ＴＤＤ特有の物理チャネル構成を指定することができる。このことはリスティング（２）に示されているように成し遂げられる。
【数２】
2016514910.tif 000006
リスティング（２）
【０１４２】
リスティング（２）において、‘ｓｐｅｃｉａｌＳｕｂｆｒａｍｅＰａｔｔｅｒｎｓ’は、（３ＧＰＰ  ＴＳ３６．２１１、表４．２−１の場合のように）構成を示すことができる。ｓｓｐ０は構成０を指し、ｓｓｐ１は構成１を指す、などである。
【０１４３】
‘ｓｐｅｃｉａｌＳｕｂｆｒａｍｅＰａｔｔｅｒｎｓ−ｖ１１ｘｙ’は、（３ＧＰＰ  ＴＳ３６．２１１、表４．２−１の場合のように）特別のサブフレームパターンを示すことができる。値ｓｓｐ９は、標準の循環プレフィックスのための構成９を指し、ｓｐｅｃｉａｌＳｕｂｆｒａｍｅＰａｔｔｅｒｎｓの値がｓｓｐ５にセットされている場合に限って存在し得る。そして値ｓｓｐ７は、拡張循環プレフィックスのための構成７を指し、ｓｐｅｃｉａｌＳｕｂｆｒａｍｅＰａｔｔｅｒｎｓの値がｓｓｐ４にセットされている場合に限って存在し得る。ｓｐｅｃｉａｌＳｕｂｆｒａｍｅＰａｔｔｅｒｎｓ−ｖ１１ｘｙ  ＩＥが存在するとき、ＴＤＤ−ｃｏｎｆｉｇ（サフィックス無し）（例えば、Ｒｅｌｅａｓｅ−８で定義されているバージョン）内のｓｐｅｃｉａｌＳｕｂｆｒａｍｅＰａｔｔｅｒｎｓの値は無視されてよい。
【０１４４】
‘ｓｕｂｆｒａｍｅＡｓｓｉｇｎｍｅｎｔ’は、ＵＬ／ＤＬサブフレーム構成を示すことができ、ここでｓａ０は構成０を指し、ｓａ１は構成１を指す、などである（３ＧＰＰ  ＴＳ３６．２１１、表４．２−２で指定されているように）。同じ周波数帯域に存在する全てのサービングセルのために１つの値が適用され得る。
【０１４５】
他の１つのインプリメンテーションにおいて、セルが動的ＴＤＤ  ＵＬ／ＤＬ再構成で構成されたＰＣｅｌｌであるならば、ＵＥ１０２は無線リソース制御（ＲＲＣ）共通メッセージで第１ＴＤＤ  ＵＬ／ＤＬ構成１２８を受信する（ステップ２０２）。例えば、セルの第１ＴＤＤ  ＵＬ／ＤＬ構成１２８を示すためにＲＲＣ共通（例えば、ＲａｄｉｏＲｅｓｏｕｒｃｅＣｏｎｆｉｇＣｏｍｍｏｎ）ブロック内のｔｄｄ−Ｃｏｎｆｉｇフィールドが使用され得る。ＲＲＣ共通ブロックでの第１ＴＤＤ  ＵＬ／ＤＬ構成１２８のシグナリングの例がリスティング（３）に示されている。
【数３】
2016514910.tif 000007
リスティング（３）
【０１４６】
リスティング（３）において、ＴＤＤ−ｃｏｎｆｉｇ  ＩＥ（ボールドテキストで記載されている）は、ＰＣｅｌｌのための第１ＴＤＤ  ＵＬ／ＤＬ構成１２８を示すために使用され得る。‘ａｄｄｉｔｉｏｎａｌＳｐｅｃｔｒｕｍＥｍｉｓｓｉｏｎＳＣｅｌｌ’は、ＩＥ  ＡｄｄｉｔｉｏｎａｌＳｐｅｃｔｒｕｍＥｍｉｓｓｉｏｎＳＣｅｌｌ（３ＧＰＰ  ＴＳ３６．１０１で定義されている）に関連するＵＥ１０２必要条件を示すことができる。
【０１４７】
‘ｄｅｆａｕｌｔＰａｇｉｎｇＣｙｃｌｅ’は、（３ＧＰＰ  ＴＳ３６．３０４の場合のように）“Ｔ”を得るために使用される、デフォルトページングサイクルであり得る。値ｒｆ３２は３２無線フレームに対応し、ｒｆ６４は６４無線フレームに対応する、などである。
【０１４８】
‘ｍｏｄｉｆｉｃａｔｉｏｎＰｅｒｉｏｄＣｏｅｆｆ’は、無線フレームの数＝ｍｏｄｉｆｉｃａｔｉｏｎＰｅｒｉｏｄＣｏｅｆｆ＊ｄｅｆａｕｌｔＰａｇｉｎｇＣｙｃｌｅで表された、実際の変更期間であり得る。ｎ２は値２に対応し、ｎ４は値４に対応し、ｎ８は値８に対応し、ｎ１６は値１６に対応する。
【０１４９】
パラメータ‘ｎＢ’は、Ｐａｇｉｎｇ  ＦｒａｍｅおよびＰａｇｉｎｇ  Ｏｃｃａｓｉｏｎ（３ＧＰＰ  ＴＳ３６．３０４による）を得るためのパラメータの１つとして使用され得る。値は、“Ｔ”の倍数で表され得る（３ＧＰＰ  ＴＳ３６．３０４で定義されている）。ｆｏｕｒＴの値は４＊Ｔに対応し、ｔｗｏＴの値は２＊Ｔに対応する、などである。
【０１５０】
‘ｕｌ−Ｂａｎｄｗｉｄｔｈ’はアップリンクにおける送信帯域幅構成ＮＲＢと関連付けられたパラメータであり得る（３ＧＰＰ  ＴＳ３６．１０１、表５．６−１に記載されている）。値ｎ６は６リソースブロックに対応し、ｎ１５は１５リソースブロックに対応する、などである。ＦＤＤのためにこのパラメータが無ければ、アップリンク帯域幅はダウンリンク帯域幅に等しい。ＴＤＤのためには、このパラメータは存在せず、アップリンク帯域幅はダウンリンク帯域幅に等しい。
【０１５１】
ＦＤＤのために、もし‘ｕｌ−ＣａｒｒｉｅｒＦｒｅｑ’が存在しなければ、デフォルト送信−受信（ＴＸ−ＲＸ）周波数分離（３ＧＰＰ  ＴＳ３６．１０１、表５．７．３−１で定義されている）から決定された（デフォルト）値が適用される。ＴＤＤのためには、ｕｌ−ＣａｒｒｉｅｒＦｒｅｑは存在せず、アップリンクキャリヤ周波数はダウンリンク周波数に等しい。
【０１５２】
‘ＵＬ−ＣｙｃｌｉｃＰｒｅｆｉｘＬｅｎｇｔｈ’は、アップリンク循環プレフィックス長さを示すことのできるパラメータである（３ＧＰＰ  ＴＳ３６．２１１、５．２．１に記載されている）。値ｌｅｎ１は通常の循環プレフィックスに対応し、ｌｅｎ２は拡張された循環プレフィックスに対応する。
【０１５３】
次の用語は、リスティング（３）における条件付き存在を示すことができる。‘ＴＤＤ’は、ＴＤＤのためにフィールドの存在が任意であることを示す（Ｎｅｅｄ  ＯＮ）。‘ＴＤＤ’はＦＤＤのためには存在せず、ＵＥ１０２はこのフィールドのために存在するいかなる値も削除することができる。
【０１５４】
‘ＴＤＤ２’は、もしｔｄｄ−Ｃｏｎｆｉｇ−ｒ１０が存在するならばフィールドの存在は任意であることを示す（Ｎｅｅｄ  ＯＲ）。そうでなければ、該フィールドは存在せず、ＵＥ１０２はこのフィールドのために存在するいかなる値も削除することができる。
【０１５５】
‘ＴＤＤ−ＯＲ−ＮｏＲ１１’は、もしｐｒａｃｈ−ＣｏｎｆｉｇＳＣｅｌｌ−ｒ１１が存在しなければＴＤＤのためのフィールドの存在は任意であることを示す（Ｎｅｅｄ  ＯＲ）。そうでなければ、該フィールドは存在せず、ＵＥ１０２はこのフィールドのために存在するいかなる値も削除することができる。
【０１５６】
‘ＴＤＤＳＣｅｌｌ’は、ＴＤＤのためにフィールドの存在が必須であることを示す。該フィールドはＦＤＤのためには存在せず、ＵＥ１０２はこのフィールドのために存在するいかなる値も削除することができる。
【０１５７】
‘ＵＬ’は、もしＳＣｅｌｌがセカンダリＴＡＧの一部であってかつｕｌ−Ｃｏｎｆｉｇｕｒａｔｉｏｎが含まれるならばフィールドの存在は任意であることを示す（Ｎｅｅｄ  ＯＲ）。そうでなければ、該フィールドは存在せず、ＵＥ１０２はこのフィールドのために存在するいかなる値も削除することができる。
【０１５８】
動的ＴＤＤ  ＵＬ／ＤＬ再構成セルがＳＣｅｌｌであるならば、ＵＥ１０２は、第１ＴＤＤ  ＵＬ／ＤＬ構成１２８をＲＲＣ共通メッセージで受信することもできる（ステップ２０２）。例えば、ＲＲＣ共通メッセージ内のｔｄｄ−Ｃｏｎｆｉｇ−ｒ１０フィールドは、ｅＩＭＴＡ  ＳＣｅｌｌの第１ＴＤＤ  ＵＬ／ＤＬ構成１２８を示すために使用され得る。１つのインプリメンテーションでは、該ＲＲＣ共通メッセージは、リスティング（４）に示されているＲａｄｉｏＲｅｓｏｕｒｃｅＣｏｎｆｉｇＣｏｍｍｏｎＳＣｅｌｌ−ｒ１０メッセージであり得る。
【数４】
2016514910.tif 000008
2016514910.tif 000009
リスティング（４）
【０１５９】
リスティング（４）において、ｔｄｄ−ｃｏｎｆｉｇ−ｒ１０  ＩＥ（ボールドテキストで記載されている）は、ＳＣｅｌｌのための第１ＴＤＤ  ＵＬ／ＤＬ構成を示すために使用され得る。リスティング（４）に含まれる追加の用語は、リスティング（３）と関連して記載されているように定義され得る。
【０１６０】
ＵＥ１０２は、セルのためのセカンダリ構成情報１３０を受信する（ステップ２０４）。セカンダリ構成情報１３０はｅＮＢ１６０から受信される（ステップ２０４）。１つのインプリメンテーションでは、ＵＥ１０２はセカンダリ構成情報１３０を第１ＴＤＤ  ＵＬ／ＤＬ構成１２８と同じメッセージ（例えば、ＳＩＢまたはＲＲＣ）で受信する（ステップ２０４）。他の１つのインプリメンテーションでは、ＵＥ１０２はセカンダリ構成情報１３０を第１ＴＤＤ  ＵＬ／ＤＬ構成１２８とは別のメッセージ（例えば、ＳＩＢまたはＲＲＣ）で受信する（ステップ２０４）。さらに、セカンダリ構成情報１３０は、単一のメッセージで受信されても、あるいは複数のメッセージで受信されてもよい（ステップ２０４）。
【０１６１】
或るインプリメンテーションでは、セカンダリ構成情報１３０は、許容されるＴＤＤ  ＵＬ／ＤＬ再構成範囲を含むことができる。ＴＤＤ  ＵＬ／ＤＬ再構成範囲は、ＴＤＤ  ＵＬ／ＤＬ構成のセット、または２つのＴＤＤ  ＵＬ／ＤＬ構成間の任意の状態であり得る。本書で使用される状態とは、該ＴＤＤ  ＵＬ／ＤＬ再構成範囲に含まれる他の１つのＴＤＤ  ＵＬ／ＤＬ構成であり得る。例えば、もしＴＤＤ  ＵＬ／ＤＬ再構成範囲がＴＤＤ  ＵＬ／ＤＬ構成２（無線フレーム内に２個のＵＬを伴う５ミリ秒（ｍｓ）周期性）およびＴＤＤ  ＵＬ／ＤＬ構成０（無線フレーム内に６個のＵＬを伴う５ｍｓ周期性）であるならば、ＴＤＤ  ＵＬ／ＤＬ構成１（無線フレーム内に４個のＵＬを伴う５ｍｓ周期性）およびＴＤＤ  ＵＬ／ＤＬ構成６（無線フレーム内に５個のＵＬを伴う５ｍｓ周期性）が該ＴＤＤ  ＵＬ／ＤＬ再構成範囲における中間状態であり得る。従って、セルは複数のＴＤＤ  ＵＬ／ＤＬ構成で構成され得る。
【０１６２】
１つのインプリメンテーションでは、第１ＴＤＤ  ＵＬ／ＤＬ構成１２８の他に、少なくとも第２ＴＤＤ  ＵＬ／ＤＬ構成が動的ＴＤＤ  ＵＬ／ＤＬ再構成セルのために構成され得る。他の１つのインプリメンテーションでは、第２ＴＤＤ  ＵＬ／ＤＬ構成および第３ＴＤＤ  ＵＬ／ＤＬ構成が第１ＴＤＤ  ＵＬ／ＤＬ構成１２８の他に構成され得る。該動的ＴＤＤ  ＵＬ／ＤＬ再構成セルの該第２ＴＤＤ  ＵＬ／ＤＬ構成および該第３ＴＤＤ  ＵＬ／ＤＬ構成は、該動的ＴＤＤ  ＵＬ／ＤＬ再構成セルのセカンダリＴＤＤ  ＵＬ／ＤＬ構成であると定義され得る。従って、動的ＴＤＤ  ＵＬ／ＤＬ再構成セルは、１つのプライマリＴＤＤ  ＵＬ／ＤＬ構成および１つまたは２つのセカンダリＴＤＤ  ＵＬ／ＤＬ構成で構成され得る。
【０１６３】
ＵＥ１０２は、セカンダリ構成情報１３０をセカンダリＴＤＤ構成ＩＥで受信することもできる（ステップ２０４）。例えば、新しいセカンダリＴＤＤ構成ＩＥが動的ＴＤＤ  ＵＬ／ＤＬ再構成セルのために定義され得る。該セカンダリＴＤＤ構成ＩＥはＴＤＤ−Ｃｏｎｆｉｇ−ｒ１２  ＩＥであってもよい。該セカンダリＴＤＤ構成ＩＥは１つまたは２つのセカンダリＴＤＤ  ＵＬ／ＤＬ構成を含むことができる。
【０１６４】
１つのインプリメンテーションでは、該セカンダリＴＤＤ  ＵＬ／ＤＬ構成は該セカンダリＴＤＤ構成ＩＥに含まれる。例えば、該セカンダリＴＤＤ構成ＩＥは、該セカンダリＴＤＤ  ＵＬ／ＤＬ構成に対応するインデックスを含む。動的ＴＤＤ  ＵＬ／ＤＬ再構成セルにおける特別のサブフレーム構成は第１（例えば、プライマリまたはデフォルト）ＴＤＤ  ＵＬ／ＤＬ構成１２８と同じであるべきである。従って、該特別サブフレーム構成フィールドはセッティング（例えば、シグナリング）から除去され得る。さらに、該セカンダリＴＤＤ構成ＩＥ内の各ＴＤＤ−ｃｏｎｆｉｇフィールドは３ビットを必要とし、２つの余分のＴＤＤ  ＵＬ／ＤＬ構成（例えば、該セカンダリＴＤＤ  ＵＬ／ＤＬ構成）を示すためには６ビットが必要である。１つの余分のＴＤＤ  ＵＬ／ＤＬ構成のために、セカンダリＴＤＤ構成ＩＥ（例えば、ＴＤＤ−Ｃｏｎｆｉｇ−ｒ１２  ＩＥ）はリスティング（５）に示されているように定義され得る。
【数５】
2016514910.tif 000010
リスティング（５）
【０１６５】
リスティング（５）において、‘Ｅｘｔｒａ−ＴＤＤ−Ｃｏｎｆｉｇ１’は余分のＴＤＤ  ＵＬ／ＤＬ構成（例えば、第２ＴＤＤ  ＵＬ／ＤＬ構成）を表すことができる。‘Ｅｘｔｒａ−ＴＤＤ−Ｃｏｎｆｉｇ１’は、７つの値のうちの１つ（例えば、ｓａ０、ｓａ１、ｓａ２、ｓａ３、ｓａ４、ｓａ５またはｓａ６）であり得る。
【０１６６】
セカンダリＴＤＤ構成ＩＥは２つの余分のＴＤＤ  ＵＬ／ＤＬ構成を示すこともできる。例えば、１つまたは２つの余分のＴＤＤ  ＵＬ／ＤＬ構成のためには、該セカンダリＴＤＤ構成ＩＥ（例えば、ＴＤＤ−Ｃｏｎｆｉｇ−ｒ１２  ＩＥ）はリスティング（６）に示されているように定義され得る。
【数６】
2016514910.tif 000011
リスティング（６）
【０１６７】
リスティング（６）において、‘Ｅｘｔｒａ−ＴＤＤ−Ｃｏｎｆｉｇ２’は、第２の余分のＴＤＤ  ＵＬ／ＤＬ構成（例えば、第３ＴＤＤ  ＵＬ／ＤＬ構成）を表すことができる。‘Ｅｘｔｒａ−ＴＤＤ−Ｃｏｎｆｉｇ２’は７つの値のうちの１つ（例えば、ｓａ０、ｓａ１、ｓａ２、ｓａ３、ｓａ４、ｓａ５またはｓａ６）であり得る。
【０１６８】
他の１つのインプリメンテーションでは、様々なＴＤＤ  ＵＬ／ＤＬ構成の全ての組み合わせがＴＤＤ  ＵＬ／ＤＬ構成の組み合わせの表に列挙され得る。許容されるＴＤＤ  ＵＬ／ＤＬ再構成範囲を示すためにＴＤＤ  ＵＬ／ＤＬ構成の組み合わせ（例えば、表項目）のインデックスが使用され得る。
【０１６９】
１つのアプローチでは、ＴＤＤ  ＵＬ／ＤＬ構成の順序は考慮されない。従って、表（１）に示されているように、様々なＴＤＤ  ＵＬ／ＤＬ構成の合計２１個の組み合わせが可能である。
【表１】
2016514910.tif 000012
表（１）
【０１７０】
表（１）は、ＴＤＤ  ＵＬ／ＤＬ構成の組み合わせとフレキシブルサブフレームとの関係も示している。この関係は上記および下記のどの方法にも適用され得る。
【０１７１】
第２のアプローチでは、ＴＤＤ  ＵＬ／ＤＬ構成の順序が考慮される。従って、表（２）に示されているように、様々なＴＤＤ  ＵＬ／ＤＬ構成の合計４２個の組み合わせが可能である。
【表２】
2016514910.tif 000013
（表２）
【０１７２】
様々なＴＤＤ  ＵＬ／ＤＬ構成の組み合わせの表（例えば、表（１）および表（２））は、ＴＤＤ  ｅＩＭＴＡ再構成表と称されてもよい。セカンダリＴＤＤ構成ＩＥ（例えば、ＴＤＤ−Ｃｏｎｆｉｇ−ｒ１２  ＩＥ）は、リスティング（７）に示されているＴＤＤ  ＵＬ／ＤＬ構成の組み合わせのインデックスを示すことができる。
【数７】
2016514910.tif 000014
リスティング（７）
【０１７３】
リスティング（７）において、‘ＴＤＤ−Ｃｏｎｆｉｇ−Ｃｏｍｂｉｎａｔｉｏｎ’は、ＴＤＤ  ＵＬ／ＤＬ構成の組み合わせを表す。‘ＴＤＤ−Ｃｏｎｆｉｇ−Ｃｏｍｂｉｎａｔｉｏｎ’の値は、表（１）または表（２）からのインデックス値のうちの１つであり得る。
【０１７４】
セカンダリ構成情報１３０（例えば、セカンダリＴＤＤ  ＵＬ／ＤＬ構成またはｅＩＭＴＡ再構成範囲）をシグナリングするために、セカンダリＴＤＤ構成ＩＥ（例えば、ＴＤＤ−Ｃｏｎｆｉｇ−ｒ１２  ＩＥ）はＳＩＢ１および／またはＲＲＣシグナリングに含まれ得る。動的ＴＤＤ  ＵＬ／ＤＬ再構成ＰＣｅｌｌおよび動的ＴＤＤ  ＵＬ／ＤＬ再構成ＳＣｅｌｌのために異なるＴＤＤ  ＵＬ／ＤＬ構成シグナリング方法が採用され得る。
【０１７５】
動的ＴＤＤ  ＵＬ／ＤＬ再構成セルがＰＣｅｌｌであるならば、セカンダリ構成情報１３０（例えば、セカンダリＴＤＤ  ＵＬ／ＤＬ構成）はＳＩＢでシグナリングされ得る。例えば、セカンダリＴＤＤ  ＵＬ／ＤＬ構成は、上で定義されたＴＤＤ−Ｃｏｎｆｉｇ−ｒ１２  ＩＥを用いてｔｄｄ−Ｃｏｎｆｇ−ｒ１２フィールドによりＳｙｓｔｅｍＩｎｆｏｒｍａｔｉｏｎＢｌｏｃｋＴｙｐｅ１メッセージ内のｎｏｎＣｒｉｔｉｃａｌＥｘｔｅｎｓｉｏｎとしてシグナリングされ得る。該ｔｄｄ−Ｃｏｎｆｉｇ−ｒ１２は、リスティング（８）に示されているようにシグナリングされ得る。条件付き存在ＴＤＤ−ｅＩＭＴＡは、該フィールドが任意であることを意味し、ＴＤＤ  ｅＩＭＴＡセルだけに適用され得る。
【数８】
2016514910.tif 000015
リスティング（８）
【０１７６】
動的ＴＤＤ  ＵＬ／ＤＬ再構成セルがＰＣｅｌｌであるならば、セカンダリ構成情報１３０（例えば、セカンダリＴＤＤ  ＵＬ／ＤＬ構成）は、リスティング（９）に示されているように、拡張ｔｄｄ−Ｃｏｎｆｉｇ−ｒ１２フィールドをＲＲＣブロック（例えば、ＲａｄｉｏＲｅｓｏｕｒｃｅＣｏｎｆｉｇＣｏｍｍｏｎ）に付け加えることによってもシグナリングされ得る。セカンダリ構成情報１３０のＲＲＣ共通メッセージシグナリングは、独立にあるいはＳＩＢ１シグナリングとともに、使用され得る。リスティング（９）において、ｔｄｄ−Ｃｏｎｆｉｇ−ｒ１２  ＩＥ（ボールドテキストで記載されている）は、ＰＣｅｌｌのためのセカンダリ構成情報１３０を指定するために使用され得る。条件付き存在ＴＤＤ−ｅＩＭＴＡは、該フィールドが任意であることを意味し、ＴＤＤ  ｅＩＭＴＡセルだけに適用され得る。
【数９】
2016514910.tif 000016
リスティング（９）
【０１７７】
動的ＴＤＤ  ＵＬ／ＤＬ再構成セルがＳＣｅｌｌであるならば、セカンダリ構成情報１３０（例えば、セカンダリＴＤＤ  ＵＬ／ＤＬ構成）は、リスティング（１０）に示されているように、拡張ｔｄｄ−Ｃｏｎｆｉｇ−ｒ１２フィールドをＲＲＣブロック（例えば、ＲａｄｉｏＲｅｓｏｕｒｃｅＣｏｎｆｉｇＣｏｍｍｏｎＳＣｅｌｌ−ｒ１０）に付け加えることによってシグナリングされ得る。
【数１０】
2016514910.tif 000017
2016514910.tif 000018
リスティング（１０）
【０１７８】
リスティング（１０）において、ｔｄｄ−Ｃｏｎｆｉｇ−ｒ１２  ＩＥ（ボールドテキストで記載されている）はＳＣｅｌｌのためのセカンダリ構成情報１３０を指定するために使用され得る。条件付き存在ＴＤＤ−ｅＩＭＴＡは、該フィールドが任意であることを意味し、ＴＤＤ−ｅＩＭＴＡセルだけに適用され得る。動的ＴＤＤ  ＵＬ／ＤＬ再構成セルがＳＣｅｌｌであるならば、該ＳＣｅｌｌのためのセカンダリ構成情報１３０をシグナリングするためにＳＩＢは使用されないということに留意するべきである。
【０１７９】
さらに、記載された構成方法はレガシーＵＥ１０２に対して下位互換性を有するということに留意するべきである。レガシーＵＥ１０２は、セカンダリＴＤＤ  ＵＬ／ＤＬ構成を理解せずに無視しようとし、該セルを第１ＴＤＤ  ＵＬ／ＤＬ構成１２８で構成されたレガシーＴＤＤセルとして使用しようとする。新しいセカンダリＴＤＤ構成ＩＥは、ｅＩＭＴＡサポートされるＵＥのための動的再構成のためのＴＤＤ  ＵＬ／ＤＬ再構成範囲を定義する。
【０１８０】
ＵＥ１０２は、第１ＴＤＤ  ＵＬ／ＤＬ構成１２８およびセカンダリ構成情報１３０に基づいて基準ＴＤＤ  ＵＬ／ＤＬ構成を決定する（ステップ２０６）。複数の構成済みＴＤＤ  ＵＬ／ＤＬ構成（例えば、プライマリＴＤＤ  ＵＬ／ＤＬ構成および１つまたは２つのセカンダリＴＤＤ  ＵＬ／ＤＬ構成）はＴＤＤ  ＵＬ／ＤＬ再構成範囲を定める。従って、複数の構成済みＴＤＤ  ＵＬ／ＤＬ構成は、固定サブフレームおよびフレキシブルサブフレームも定める。構成済みＴＤＤ  ＵＬ／ＤＬ構成と同じセッティングで割り当てられるサブフレームは、固定サブフレームである。構成済みＴＤＤ  ＵＬ／ＤＬ構成とは異なるセッティングで割り当てられるサブフレームはフレキシブルサブフレームである。フレキシブルサブフレームはＤＬサブフレームまたはＵＬサブフレームとして使用され得る。従って、フレキシブルサブフレームはＰＤＳＣＨおよびＰＵＳＣＨのアソシエーションタイミングに含まれ得る。複数の構成済みＴＤＤ  ＵＬ／ＤＬ構成は、ＤＬ基準ＴＤＤ  ＵＬ／ＤＬ構成およびＵＬ基準ＴＤＤ  ＵＬ／ＤＬ構成を決定するために使用される（ステップ２０６）。
【０１８１】
ＤＬ基準ＴＤＤ  ＵＬ／ＤＬ構成は、ＰＤＳＣＨオペレーションを実行するために使用され得る。例えば、ＤＬ基準ＴＤＤ  ＵＬ／ＤＬ構成は、表（３）（３ＧＰＰ  ＴＳ３６．２１３の表１０．１．３．１−１から）に示されているように、ＰＤＳＣＨ  ＨＡＲＱ−ＡＣＫレポートタイミングのために使用され得る。表（３）は、ＴＤＤのためのダウンリンクアソシエーションセットインデックス
Ｋ：｛ｋ０、ｋ１、・・・ｋＭ−１｝
を提供し、ここで“ＴＤＤ  ＵＬ／ＤＬ構成”は、ＤＬ基準ＴＤＤ  ＵＬ／ＤＬ構成を指す。
【表３】
2016514910.tif 000019
表（３）
【０１８２】
ＵＥ１０２は、ＰＤＳＣＨ  ＨＡＲＱ−ＡＣＫレスポンスをＵＬサブフレーム‘ｎ’で送信することができる。例えば、ＵＥ１０２は、ＰＤＳＣＨ送信、または、ＵＥ１０２に宛てられていてそれのためにＨＡＲＱ−ＡＣＫレスポンスが提供され得るところの１つまたは複数のサブフレーム
ｎ−ｋ（ここで  ｋ∈Ｋ  であり、Ｋは表（３）で定められている）
内のダウンリンク半永久的スケジューリング（ｓｅｍｉｐｅｒｓｉｓｔｅｎｔ  ｓｃｈｅｄｕｌｉｎｇ（ＳＰＳ））リリース（３ＧＰＰ  ＴＳ３６．２１３のセクション９．２において定義されている）を示すＰＤＣＣＨおよび／またはエンハンスド物理ダウンリンク制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ（ＥＰＤＣＣＨ））、を検出することができる。ＵＥ１０２は、その後、ＨＡＲＱ−ＡＣＫレスポンスをＵＬサブフレーム‘ｎ’で送信することができる。
【０１８３】
ＵＬ基準ＴＤＤ  ＵＬ／ＤＬ構成は、ＰＵＳＣＨオペレーションを実行するために使用され得る。例えば、ＵＬ基準ＴＤＤ  ＵＬ／ＤＬ構成は、ＰＵＳＣＨスケジューリングおよびＰＵＳＣＨ  ＨＡＲＱ−ＡＣＫタイミングのために使用され得る。
【０１８４】
｛１、２、３、４、５、６｝に属する（３ＧＰＰ  ＴＳ３６．２１３のセクション８．０で定義されている）ＵＬ基準ＴＤＤ  ＵＬ／ＤＬ構成を伴うサービングセルのために、サブフレーム‘ｉ’においてＵＥ１０２に割り当てられたＰＨＩＣＨで受信されたＨＡＲＱ−ＡＣＫは、（３ＧＰＰ  ＴＳ３６．２１３の表８．３−１からの）表（４）に示されているように該サービングセルのためのサブフレーム‘ｉ−ｋ’内のＰＵＳＣＨ送信と関連付けられることができ、ここで“ＴＤＤ  ＵＬ／ＤＬ構成”はＵＬ基準ＴＤＤ  ＵＬ／ＤＬ構成を指す。表（４）はサブフレーム番号‘ｉ’に対応する‘ｋ’およびＵＬ基準ＴＤＤ  ＵＬ／ＤＬ構成０−６のための項目を提供する。
【表４】
2016514910.tif 000020
表（４）
【０１８５】
（３ＧＰＰ  ＴＳ３６．２１３のセクション８．０において定義されている）ＵＬ基準ＴＤＤ  ＵＬ／ＤＬ構成０を伴うサービングセルのために、サブフレーム‘ｉ’においてＵＥ１０２に割り当てられた（３ＧＰＰ  ＴＳ３６．２１３のセクション９．１．２において定義されている）
ＩＰＨＩＣＨ＝０
【０１８６】
に対応するリソースにおいてＰＨＩＣＨで受信されたＨＡＲＱ−ＡＣＫは、表（４）のように該サービングセルのためのサブフレーム‘ｉ−ｋ’内のＰＵＳＣＨ送信と関連付けられることができ、ここで“ＴＤＤ  ＵＬ／ＤＬ構成”はＵＬ基準ＴＤＤ  ＵＬ／ＤＬ構成を指す。ＵＬ基準ＴＤＤ  ＵＬ／ＤＬ構成０を伴うサービングセルのために、サブフレーム‘ｉ’においてＵＥ１０２に割り当てられた（３ＧＰＰ  ＴＳ３６．２１３のセクション９．１．２において定義されている）
ＩＰＨＩＣＨ＝１
に対応するリソースにおいてＰＨＩＣＨで受信されたＨＡＲＱ−ＡＣＫは、該サービングセルのためのサブフレーム‘ｉ’−６内のＰＵＳＣＨ送信と関連付けられる。
【０１８７】
一般的に、ＤＬ基準ＴＤＤ  ＵＬ／ＤＬ構成は、全ての固定ＤＬサブフレームおよびダウンリンクとしてのフレキシブルサブフレームを含むことができる。ＵＬ基準ＴＤＤ  ＵＬ／ＤＬ構成は、全ての固定ＵＬサブフレームおよびアップリンクとしてのフレキシブルサブフレームを含むことができる。ＤＬ基準ＴＤＤ  ＵＬ／ＤＬ構成は、第１（例えば、プライマリ）ＴＤＤ  ＵＬ／ＤＬ構成１２８およびセカンダリ構成情報１３０（例えば、セカンダリＴＤＤ  ＵＬ／ＤＬ構成）に基づいて得られ得る。ＤＬ基準ＴＤＤ  ＵＬ／ＤＬ構成は、動的ＴＤＤ  ＵＬ／ＤＬ再構成セルのＰＤＳＣＨ  ＨＡＲＱ−ＡＣＫタイミングのために使用され得る。ＵＬ基準ＴＤＤ  ＵＬ／ＤＬ構成も、第１ＴＤＤ  ＵＬ／ＤＬ構成１２８およびセカンダリ構成情報１３０に基づいて得られ得る。ＵＬ基準ＴＤＤ  ＵＬ／ＤＬ構成は、動的ＴＤＤ  ＵＬ／ＤＬ再構成セルのＰＵＳＣＨスケジューリングおよびＰＵＳＣＨ  ＨＡＲＱ−ＡＣＫタイミングのために使用され得る。
【０１８８】
基準ＴＤＤ  ＵＬ／ＤＬ構成（例えば、ＤＬ基準およびＵＬ基準ＴＤＤ  ＵＬ／ＤＬ構成）は、セカンダリ構成情報１３０がセカンダリＴＤＤ  ＵＬ／ＤＬ構成を１つ含むのかあるいは２つ含むのかによって異なる仕方で決定され得る（ステップ２０６）。例えば、セカンダリ構成情報１３０はセルのための第２ＴＤＤ  ＵＬ／ＤＬ構成を含むことができる。あるいは、セカンダリ構成情報１３０は、セルのための第２ＴＤＤ  ＵＬ／ＤＬ構成および第３ＴＤＤ  ＵＬ／ＤＬ構成を含むことができる。
【０１８９】
１つのシナリオでは、セカンダリ構成情報１３０は動的ＴＤＤ  ＵＬ／ＤＬ再構成セルのための１つの余分のＴＤＤ  ＵＬ／ＤＬ構成を含むことができる。セカンダリ構成情報１３０は、セルのために第２ＴＤＤ  ＵＬ／ＤＬ構成だけを含むことができる。唯一のＴＤＤ  ＵＬ／ＤＬ構成（例えば、第２ＴＤＤ  ＵＬ／ＤＬ構成）がセカンダリＴＤＤ  ＵＬ／ＤＬ構成として構成されるならば、第１ＴＤＤ  ＵＬ／ＤＬ構成１２８および第２ＴＤＤ  ＵＬ／ＤＬ構成は、ＤＬ基準ＴＤＤ  ＵＬ／ＤＬ構成およびＵＬ基準ＤＬ／ＤＬ構成を決定するために使用され得る（ステップ２０６）。換言すれば、基準ＴＤＤ  ＵＬ／ＤＬ構成は第１ＴＤＤ  ＵＬ／ＤＬ構成１２８および第２ＴＤＤ  ＵＬ／ＤＬ構成に基づいて決定することができる。
【０１９０】
１つのインプリメンテーションでは、第１ＴＤＤ  ＵＬ／ＤＬ構成１２８および第２ＴＤＤ  ＵＬ／ＤＬ構成は、任意の組み合わせであってよい。ＤＬ基準ＴＤＤ  ＵＬ／ＤＬ構成は、全ての固定ＤＬサブフレームおよびダウンリンクとしてのフレキシブルサブフレームを含むことができる。換言すれば、ＤＬ基準ＴＤＤ  ＵＬ／ＤＬ構成は、第１ＴＤＤ  ＵＬ／ＤＬ構成１２８および第２ＴＤＤ  ＵＬ／ＤＬ構成の中の、オーバーラップするＵＬサブフレームを伴うＴＤＤ  ＵＬ／ＤＬ構成であることができる。
【０１９１】
ＤＬ基準ＴＤＤ  ＵＬ／ＤＬ構成は、現存するＴＤＤ  ＵＬ／ＤＬ構成から選択され得る。第１ＴＤＤ  ＵＬ／ＤＬ構成１２８および第２ＴＤＤ  ＵＬ／ＤＬ構成の中の、オーバーラップするＵＬサブフレームを伴うＴＤＤ  ＵＬ／ＤＬ構成が現存する標準的ＴＤＤ  ＵＬ／ＤＬ構成（０−６）でなければ、図６に示されているように、より少数のＵＬ割り当てを伴う最も近い標準的ＴＤＤ  ＵＬ／ＤＬ構成がＤＬ基準ＴＤＤ  ＵＬ／ＤＬ構成として選択され得る。ＤＬ基準ＴＤＤ  ＵＬ／ＤＬ構成は、第１ＴＤＤ  ＵＬ／ＤＬ構成１２８および第２ＴＤＤ  ＵＬ／ＤＬ構成のうちの１つと同じであってもよい。ＤＬ基準ＴＤＤ  ＵＬ／ＤＬ構成は、第１ＴＤＤ  ＵＬ／ＤＬ構成１２８および第２ＴＤＤ  ＵＬ／ＤＬ構成の両方と異なっていてもよい。
【０１９２】
ＵＬ基準ＴＤＤ  ＵＬ／ＤＬ構成は、全ての固定ＵＬサブフレームおよびアップリンクとしてのフレキシブルサブフレームを含むべきである。換言すれば、ＵＬ基準ＴＤＤ  ＵＬ／ＤＬ構成は、第１ＴＤＤ  ＵＬ／ＤＬ構成１２８および第２ＴＤＤ  ＵＬ／ＤＬ構成の中の、オーバーラップするＤＬサブフレームまたは特別サブフレームを伴うＴＤＤ  ＵＬ／ＤＬ構成であってよい。ＵＬ基準ＴＤＤ  ＵＬ／ＤＬ構成は、第１ＴＤＤ  ＵＬ／ＤＬ構成１２８および第２ＴＤＤ  ＵＬ／ＤＬ構成の中の、ＵＬサブフレームのスーパーセットを伴うＴＤＤ  ＵＬ／ＤＬ構成であってもよい。
【０１９３】
ＵＬ基準ＴＤＤ  ＵＬ／ＤＬ構成は、現存するＴＤＤ  ＵＬ／ＤＬ構成から選択され得る。第１ＴＤＤ  ＵＬ／ＤＬ構成１２８および第２ＴＤＤ  ＵＬ／ＤＬ構成の中の、オーバーラップするＤＬサブフレームまたは特別サブフレームを伴うＴＤＤ  ＵＬ／ＤＬ構成が現存する標準的ＴＤＤ  ＵＬ／ＤＬ構成（０−６）でなければ、図６に示されているように、より多くのＵＬ割り当てを伴う最も近い標準的ＴＤＤ  ＵＬ／ＤＬ構成がＵＬ基準ＴＤＤ  ＵＬ／ＤＬ構成として選択され得る。ＵＬ基準ＴＤＤ  ＵＬ／ＤＬ構成は、第１ＴＤＤ  ＵＬ／ＤＬ構成１２８および第２ＴＤＤ  ＵＬ／ＤＬ構成のうちの１つと同じであってよい。ＵＬ基準ＴＤＤ  ＵＬ／ＤＬ構成は、第１ＴＤＤ  ＵＬ／ＤＬ構成１２８および第２ＴＤＤ  ＵＬ／ＤＬ構成の両方と異なってもよい。
【０１９４】
ＴＤＤ  ＵＬ／ＤＬ構成の全ての組み合わせについてＤＬ基準ＴＤＤ  ＵＬ／ＤＬ構成およびＵＬ基準ＴＤＤ  ＵＬ／ＤＬ構成が表（５）に列挙されている。フレキシブルサブフレームについては、第１（例えば、プライマリ）ＴＤＤ  ＵＬ／ＤＬ構成１２８の方向は、ＰＨＹレイヤのシグナリングが別様にシグナリングされるのでなければ、デフォルトとして使用され得る。表（５）は、該表がどのように生成されるかとは無関係に予め定められてもよく、ＵＥ１０２によってＤＬ基準ＴＤＤ  ＵＬ／ＤＬ構成および／またはＵＬ基準ＴＤＤ  ＵＬ／ＤＬ構成を決定するために使用され得る（ステップ２０６）。
【表５】
2016514910.tif 000021
【０１９５】
他の１つのインプリメンテーションでは、第１（例えば、プライマリ）ＴＤＤ  ＵＬ／ＤＬ構成１２８がＤＬ基準ＴＤＤ  ＵＬ／ＤＬ構成として使用され第２ＴＤＤ  ＵＬ／ＤＬ構成がＵＬ基準ＴＤＤ  ＵＬ／ＤＬ構成として使用されるように、ＴＤＤ  ＵＬ／ＤＬ構成の順序が固定される。このインプリメンテーションでは、ｅＮＢ１６０は、該ＴＤＤ  ＵＬ／ＤＬ構成間に衝突が無いことを確かめるべきである。従って、第１ＵＬ／ＤＬ構成１２８のＤＬサブフレームは第２ＵＬ／ＤＬ構成のＤＬサブフレームのスーパーセットであるべきであり、第１ＵＬ／ＤＬ構成１２８のＵＬサブフレームは第２ＵＬ／ＤＬ構成のＵＬサブフレームのサブセットであるべきである。例えば、第１ＴＤＤ  ＵＬ／ＤＬ構成１２８および第２ＴＤＤ  ＵＬ／ＤＬ構成は、表（５）に列挙されているＤＬ基準ＴＤＤ  ＵＬ／ＤＬ構成およびＵＬ基準ＴＤＤ  ＵＬ／ＤＬ構成に基づいて選択されるべきである。従って、ＴＤＤ  ＵＬ／ＤＬ構成の必ずしも全ての組み合わせがサポートされるわけではない。
【０１９６】
さらに他の１つのインプリメンテーションでは、ＴＤＤ  ＵＬ／ＤＬ構成の順序は、第１（例えば、プライマリ）ＴＤＤ  ＵＬ／ＤＬ構成１２８がＵＬ基準ＴＤＤ  ＵＬ／ＤＬ構成であり第２ＴＤＤ  ＵＬ／ＤＬ構成がＤＬ基準ＴＤＤ  ＵＬ／ＤＬ構成であるように、固定される。このインプリメンテーションでは、ｅＮＢ１６０は、該ＴＤＤ  ＵＬ／ＤＬ構成間に衝突が無いことを確かめるべきである。従って、第１ＵＬ／ＤＬ構成１２８のＤＬサブフレームは第２ＵＬ／ＤＬ構成のＤＬサブフレームのサブセットであるべきであり、第１ＵＬ／ＤＬ構成１２８のＵＬサブフレームは第２ＵＬ／ＤＬ構成のＵＬサブフレームのスーパーセットであるべきである。例えば、第１ＴＤＤ  ＵＬ／ＤＬ構成１２８および第２ＴＤＤ  ＵＬ／ＤＬ構成は、表（５）に列挙されているＵＬ基準ＴＤＤ  ＵＬ／ＤＬ構成およびＤＬ基準ＴＤＤ  ＵＬ／ＤＬ構成に基づいて選択されるべきである。従って、ＴＤＤ  ＵＬ／ＤＬ構成の必ずしも全てがサポートされるわけではない。
【０１９７】
他の１つのシナリオでは、セカンダリ構成情報１３０は、動的ＴＤＤ  ＵＬ／ＤＬ再構成セルのための２つの余分のＴＤＤ  ＵＬ／ＤＬ構成を含むことができる。該２つの余分のＴＤＤ  ＵＬ／ＤＬ構成は第２ＴＤＤ  ＵＬ／ＤＬ構成および第３ＴＤＤ  ＵＬ／ＤＬ構成であり得るが、該第２ＴＤＤ  ＵＬ／ＤＬ構成および第３ＴＤＤ  ＵＬ／ＤＬ構成はセカンダリＴＤＤ  ＵＬ／ＤＬ構成として構成され得る。このシナリオでは、ＤＬ基準ＴＤＤ  ＵＬ／ＤＬ構成およびＵＬ基準ＴＤＤ  ＤＬ／ＤＬ構成を決定するために（ステップ２０６）幾つかのアプローチがある。
【０１９８】
１つのアプローチでは、基準ＴＤＤ  ＵＬ／ＤＬ構成を決定するために（ステップ２０６）セカンダリＴＤＤ  ＵＬ／ＤＬ構成だけが使用される。換言すれば、基準ＴＤＤ  ＵＬ／ＤＬ構成は、第２ＴＤＤ  ＵＬ／ＤＬ構成および第３ＴＤＤ  ＵＬ／ＤＬ構成に基づいて決定され得る。表（５）が使用されるとよく、この表においてＴＤＤ  ＵＬ／ＤＬ構成の組み合わせは２つのセカンダリＵＬ−ＤＬ構成である。このアプローチでは、プライマリＴＤＤ  ＵＬ／ＤＬ構成はセカンダリＴＤＤ  ＵＬ／ＤＬ構成のうちの１つと同じであり得る。あるいは、プライマリＴＤＤ  ＵＬ／ＤＬ構成は２つのセカンダリＴＤＤ  ＵＬ／ＤＬ構成とは異なり得る。プライマリＴＤＤ  ＵＬ／ＤＬ構成は、フレキシブルサブフレームのデフォルト方向を決定するために使用され得る。セカンダリＴＤＤ  ＵＬ／ＤＬ構成に基づいて基準ＴＤＤ  ＵＬ／ＤＬ構成を決定する（ステップ２０６）ために３つのインプリメンテーションがある。
【０１９９】
１つのインプリメンテーションでは、ＴＤＤ  ＵＬ／ＤＬ構成のどの組み合わせもサポートされる。ＤＬ基準ＴＤＤ  ＵＬ／ＤＬ構成およびＵＬ基準ＴＤＤ  ＵＬ／ＤＬ構成は表（５）に基づいて決定され得る。
【０２００】
他の１つのインプリメンテーションでは、２つのセカンダリＴＤＤ  ＵＬ／ＤＬ構成（例えば、第２および第３ＴＤＤ  ＵＬ／ＤＬ構成）の中で、ＴＤＤ  ＵＬ／ＤＬ構成の順序は固定される。第２ＴＤＤ  ＵＬ／ＤＬ構成はＤＬ基準ＴＤＤ  ＵＬ／ＤＬ構成として使用され得る。第３ＴＤＤ  ＵＬ／ＤＬ構成はＵＬ基準ＴＤＤ  ＵＬ／ＤＬ構成として使用され得る。ｅＮＢ１６０は、該ＴＤＤ  ＵＬ／ＤＬ構成間に衝突が無いことを確かめるべきである。従って、第２ＵＬ／ＤＬ構成のＤＬサブフレームは第３ＵＬ／ＤＬ構成のＤＬサブフレームのスーパーセットであるべきであり、第２ＵＬ／ＤＬ構成のＵＬサブフレームは第３ＵＬ／ＤＬ構成のＵＬサブフレームのサブセットであるべきである。例えば、第２ＴＤＤ  ＵＬ／ＤＬ構成および第３ＴＤＤ  ＵＬ／ＤＬ構成は、表（５）に列挙されているＤＬ基準ＴＤＤ  ＵＬ／ＤＬ構成およびＵＬ基準ＴＤＤ  ＵＬ／ＤＬ構成に基づいて選択され得る。従って、ＴＤＤ  ＵＬ／ＤＬ構成の必ずしもすべての組み合わせがサポートされるわけではない。
【０２０１】
さらに他の１つのインプリメンテーションでは、２つのセカンダリＴＤＤ  ＵＬ／ＤＬ構成（例えば、第２および第３ＴＤＤ  ＵＬ／ＤＬ構成）の中で、該ＴＤＤ  ＵＬ／ＤＬ構成の順序は固定される。第２ＴＤＤ  ＵＬ／ＤＬ構成はＵＬ基準ＴＤＤ  ＵＬ／ＤＬ構成として使用され得る。第３ＴＤＤ  ＵＬ／ＤＬ構成はＤＬ基準ＴＤＤ  ＵＬ／ＤＬ構成として使用され得る。ｅＮＢ１６０は、該ＴＤＤ  ＵＬ／ＤＬ構成間に衝突が無いことを確かめるべきである。従って、第２ＵＬ／ＤＬ構成のＤＬサブフレームは第３ＵＬ／ＤＬ構成のＤＬサブフレームのサブセットであるべきであり、第２ＵＬ／ＤＬ構成のＵＬサブフレームは第３ＵＬ／ＤＬ構成のＵＬサブフレームのスーパーセットであるべきである。例えば、第２ＴＤＤ  ＵＬ／ＤＬ構成および第３ＴＤＤ  ＵＬ／ＤＬ構成は、表（５）に列挙されているＵＬ基準ＴＤＤ  ＵＬ／ＤＬ構成およびＤＬ基準ＴＤＤ  ＵＬ／ＤＬ構成に基づいて選択され得る。従って、ＴＤＤ  ＵＬ／ＤＬ構成の必ずしもすべての組み合わせがサポートされるわけではない。
【０２０２】
他の１つのアプローチでは、プライマリＴＤＤ  ＵＬ／ＤＬ構成と２つのセカンダリＴＤＤ  ＵＬ／ＤＬ構成の両方とが基準ＴＤＤ  ＵＬ／ＤＬ構成を決定するために使用される（ステップ２０６）。換言すれば、基準ＴＤＤ  ＵＬ／ＤＬ構成は第１ＴＤＤ  ＵＬ／ＤＬ構成１２８、第２ＴＤＤ  ＵＬ／ＤＬ構成および第３ＴＤＤ  ＵＬ／ＤＬ構成に基づくことができる。第１（例えば、プライマリ）ＴＤＤ  ＵＬ／ＤＬ構成１２８およびセカンダリＴＤＤ  ＵＬ／ＤＬ構成は、任意の組み合わせであってよい。
【０２０３】
ＤＬ基準ＴＤＤ  ＵＬ／ＤＬ構成は、第１ＴＤＤ  ＵＬ／ＤＬ構成１２８および２つのセカンダリＴＤＤ  ＵＬ／ＤＬ構成の中のオーバーラップするＵＬサブフレームを伴うＴＤＤ  ＵＬ／ＤＬ構成であってよい。ＤＬ基準ＴＤＤ  ＵＬ／ＤＬ構成は、現存するＴＤＤ  ＵＬ／ＤＬ構成から選択され得る。第１ＴＤＤ  ＵＬ／ＤＬ構成１２８および２つのセカンダリＴＤＤ  ＵＬ／ＤＬ構成の中のオーバーラップするＵＬサブフレームを伴うＴＤＤ  ＵＬ／ＤＬ構成が現存する標準的ＴＤＤ  ＵＬ／ＤＬ構成（０−６）でなければ、より少ないＵＬ割り当てを伴う最も近い標準的ＴＤＤ  ＵＬ／ＤＬ構成がＤＬ基準ＴＤＤ  ＵＬ／ＤＬ構成として選択され得る。ＤＬ基準ＴＤＤ  ＵＬ／ＤＬ構成は、第１ＴＤＤ  ＵＬ／ＤＬ構成１２８の１つまたはセカンダリＴＤＤ  ＵＬ／ＤＬ構成のうちの１つと同じであり得る。あるいは、ＤＬ基準ＴＤＤ  ＵＬ／ＤＬ構成は第１ＴＤＤ  ＵＬ／ＤＬ構成１２８およびセカンダリＴＤＤ  ＵＬ／ＤＬ構成の両方と異なってもよい。
【０２０４】
ＵＬ基準ＴＤＤ  ＵＬ／ＤＬ構成は、第１ＴＤＤ  ＵＬ／ＤＬ構成１２８および２つのセカンダリＴＤＤ  ＵＬ／ＤＬ構成の中のオーバーラップするＤＬまたは特別サブフレームを伴うＴＤＤ  ＵＬ／ＤＬ構成であり得る。ＵＬ基準ＴＤＤ  ＵＬ／ＤＬ構成は、第１ＴＤＤ  ＵＬ／ＤＬ構成１２８および２つのセカンダリＴＤＤ  ＵＬ／ＤＬ構成の中のＵＬサブフレームのスーパーセットを伴うＴＤＤ  ＵＬ／ＤＬ構成でもあり得る。ＵＬ基準ＴＤＤ  ＵＬ／ＤＬ構成は、現存するＴＤＤ  ＵＬ／ＤＬ構成から選択され得る。第１ＴＤＤ  ＵＬ／ＤＬ構成１２８およびセカンダリＴＤＤ  ＵＬ／ＤＬ構成の中のオーバーラップするＤＬまたは特別サブフレームを伴うＴＤＤ  ＵＬ／ＤＬ構成が現存する標準的ＴＤＤ  ＵＬ／ＤＬ構成（０−６）でなければ、より多くのＵＬ割り当てを伴う最も近い標準的ＴＤＤ  ＵＬ／ＤＬ構成がＵＬ基準ＴＤＤ  ＵＬ／ＤＬ構成として選択され得る。ＵＬ基準ＴＤＤ  ＵＬ／ＤＬ構成は、第１ＴＤＤ  ＵＬ／ＤＬ構成１２８またはセカンダリＴＤＤ  ＵＬ／ＤＬ構成のうちの１つと同じであり得る。ＵＬ基準ＴＤＤ  ＵＬ／ＤＬ構成は、第１ＴＤＤ  ＵＬ／ＤＬ構成１２８およびセカンダリＴＤＤ  ＵＬ／ＤＬ構成の両方と異なってもよい。
【０２０５】
表（５）は、ＤＬ基準ＴＤＤ  ＵＬ／ＤＬ構成およびＵＬ基準ＴＤＤ  ＵＬ／ＤＬ構成を決定する（ステップ２０６）ために使用され得る。このことは２ステップで成し遂げられ得る。
【０２０６】
動的ＴＤＤ  ＵＬ／ＤＬ再構成セルのＤＬ基準ＴＤＤ  ＵＬ／ＤＬ構成のために、最初に、２つのセカンダリＴＤＤ  ＵＬ／ＤＬ構成（すなわち、第２ＴＤＤ  ＵＬ／ＤＬ構成および第３ＴＤＤ  ＵＬ／ＤＬ構成）の組み合わせに基づくセカンダリＤＬ基準ＴＤＤ  ＵＬ／ＤＬ構成が決定され得る。次に動的ＴＤＤ  ＵＬ／ＤＬ再構成セルのＤＬ基準ＴＤＤ  ＵＬ／ＤＬ構成がプライマリＴＤＤ  ＵＬ／ＤＬ構成（例えば、第１ＴＤＤ  ＵＬ／ＤＬ構成１２８）およびセカンダリＤＬ基準ＴＤＤ  ＵＬ／ＤＬ構成の組み合わせに基づいて決定され得る（ステップ２０６）。
【０２０７】
動的ＴＤＤ  ＵＬ／ＤＬ再構成セルのＵＬ基準ＴＤＤ  ＵＬ／ＤＬ構成のために、最初に２つのセカンダリＴＤＤ  ＵＬ／ＤＬ構成（すなわち、第２ＴＤＤ  ＵＬ／ＤＬ構成および第３ＴＤＤ  ＵＬ／ＤＬ構成）の組み合わせに基づくセカンダリＵＬ基準ＴＤＤ  ＵＬ／ＤＬ構成が決定され得る。次に動的ＴＤＤ  ＵＬ／ＤＬ再構成セルのＵＬ基準ＴＤＤ  ＵＬ／ＤＬ構成が、プライマリＴＤＤ  ＵＬ／ＤＬ構成（例えば、第１ＴＤＤ  ＵＬ／ＤＬ構成１２８）およびセカンダリＵＬ基準ＴＤＤ  ＵＬ／ＤＬ構成の組み合わせに基づいて決定され得る（ステップ２０６）。
【０２０８】
レガシーＵＥ１０２は、第１ＴＤＤ  ＵＬ／ＤＬ構成１２８（例えば、プライマリＴＤＤ  ＵＬ／ＤＬ構成）だけを受信することができ（ステップ２０２）、該セルを第１ＴＤＤ  ＵＬ／ＤＬ構成１２８を伴うレガシーＴＤＤセルであると想定するということに留意するべきである。もし動的ＴＤＤ  ＵＬ／ＤＬ再構成セルがＰＣｅｌｌであって、セカンダリＴＤＤ  ＵＬ／ＤＬ構成がＳＩＢ１メッセージで送信されるならば、レガシーＵＥ１０２はセカンダリＴＤＤ構成ＩＥ（例えば、ｔｄｄ−Ｃｏｎｆｉｇ−ｒ１２フィールド）を無視することができる。
【０２０９】
動的ＴＤＤ  ＵＬ／ＤＬ再構成セルで構成されたＲｅｌｅａｓｅ−１２  ＵＥ１０２は、プライマリＴＤＤ  ＵＬ／ＤＬ構成および１つまたは複数のセカンダリＴＤＤ  ＵＬ／ＤＬ構成の両方を受信することができる（ステップ２０２、２０４）。セカンダリＴＤＤ  ＵＬ／ＤＬ構成は、セル特有またはＵＥ特有であり得る。
【０２１０】
もし動的ＴＤＤ  ＵＬ／ＤＬ再構成セルがＰＣｅｌｌであり、セカンダリＴＤＤ  ＵＬ／ＤＬ構成がＳＩＢ１メッセージで送信されるならば、該動的ＴＤＤ  ＵＬ／ＤＬ再構成セルのためのセカンダリＴＤＤ  ＵＬ／ＤＬ構成はセル特有であるべきである。もし動的ＴＤＤ  ＵＬ／ＤＬ再構成セルがＰＣｅｌｌであり、セカンダリＴＤＤ  ＵＬ／ＤＬ構成がＲＲＣ共通メッセージブロックだけで送信されるならば、ＲＲＣ共通メッセージはＵＥ特有であり得る。ＵＥ１０２は該ＵＥ特有ＴＤＤ  ＵＬ／ＤＬ構成が動的ＴＤＤ  ＵＬ／ＤＬ再構成セルに適用されると想定することができる。
【０２１１】
動的ＴＤＤ  ＵＬ／ＤＬ再構成セルがＳＣｅｌｌであるならば、セカンダリＴＤＤ  ＵＬ／ＤＬ構成はＲＲＣ共通メッセージブロックでＵＥ特有の仕方で送信され得るにすぎない。ＵＥ１０２は、該ＵＥ特有ＴＤＤ  ＵＬ／ＤＬ構成が動的ＴＤＤ  ＵＬ／ＤＬ再構成セルに適用されると想定することができる。
【０２１２】
図３はｅＮＢ１６０による構成シグナリングのための方法３００の１つのインプリメンテーションを示す流れ図である。ｅＮＢ１６０は動的ＴＤＤ  ＵＬ／ＤＬ再構成で構成され得る（例えば、ｅＩＭＴＡサポート）。ｅＮＢ１６０はセルのための第１ＴＤＤ  ＵＬ／ＤＬ構成１２８を送信する（ステップ３０２）。
【０２１３】
セルは動的ＴＤＤ  ＵＬ／ＤＬ再構成セル（例えば、ｅＩＭＴＡセル）である。動的ＴＤＤ  ＵＬ／ＤＬ再構成セルはプライマリサービングセル（ＰＣｅｌｌ）またはセカンダリサービングセル（ＳＣｅｌｌ）として使用される。ｅＩＭＴＡ  ＰＣｅｌｌおよびｅＩＭＴＡ  ＳＣｅｌｌのために異なるＴＤＤ  ＵＬ／ＤＬ構成シグナリング方法が採用され得る。ｅＮＢ１６０は、ＵＥ１０２をサービングセルで構成するためにシグナリングを送信する（ステップ３０２）。該シグナリングは、サービングセルのための第１ＴＤＤ  ＵＬ／ＤＬ構成１２８を示す。
【０２１４】
第１ＴＤＤ  ＵＬ／ＤＬ構成１２８は、セルのためのデフォルトＴＤＤ  ＵＬ／ＤＬ構成であり得る。第１ＴＤＤ  ＵＬ／ＤＬ構成１２８は、プライマリＴＤＤ  ＵＬ／ＤＬ構成と称されてもよい。第１ＴＤＤ  ＵＬ／ＤＬ構成１２８は、図２と関連して上で記載されたようにシグナリングされ得る。例えば、第１ＴＤＤ  ＵＬ／ＤＬ構成１２８は、ＰＣｅｌｌのためにＲｅｌｅａｓｅ−８、９、１０および１１のようにｔｄｄ−Ｃｏｎｆｉｇ情報エレメント（ＩＥ）によってシグナリングされ得る。
【０２１５】
セルがＰＣｅｌｌであるならば、１つのインプリメンテーションにおいて、ｅＮＢ１６０は第１ＴＤＤ  ＵＬ／ＤＬ構成１２８をＳＩＢ１ブロック内のｔｄｄ−Ｃｏｎｆｉｇフィールドで送信することができる（ステップ３０２）。第１ＴＤＤ  ＵＬ／ＤＬ構成１２８のＳＩＢでのシグナリングの例が上記のリスティング（１）に示されている。ＴＤＤ−ｃｏｎｆｉｇ  ＩＥは、ＴＤＤ特有物理チャネル構成を上記リスティング（２）に示されているように指定することができる。
【０２１６】
他の１つのインプリメンテーションにおいて、セルがＰＣｅｌｌであるならば、ｅＮＢ１６０は第１ＴＤＤ  ＵＬ／ＤＬ構成１２８をＲＲＣ共通メッセージで送信する（ステップ３０２）。例えば、セルの第１ＴＤＤ  ＵＬ／ＤＬ構成１２８を示すためにＲＲＣ共通ブロック内のｔｄｄ−Ｃｏｎｆｉｇフィールドが使用される。ＲＲＣ共通ブロックでの第１ＴＤＤ  ＵＬ／ＤＬ構成１２８のシグナリングの例が上記リスティング（３）に示されている。
【０２１７】
セルがＳＣｅｌｌであるならば、ｅＮＢ１６０は第１ＴＤＤ  ＵＬ／ＤＬ構成１２８をＲＲＣ共通メッセージで送信することもできる（ステップ３０２）。ＳＣｅｌｌの第１ＴＤＤ  ＵＬ／ＤＬ構成１２８のＲＲＣ共通ブロックでのシグナリングの例が上記リスティング（４）に示されている。
【０２１８】
ｅＮＢ１６０は、セルのためのセカンダリ構成情報１３０を送信する（ステップ３０４）。１つのインプリメンテーションでは、ｅＮＢ１６０はセカンダリ構成情報１３０を第１ＴＤＤ  ＵＬ／ＤＬ構成１２８と同じメッセージ（例えば、ＳＩＢまたはＲＲＣ）で送信する（ステップ３０４）。他の１つのインプリメンテーションでは、ｅＮＢ１６０はセカンダリ構成情報１３０を第１ＴＤＤ  ＵＬ／ＤＬ構成１２８とは別のメッセージ（例えば、ＳＩＢまたはＲＲＣ）で送信する（ステップ３０４）。
【０２１９】
セカンダリ構成情報１３０は、許容されるＴＤＤ  ＵＬ／ＤＬ再構成範囲を含むことができる。ＴＤＤ  ＵＬ／ＤＬ再構成範囲は、ＴＤＤ  ＵＬ／ＤＬ構成のセット、または２つのＴＤＤ  ＵＬ／ＤＬ構成間の任意の状態であることができる。
【０２２０】
１つのインプリメンテーションでは、第１ＴＤＤ  ＵＬ／ＤＬ構成１２８の他に、少なくとも第２ＴＤＤ  ＵＬ／ＤＬ構成が動的ＴＤＤ  ＵＬ／ＤＬ再構成セルのために構成され得る。他の１つのインプリメンテーションでは、第１ＴＤＤ  ＵＬ／ＤＬ構成１２８の他に第２ＴＤＤ  ＵＬ／ＤＬ構成および第３ＴＤＤ  ＵＬ／ＤＬ構成が構成され得る。
【０２２１】
ｅＮＢ１６０は、セカンダリ構成情報１３０をセカンダリＴＤＤ構成ＩＥで送信することもできる（ステップ３０４）。セカンダリＴＤＤ構成ＩＥは、１つまたは２つのセカンダリＴＤＤ  ＵＬ／ＤＬ構成（例えば、第２または第３ＴＤＤ  ＵＬ／ＤＬ構成）を含むことができる。
【０２２２】
１つのインプリメンテーションでは、セカンダリＴＤＤ  ＵＬ／ＤＬ構成は、セカンダリＴＤＤ構成ＩＥで示される。１つの余分のＴＤＤ  ＵＬ／ＤＬ構成のために、ｅＮＢ１６０は、上記リスティング（５）に示されているようにセカンダリＴＤＤ構成ＩＥを送信する（ステップ３０４）。２つの余分のＴＤＤ  ＵＬ／ＤＬ構成のために、ｅＮＢ１６０は上記リスティング（６）に示されているようにセカンダリＴＤＤ構成ＩＥを送信する（ステップ３０４）。
【０２２３】
他の１つのインプリメンテーションでは、上記の表（１）および表（２）に示されているように、異なるＴＤＤ  ＵＬ／ＤＬ構成の全ての組み合わせがＴＤＤ  ＵＬ／ＤＬ構成の組み合わせの表において列挙され得る。許容されるＴＤＤ  ＵＬ／ＤＬ再構成範囲を示すために表項目のインデックスが使用され得る。
【０２２４】
動的ＴＤＤ  ＵＬ／ＤＬ再構成ＰＣｅｌｌおよび動的ＴＤＤ  ＵＬ／ＤＬ再構成ＳＣｅｌｌのために異なるＴＤＤ  ＵＬ／ＤＬ構成シグナリング方法が採用され得る。動的ＴＤＤ  ＵＬ／ＤＬ再構成セルがＰＣｅｌｌであるならば、セカンダリＴＤＤ  ＵＬ／ＤＬ構成は、上記リスティング（８）に示されているようにＳＩＢで、あるいは上記リスティング（９）に示されているようにＲＲＣブロックで、シグナリングされ得る。動的ＴＤＤ  ＵＬ／ＤＬ再構成セルがＳＣｅｌｌであるならば、セカンダリ構成情報１３０は、上記リスティング（１０）に示されているように、ＲＲＣブロックに拡張ｔｄｄ−Ｃｏｎｆｉｇ−ｒ１２フィールドを付け加えることによってシグナリングされ得る。
【０２２５】
ｅＮＢ１６０は、第１ＴＤＤ  ＵＬ／ＤＬ構成１２８およびセカンダリ構成情報１３０のいずれかまたは両方に基づいて基準ＴＤＤ  ＵＬ／ＤＬ構成を決定する（ステップ３０６）。ＤＬ基準ＴＤＤ  ＵＬ／ＤＬ構成は、第１（例えば、プライマリ）ＴＤＤ  ＵＬ／ＤＬ構成１２８およびセカンダリ構成情報１３０（例えば、セカンダリＴＤＤ  ＵＬ／ＤＬ構成）のいずれかまたは両方に基づいて決定される（ステップ３０６）。ＤＬ基準ＴＤＤ  ＵＬ／ＤＬ構成は、動的ＴＤＤ  ＵＬ／ＤＬ再構成セルのＰＤＳＣＨ  ＨＡＲＱ−ＡＣＫタイミングのために使用される。ＵＬ基準ＴＤＤ  ＵＬ／ＤＬ構成も、第１ＴＤＤ  ＵＬ／ＤＬ構成１２８およびセカンダリ構成情報１３０のいずれかまたは両方に基づいて決定される（ステップ３０６）。ＵＬ基準ＴＤＤ  ＵＬ／ＤＬ構成は、動的ＴＤＤ  ＵＬ／ＤＬ再構成セルのＰＵＳＣＨスケジューリングおよび、ＰＵＳＣＨ  ＨＡＲＱ−ＡＣＫタイミングのために使用される。
【０２２６】
基準ＴＤＤ  ＵＬ／ＤＬ構成（例えば、ＤＬ基準およびＵＬ基準ＴＤＤ  ＵＬ／ＤＬ構成）は、セカンダリ構成情報１３０がセカンダリＴＤＤ  ＵＬ／ＤＬ構成を１つ含むか２つ含むかによって異なる仕方で決定される（ステップ３０６）。
【０２２７】
１つのシナリオでは、セカンダリ構成情報１３０は１つの余分のＴＤＤ  ＵＬ／ＤＬ構成を含むことができ、そのＴＤＤ  ＵＬ／ＤＬ構成は第２ＴＤＤ  ＵＬ／ＤＬ構成であり得る。１つのインプリメンテーションでは、ＤＬ基準ＴＤＤ  ＵＬ／ＤＬ構成は、図２と関連して上で記載されたように、現存するＴＤＤ  ＵＬ／ＤＬ構成から選択され得る。例えば、もし第１ＴＤＤ  ＵＬ／ＤＬ構成１２８および第２ＴＤＤ  ＵＬ／ＤＬ構成の中のオーバーラップするＵＬサブフレームを伴うＴＤＤ  ＵＬ／ＤＬ構成が現存する標準的ＴＤＤ  ＵＬ／ＤＬ構成（０−６）でなければ、上で表（５）に示されているように、より少数のＵＬ割り当てを伴う最も近い標準的ＴＤＤ  ＵＬ／ＤＬ構成がＤＬ基準ＴＤＤ  ＵＬ／ＤＬ構成として選択され得る。
【０２２８】
ＵＬ基準ＴＤＤ  ＵＬ／ＤＬ構成も、上で図２と関連して記載されたように、現存するＴＤＤ  ＵＬ／ＤＬ構成から選択され得る。例えば、もし第１ＴＤＤ  ＵＬ／ＤＬ構成１２８および第２ＴＤＤ  ＵＬ／ＤＬ構成の中のオーバーラップするＤＬまたは特別サブフレームを伴うＴＤＤ  ＵＬ／ＤＬ構成が現存する標準的ＴＤＤ  ＵＬ／ＤＬ構成（０−６）でなければ、上で表（５）に示されているように、より多くのＵＬ割り当てを伴う最も近い標準的ＴＤＤ  ＵＬ／ＤＬ構成がＵＬ基準ＴＤＤ  ＵＬ／ＤＬ構成として選択され得る。
【０２２９】
他の１つのインプリメンテーションでは、第１ＴＤＤ  ＵＬ／ＤＬ構成１２８はＤＬ基準ＴＤＤ  ＵＬ／ＤＬ構成として使用され得る。第２ＴＤＤ  ＵＬ／ＤＬ構成は、ＵＬ基準ＴＤＤ  ＵＬ／ＤＬ構成として使用され得る。従って、第１ＵＬ／ＤＬ構成１２８のＤＬサブフレームは第２ＵＬ／ＤＬ構成のＤＬサブフレームのスーパーセットであるべきであり、第１ＵＬ／ＤＬ構成のＵＬサブフレームは第２ＵＬ／ＤＬ構成のＵＬサブフレームのサブセットであるべきである。例えば、第１ＴＤＤ  ＵＬ／ＤＬ構成１２８および第２ＴＤＤ  ＵＬ／ＤＬ構成は、表（５）に列挙されているＤＬ基準ＴＤＤ  ＵＬ／ＤＬ構成およびＵＬ基準ＴＤＤ  ＵＬ／ＤＬ構成に基づいて選択されるべきである。従って、ＴＤＤ  ＵＬ／ＤＬ構成の必ずしも全ての組み合わせがサポートされるわけではない。
【０２３０】
さらに他の１つのインプリメンテーションでは、第１ＴＤＤ  ＵＬ／ＤＬ構成１２８はＵＬ基準ＴＤＤ  ＵＬ／ＤＬ構成として使用され得る。第２ＴＤＤ  ＵＬ／ＤＬ構成はＤＬ基準ＴＤＤ  ＵＬ／ＤＬ構成として使用され得る。従って、第１ＵＬ／ＤＬ構成１２８のＤＬサブフレームは第２ＵＬ／ＤＬ構成のＤＬサブフレームのサブセットであるべきであり、第１ＵＬ／ＤＬ構成１２８のＵＬサブフレームは第２ＵＬ／ＤＬ構成のＵＬサブフレームのスーパーセットであるべきである。例えば、第１ＴＤＤ  ＵＬ／ＤＬ構成１２８および第２ＴＤＤ  ＵＬ／ＤＬ構成は、表（５）に列挙されているＵＬ基準ＴＤＤ  ＵＬ／ＤＬ構成およびＤＬ基準ＴＤＤ  ＵＬ／ＤＬ構成に基づいて選択されるべきである。従って、ＴＤＤ  ＵＬ／ＤＬ構成の必ずしもすべての組み合わせがサポートされるわけではない。
【０２３１】
他の１つのシナリオでは、セカンダリ構成情報１３０は２つの余分のＴＤＤ  ＵＬ／ＤＬ構成を含むことができ、その２つの余分のＴＤＤ  ＵＬ／ＤＬ構成は第２ＴＤＤ  ＵＬ／ＤＬ構成および第３ＴＤＤ  ＵＬ／ＤＬ構成であり得る。１つのアプローチでは、図２に記載されているように基準ＴＤＤ  ＵＬ／ＤＬ構成を決定するためにセカンダリＴＤＤ  ＵＬ／ＤＬ構成（例えば、第２および第３ＴＤＤ  ＵＬ／ＤＬ構成）だけが使用される（ステップ３０６）。他の１つのアプローチでは、図２に示されているように基準ＴＤＤ  ＵＬ／ＤＬ構成を決定するためにプライマリＴＤＤ  ＵＬ／ＤＬ構成と２つのセカンダリＴＤＤ  ＵＬ／ＤＬ構成の両方とが使用される。
【０２３２】
図４は、本書において開示されるシステムおよび方法に従って使用され得る無線フレーム４３５の一例を示す図である。この無線フレーム４３５構造はＴＤＤ構造を示す。各無線フレーム４３５は
Ｔｆ＝３０７２００・Ｔｓ＝１０
ｍｓの長さを有し、ここで
Ｔｆ
は無線フレーム４３５持続時間であり、
Ｔｓ
は
１／（１５０００×２０４８）
秒に等しいタイムユニットである。無線フレーム４３５は２つの半フレーム４３７を含み、該半フレームはそれぞれ
１５３６００・Ｔｓ＝５
ｍｓの長さを有する。各半フレーム４３７は、それぞれ
３０７２０・Ｔｓ＝１
ｍｓの長さを有する５個のサブフレーム４２３ａ−ｅ、４２３ｆ−ｊを含む。
【０２３３】
ＴＤＤ  ＵＬ／ＤＬ構成０−６が以下で（３ＧＰＰ  ＴＳ３６．２１１の表４．２−２からの）表（６）に与えられている。５ｍｓおよび１０ｍｓのダウンリンク−アップリンク・スイッチポイント周期性の両方を有するＴＤＤ  ＵＬ／ＤＬ構成がサポートされ得る。特に、下記の表（６）に示されているように、３ＧＰＰ仕様において７個のＴＤＤ  ＵＬ／ＤＬ構成が指定されている。表（６）において、“Ｄ”はダウンリンクサブフレームを意味し、“Ｓ”は特別サブフレームを意味し、“Ｕ”はＵＬサブフレームを意味する。
【表６】
2016514910.tif 000022
【０２３４】
上の表（６）において、無線フレーム内の各サブフレームについて、“Ｄ”は該サブフレームがダウンリンク送信のために確保されていることを示し、“Ｕ”は該サブフレームがアップリンク送信のために確保されていることを示し、“Ｓ”は３つのフィールド：ダウンリンクパイロットタイムスロット（ｄｏｗｎｌｉｎｋ  ｐｉｌｏｔ  ｔｉｍｅ  ｓｌｏｔ（ＤｗＰＴＳ））、ガード期間（ｇｕａｒｄ  ｐｅｒｉｏｄ（ＧＰ））およびアップリンクパイロットタイムスロット（ｕｐｌｉｎｋ  ｐｉｌｏｔ  ｔｉｍｅ  ｓｌｏｔ（ＵｐＰＴＳ））を有する特別サブフレームを示す。ＤｗＰＴＳ、ＧＰおよびＵｐＰＴＳの全長が
３０７２０・Ｔｓ＝１
ｍｓに等しいということを仮定して（３ＧＰＰ  ＴＳ３６．２１１の表４．２−１からの）表（７）においてＤｗＰＴＳおよびＵｐＰＴＳの長さが与えられている。表（７）は（標準的）特別サブフレームの構成をいくつか示している。各サブフレーム‘ｉ’は、各サブフレーム内の長さ
Ｔｓｌｏｔ＝１５３６０・Ｔｓ＝０．５
ｍｓの２つのスロット、２ｉおよび２ｉ＋１、として定義される。表（７）において、便宜上、“循環プレフィックス（ｃｙｃｌｉｃ  ｐｒｅｆｉｘ）”は“ＣＰ”と略記され、“構成（ｃｏｎｆｉｇｕｒａｔｉｏｎ）”は“Ｃｏｎｆｉｇ”と略記されている。
【表７】
2016514910.tif 000023
【０２３５】
５ｍｓおよび１０ｍｓのダウンリンク−アップリンク・スイッチポイント周期性の両方を有するＴＤＤ  ＵＬ／ＤＬ構成がサポートされる。５ｍｓのダウンリンク−アップリンク・スイッチポイント周期性の場合、特別サブフレームは両方の半フレームに存在する。１０ｍｓダウンリンク−アップリンク・スイッチポイント周期性の場合、特別サブフレームは第１半フレームにだけ存在する。サブフレーム０および５およびＤｗＰＴＳがダウンリンク送信のために確保され得る。ＵｐＰＴＳおよび、特別サブフレームの直ぐ次のサブフレームがアップリンク送信のために確保され得る。
【０２３６】
本書で開示されるシステムおよび方法では、使用され得る幾つかのタイプのサブフレーム４２３はダウンリンクサブフレーム、アップリンクサブフレームおよび特別サブフレーム４３１を含む。５ｍｓの周期性を有する、図４に示されている例では、２つの標準的特別サブフレーム４３１ａ−ｂが無線フレーム４３５に含まれている。
【０２３７】
第１の特別サブフレーム４３１ａはダウンリンクパイロットタイムスロット（ＤｗＰＴＳ）４２５ａ、ガード期間（ＧＰ）４２７ａ、アップリンクパイロットタイムスロット（ＵｐＰＴＳ）４２９ａを含む。この例では、第１標準的特別サブフレーム４３１ａはサブフレーム一（４２３ｂ）に含まれる。第２標準的特別サブフレーム４３１ｂはダウンリンクパイロットタイムスロット（ＤｗＰＴＳ）４２５ｂ、ガード期間（ＧＰ）４２７ｂおよびアップリンクパイロットタイムスロット（ＵｐＰＴＳ）４２９ｂを含む。この例では、第２標準的特別サブフレーム４３１ｂはサブフレーム六４２３ｇに含まれる。ＤｗＰＴＳ４２５ａ−ｂおよびＵｐＰＴＳ４２９ａ−ｂの長さは、ＤｗＰＴＳ４２５、ＧＰ４２７およびＵｐＰＴＳ４２９の各セットの全長が
３０７２０・Ｔｓ＝１
ｍｓに等しいと仮定して、（上で表（７）に示されている）３ＧＰＰ  ＴＳ３６．２１１の表４．２−１により与えられ得る。
【０２３８】
各サブフレーム‘ｉ’４２３ａ−ｊ（ここで‘ｉ’は、この例ではサブフレーム零４２３ａ（例えば、０）からサブフレーム九４２３ｊ（例えば、９）に及ぶサブフレームを意味する）は、各サブフレーム４２３内の長さ
Ｔｓｌｏｔ＝１５３６０・Ｔｓ＝０．５
ｍｓの２つのスロット、２ｉおよび２ｉ＋１、として定義される。例えば、サブフレーム零（例えば、０）４２３ａは、第１スロット４３９を含む２つのスロットを含むことができる。
【０２３９】
本書で開示されるシステムおよび方法に従って、５ｍｓおよび１０ｍｓの両方のダウンリンク−アップリンク・スイッチポイント周期性を有するＴＤＤ  ＵＬ／ＤＬ構成が使用され得る。図４は、５ｍｓのスイッチポイント周期性を有する無線フレーム４３５の一例を示す。５ｍｓダウンリンク−アップリンク・スイッチポイント周期性の場合には、各半フレーム４３７が標準的特別サブフレーム４３１ａ−ｂを含む。１０ｍｓダウンリンク−アップリンク・スイッチポイント周期性の場合には、特別サブフレームは第１半フレーム４３７の中にだけ存在し得る。
【０２４０】
ＤＬ送信のためにサブフレーム零（例えば、０）４２３ａおよびサブフレーム五（例えば、５）４２３ｆおよびＤｗＰＴＳ４２５ａ−ｂが確保され得る。ＵＬ送信のために、ＵｐＰＴＳ４２９ａ−ｂ、および１つまたは複数の標準的特別サブフレーム４３１ａ−ｂの直ぐ次に続く１つまたは複数のサブフレーム（例えば、サブフレーム二４２３ｃおよびサブフレーム七４２３ｈ）が確保され得る。１つのインプリメンテーションでは、複数のセルが集合させられる場合、ＵＥ１０２は、全セルにわたって同じＴＤＤ  ＵＬ／ＤＬ構成を想定するとともに、異なるセルの１つまたは複数の特別サブフレームのガード期間（ＧＰ）が少なくとも
１４５６・Ｔｓ
のオーバーラップを有すると想定することができる。
【０２４１】
トラフィックアダプテーションによる強化された干渉軽減（ｅＩＭＴＡ）は、動的ＵＬ／ＤＬ割り当てを用いるよりフレキシブルなスペクトル使用を可能にするＴＤＤ  ＬＴＥネットワークのための重要なトピックである。従って、幾つかのサブフレームはフレキシブルで変換可能（例えば、フレキシブルサブフレーム）とすることができ、ダウンリンクサブフレーム、アップリンクサブフレームまたは特別サブフレームのいずれかとして使用され得る。幾つかのサブフレームはフレキシブルでも変換可能でもないであろう（例えば、固定サブフレーム）。ＤＬ  ＨＡＲＱ−ＡＣＫタイミングの見地から、特別サブフレームはＤＬサブフレームと見なされる。図４に示されているサブフレーム４２３のうちの１つ以上は、ＴＤＤ  ＵＬ／ＤＬ再構成範囲に依存して変換可能であり得る。上記の表（６）において与えられているデフォルトＴＤＤ  ＵＬ／ＤＬ構成１を想定すると、例えば、サブフレーム三（例えば、３）４２３ｄは変換可能なサブフレーム４３３（例えば、ＵＬからＤＬへ）であり得る。
【０２４２】
図５は、本書に記載されたシステムおよび方法に従う幾つかのＴＤＤ  ＵＬ／ＤＬ構成５４９、５５１、５５３、５５５、５５７、５５９、５６１を示す。特に、図５は、サブフレーム５２３ａおよびサブフレーム番号５４１ａを有するＴＤＤ  ＵＬ／ＤＬ構成零５４９（例えば、“ＴＤＤ  ＵＬ／ＤＬ構成０”）、サブフレーム５２３ｂおよびサブフレーム番号５４１ｂを有するＴＤＤ  ＵＬ／ＤＬ構成一５５１（例えば、“ＴＤＤ  ＵＬ／ＤＬ構成１”）、サブフレーム５２３ｃおよびサブフレーム番号５４１ｃを有するＴＤＤ  ＵＬ／ＤＬ構成二５５３（例えば、“ＴＤＤ  ＵＬ／ＤＬ構成２”）、およびサブフレーム５２３ｄおよびサブフレーム番号５４１ｄを有するＴＤＤ  ＵＬ／ＤＬ構成三５５５（例えば、“ＴＤＤ  ＵＬ／ＤＬ構成３”）を示す。図５は、サブフレーム５２３ｅおよびサブフレーム番号５４１ｅを有するＴＤＤ  ＵＬ／ＤＬ構成四５５７（例えば、“ＴＤＤ  ＵＬ／ＤＬ構成４”）、サブフレーム５２３ｆおよびサブフレーム番号５４１ｆを有するＴＤＤ  ＵＬ／ＤＬ構成五５５９（例えば、“ＴＤＤ  ＵＬ／ＤＬ構成５”）、およびサブフレーム５２３ｇおよびサブフレーム番号５４１ｇを有するＴＤＤ  ＵＬ／ＤＬ構成六５６１（例えば、“ＴＤＤ  ＵＬ／ＤＬ構成６”）も示す。
【０２４３】
さらに、図５は、各ＴＤＤ  ＵＬ／ＤＬ構成に対応するＰＤＳＣＨフィードバックアソシエーション５４３（例えば、ＰＵＣＣＨまたはＰＵＳＣＨアソシエーションに対するＰＤＳＣＨ  ＨＡＲＱ−ＡＣＫフィードバック）、ＰＵＳＣＨスケジューリングアソシエーション５４５（例えば、ＰＵＳＣＨ送信アソシエーションのためのダウンリンクスケジューリング）およびＰＵＳＣＨフィードバックアソシエーション５４７（例えば、ＰＨＩＣＨまたはＰＤＣＣＨアソシエーションに対するＰＵＳＣＨ  ＨＡＲＱ−ＡＣＫフィードバック）を示す。図５に示されている無線フレームの幾つかは便宜上、一部省略されていることに留意するべきである。
【０２４４】
該システムおよび方法は、図５に示されているＴＤＤ  ＵＬ／ＤＬ構成５４９、５５１、５５３、５５５、５５７、５５９、５６１のうちの１つ以上に適用され得る。例えば、図５に示されているＴＤＤ  ＵＬ／ＤＬ構成のうちの１つに対応する１つ以上のＰＤＳＣＨフィードバックアソシエーション５４３は、ＤＬ基準ＴＤＤ  ＵＬ／ＤＬ構成として決定されたとき（Ｒｅｌｅａｓｅ−１２）ＵＥ１０２およびｅＮＢ１６０の間の通信に適用され得る。加えて、あるいは代わりに、図５に示されているＴＤＤ  ＵＬ／ＤＬ構成のうちの１つに対応する１つ以上のＰＵＳＣＨスケジューリングアソシエーション５４５は、ＵＬ基準ＴＤＤ  ＵＬ／ＤＬ構成として決定されたときＵＥ１０２およびｅＮＢ１６０の間の通信に適用され得る。加えて、あるいは代わりに、図５に示されているＴＤＤ  ＵＬ／ＤＬ構成のうちの１つに対応する１つ以上のＰＵＳＣＨフィードバックアソシエーション５４７はＵＬ基準ＴＤＤ  ＵＬ／ＤＬ構成として決定されたときＵＥ１０２およびｅＮＢ１６０の間の通信に適用され得る。
【０２４５】
図６は、ＤＬ基準ＴＤＤ  ＵＬ／ＤＬ構成６６３およびＵＬ基準ＴＤＤ  ＵＬ／ＤＬ構成６６５を決定することの例を示す図である。種々のＴＤＤ  ＵＬ／ＤＬ構成６５３、６５７、６６３および６６５が示されている。サブフレーム番号６４１ａ−ｄは、特定のサブフレーム６２３ａ−ｄに対応する。これらの例において、ＴＤＤ  ＵＬ／ＤＬ構成二６５３およびＴＤＤ  ＵＬ／ＤＬ構成四６５７は、プライマリまたはセカンダリＴＤＤ  ＵＬ／ＤＬ構成であり得る。
【０２４６】
図２と関連して上で記載されたように、ＤＬ基準ＴＤＤ  ＵＬ／ＤＬ構成６６３およびＵＬ基準ＴＤＤ  ＵＬ／ＤＬ構成６６５は、プライマリＴＤＤ  ＵＬ／ＤＬ構成および１つまたは２つのセカンダリＴＤＤ  ＵＬ／ＤＬ構成の組み合わせに基づいて決定され得る。ＴＤＤ  ＵＬ／ＤＬ構成の組み合わせは上の表（５）に示されている。
【０２４７】
ＤＬ基準ＴＤＤ  ＵＬ／ＤＬ構成は、現存するＴＤＤ  ＵＬ／ＤＬ構成から選択され得る。プライマリＴＤＤ  ＵＬ／ＤＬ構成およびセカンダリＴＤＤ  ＵＬ／ＤＬ構成の中のオーバーラップするＵＬサブフレームを伴うＴＤＤ  ＵＬ／ＤＬ構成が現存する標準的ＴＤＤ  ＵＬ／ＤＬ構成（０−６）でなければ、より少ないＵＬ割り当てを有する最も近い標準的ＴＤＤ  ＵＬ／ＤＬ構成がＤＬ基準ＴＤＤ  ＵＬ／ＤＬ構成として選択され得る。
【０２４８】
開示されたシステムおよび方法に従ってＤＬ基準ＴＤＤ  ＵＬ／ＤＬ構成６６３を決定することの例が図６に示されている。ｅＩＭＴＡ  ＴＤＤ  ＵＬ／ＤＬ構成の組み合わせがＴＤＤ  ＵＬ／ＤＬ構成二６５３およびＴＤＤ  ＵＬ／ＤＬ構成四６５７によって形成されるならば、ＤＬ基準ＴＤＤ  ＵＬ／ＤＬ構成６６３はＴＤＤ  ＵＬ／ＤＬ構成五６５９である。この例では、ＴＤＤ  ＵＬ／ＤＬ構成五６５９は、より少数のＵＬ割り当てを伴う最も近い標準的ＴＤＤ  ＵＬ／ＤＬ構成である。オーバーラップするＵＬサブセット領域６６７はＤＬ基準ＴＤＤ  ＵＬ／ＤＬ構成６６３上に示されている。オーバーラップするＵＬサブセット領域６６７は、図６においてＴＤＤ  ＵＬ／ＤＬ構成五６５９と関連して示されている。
【０２４９】
ＵＬ基準ＴＤＤ  ＵＬ／ＤＬ構成６６５も現存するＴＤＤ  ＵＬ／ＤＬ構成から選択され得る。プライマリＴＤＤ  ＵＬ／ＤＬ構成およびセカンダリＴＤＤ  ＵＬ／ＤＬ構成の中のオーバーラップするＤＬまたは特別サブフレームを伴うＴＤＤ  ＵＬ／ＤＬ構成が現存する標準的ＴＤＤ  ＵＬ／ＤＬ構成（０−６）でなければ、より多くのＵＬ割り当てを伴う最も近い標準的ＴＤＤ  ＵＬ／ＤＬ構成がＵＬ基準ＴＤＤ  ＵＬ／ＤＬ構成６６５として選択され得る。
【０２５０】
開示されたシステムおよび方法に従ってＵＬ基準ＴＤＤ  ＵＬ／ＤＬ構成６６５を決定することの例も図６に示されている。ｅＩＭＴＡ  ＴＤＤ  ＵＬ／ＤＬ構成の組み合わせがＴＤＤ  ＵＬ／ＤＬ構成二６５３およびＴＤＤ  ＵＬ／ＤＬ構成四６５７により形成されるならば、ＵＬ基準ＴＤＤ  ＵＬ／ＤＬ構成６６５はＴＤＤ  ＵＬ／ＤＬ構成一６５１である。この例では、ＴＤＤ  ＵＬ／ＤＬ構成一６５１は、より多くのＵＬ割り当てを有する最も近い標準的ＴＤＤ  ＵＬ／ＤＬ構成である。ＵＬスーパーセット領域６６９はＵＬ基準ＴＤＤ  ＵＬ／ＤＬ構成６６５上に示されている。ＵＬスーパーセット領域６６９は、図６においてＴＤＤ  ＵＬ／ＤＬ構成一６５１と関連して示されている。
【０２５１】
この例では、ＤＬ基準ＴＤＤ  ＵＬ／ＤＬ構成６６３およびＵＬ基準ＴＤＤ  ＵＬ／ＤＬ構成６６５は両方のｅＩＭＴＡ構成されたＴＤＤ  ＵＬ／ＤＬ構成と異なるということに留意するべきである。しかし、他のシナリオでは、表（５）に示されているように、ＤＬ基準ＴＤＤ  ＵＬ／ＤＬ構成６６３および／またはＵＬ基準ＴＤＤ  ＵＬ／ＤＬ構成６６５はｅＩＭＴＡ構成されたＴＤＤ  ＵＬ／ＤＬ構成のうちの１つと同じであり得る。
【０２５２】
図７は、ＵＥ１０２による構成シグナリングのための方法７００のより詳しいインプリメンテーションを示す流れ図である。ＵＥ１０２は動的ＴＤＤ  ＵＬ／ＤＬ再構成（例えば、ｅＩＭＴＡサポート）で構成され得る。ＵＥ１０２はＳＩＢ１メッセージで第１（例えば、プライマリ）ＴＤＤ  ＵＬ／ＤＬ構成１２８を受信する（ステップ７０２）。ＳＩＢ１メッセージは、ｅＮＢ１６０から受信される（ステップ７０２）。第１ＴＤＤ  ＵＬ／ＤＬ構成１２８は、動的ＵＬ／ＤＬ再構成で構成されるセルのためのものである。
【０２５３】
ＵＥ１０２により受信（ステップ７０２）されるＳＩＢ１メッセージは、リスティング（１）に示されているように実装され得る。例えば、セルのための第１ＴＤＤ  ＵＬ／ＤＬ構成１２８を指定するためにＴＤＤ−ｃｏｎｆｉｇ  ＩＥが使用され得る。ＴＤＤ−ｃｏｎｆｉｇ  ＩＥは、リスティング（２）に示されているＴＤＤ特有の物理チャネル構成を指定することができる。
【０２５４】
ＵＥ１０２は、セルがＰＣｅｌｌであるかどうか判定する（ステップ７０４）。セルがＰＣｅｌｌであるならば、ＵＥ１０２はＳＩＢ１および／またはＲＲＣ共通メッセージでセカンダリ構成情報１３０を受信する（ステップ７０６）。セカンダリ構成情報１３０は、許容されるＴＤＤ  ＵＬ／ＤＬ再構成範囲を含む。例えば、ＴＤＤ  ＵＬ／ＤＬ再構成範囲は、ＴＤＤ  ＵＬ／ＤＬ構成のセットであってもよい。１つのインプリメンテーションでは、セカンダリ構成情報１３０は第２ＴＤＤ  ＵＬ／ＤＬ構成を含む。他の１つのインプリメンテーションでは、セカンダリ構成情報１３０は第２および第３ＴＤＤ  ＵＬ／ＤＬ構成を含む。
【０２５５】
ＰＣｅｌｌのために、ＵＥ１０２は、上でリスティング（８）に示されているようにセカンダリ構成情報１３０をＳＩＢ１で受信する（ステップ７０６）。加えてあるいは代わりに、ＰＣｅｌｌのために、ＵＥ１０２は、上でリスティング（９）に示されているようにＲＲＣ共通メッセージでセカンダリ構成情報１３０を受信する（ステップ７０６）。セカンダリ構成情報１３０のＲＲＣ共通メッセージシグナリングは、独立にまたはＳＩＢ１シグナリングと共に、使用され得る。
【０２５６】
セルがＰＣｅｌｌではないと（例えば、セルはＳＣｅｌｌであると）ＵＥ１０２が判定したならば（ステップ７０４）、ＵＥ１０２はセカンダリ構成情報１３０をＲＲＣ共通メッセージで受信する（ステップ７０８）。このことは、上でリスティング（１０）に示されているように、成し遂げられる。
【０２５７】
ＵＥ１０２は、プライマリおよびセカンダリＴＤＤ  ＵＬ／ＤＬ構成に基づいてＤＬ基準ＴＤＤ  ＵＬ／ＤＬ構成６６３およびＵＬ基準ＴＤＤ  ＵＬ／ＤＬ構成６６５を決定する（ステップ７１０）。ＤＬ基準ＴＤＤ  ＵＬ／ＤＬ構成６６３およびＵＬ基準ＴＤＤ  ＵＬ／ＤＬ構成６６５は、セカンダリ構成情報１３０がセカンダリＴＤＤ  ＵＬ／ＤＬ構成を１つ含むか２つ含むかによって異なる仕方で決定され得る（ステップ７１０）。
【０２５８】
１つのシナリオでは、セカンダリ構成情報１３０は１つの余分のＴＤＤ  ＵＬ／ＤＬ構成を含むことができ、該ＴＤＤ  ＵＬ／ＤＬ構成は第２ＴＤＤ  ＵＬ／ＤＬ構成であり得る。１つのインプリメンテーションでは、ＤＬ基準ＴＤＤ  ＵＬ／ＤＬ構成６６３およびＵＬ基準ＴＤＤ  ＵＬ／ＤＬ構成６６５は、上で表（５）に示されているように、現存するＴＤＤ  ＵＬ／ＤＬ構成から選択され得る。他の１つのインプリメンテーションでは、図２と関連して記載されたように、第１ＴＤＤ  ＵＬ／ＤＬ構成１２８はＤＬ基準ＴＤＤ  ＵＬ／ＤＬ構成６６３として使用でき、第２ＴＤＤ  ＵＬ／ＤＬ構成はＵＬ基準ＴＤＤ  ＵＬ／ＤＬ構成６６５として使用できる。さらに他の１つのインプリメンテーションでは、図２と関連して記載されたように、第１ＴＤＤ  ＵＬ／ＤＬ構成１２８はＵＬ基準ＴＤＤ  ＵＬ／ＤＬ構成６６５として使用でき、第２ＴＤＤ  ＵＬ／ＤＬ構成はＤＬ基準ＴＤＤ  ＵＬ／ＤＬ構成６６３として使用できる。
【０２５９】
他の１つのシナリオでは、セカンダリ構成情報１３０は２つの余分のＴＤＤ  ＵＬ／ＤＬ構成を含むことができ、その２つの余分のＴＤＤ  ＵＬ／ＤＬ構成は第２ＴＤＤ  ＵＬ／ＤＬ構成および第３ＴＤＤ  ＵＬ／ＤＬ構成であり得る。１つのアプローチでは、図２に記載されているように、基準ＴＤＤ  ＵＬ／ＤＬ構成を決定する（ステップ７１０）ためにセカンダリＴＤＤ  ＵＬ／ＤＬ構成（例えば、第２および第３ＴＤＤ  ＵＬ／ＤＬ構成）だけが使用される。他の１つのアプローチでは、図２に記載されているように、基準ＴＤＤ  ＵＬ／ＤＬ構成を決定する（ステップ７１０）ためにプライマリＴＤＤ  ＵＬ／ＤＬ構成と２つのセカンダリＴＤＤ  ＵＬ／ＤＬ構成の両方とが使用される。
【０２６０】
ＵＥ１０２は、ＤＬ基準ＴＤＤ  ＵＬ／ＤＬ構成６６３に基づくＰＤＳＣＨオペレーション、およびＵＬ基準ＴＤＤ  ＵＬ／ＤＬ構成６６５に基づくＰＵＳＣＨオペレーションを実行する（ステップ７１２）。例えば、上の表（３）に示されているように、ＤＬ基準ＴＤＤ  ＵＬ／ＤＬ構成６６３はＰＤＳＣＨ  ＨＡＲＱ−ＡＣＫレポートタイミングのために使用される。従って、ＵＥ１０２は、ＤＬ基準ＴＤＤ  ＵＬ／ＤＬ構成６６３に基づくＰＤＳＣＨ  ＨＡＲＱ−ＡＣＫ情報を送信することができる。
【０２６１】
ＵＬ基準ＴＤＤ  ＵＬ／ＤＬ構成６６５は、ＰＵＳＣＨオペレーションを実行する（ステップ７１２）ために使用される。例えば、ＵＬ基準ＴＤＤ  ＵＬ／ＤＬ構成６６５はＰＵＳＣＨスケジューリングおよびＰＵＳＣＨ  ＨＡＲＱ−ＡＣＫタイミングのために使用され得る。従って、ＵＥ１０２は、ＵＬ基準ＴＤＤ  ＵＬ／ＤＬ構成６６５に基づいてＰＵＳＣＨ送信を送信しおよび／またはＰＵＳＣＨ  ＨＡＲＱ−ＡＣＫ情報を受信することができる。
【０２６２】
図８は、ｅＮＢ１６０による構成シグナリングのための方法８００のより詳しいインプリメンテーションを示す流れ図である。ｅＮＢ１６０は、動的ＴＤＤ  ＵＬ／ＤＬ再構成（例えば、ｅＩＭＴＡサポート）で構成され得る。ｅＮＢ１６０は、第１（例えば、プライマリ）ＴＤＤ  ＵＬ／ＤＬ構成１２８をＳＩＢ１メッセージでシグナリングする（ステップ８０２）。ＳＩＢ１メッセージはＵＥ１０２へシグナリングされ（例えば、送信され）る（ステップ８０２）。第１ＴＤＤ  ＵＬ／ＤＬ構成１２８は、動的ＵＬ／ＤＬ再構成で構成されるセルのためのものであり得る。
【０２６３】
ｅＮＢ１６０によりシグナリング（ステップ８０２）されるＳＩＢ１メッセージは、リスティング（１）に示されているように実装され得る。例えば、セルのための第１ＴＤＤ  ＵＬ／ＤＬ構成１２８を指定するためにＴＤＤ−ｃｏｎｆｉｇ  ＩＥが使用され得る。ＴＤＤ−ｃｏｎｆｉｇ  ＩＥは、リスティング（２）に示されているようにＴＤＤ特有の物理チャネル構成を指定することができる。
【０２６４】
ｅＮＢ１６０は、セカンダリ構成情報１３０をＳＩＢ１および／またはＲＲＣ共通メッセージでシグナリングする（ステップ８０４）。セカンダリ構成情報１３０は、許容されるＴＤＤ  ＵＬ／ＤＬ再構成範囲を含む。例えば、ＴＤＤ  ＵＬ／ＤＬ再構成範囲はＴＤＤ  ＵＬ／ＤＬ構成のセットであってもよい。１つのインプリメンテーションでは、セカンダリ構成情報１３０は第２ＴＤＤ  ＵＬ／ＤＬ構成を含む。他の１つのインプリメンテーションでは、セカンダリ構成情報１３０は第２および第３ＴＤＤ  ＵＬ／ＤＬ構成を含む。
【０２６５】
ＰＣｅｌｌのために、ｅＮＢ１６０は、上でリスティング（８）に示されているようにＳＩＢ１メッセージでセカンダリ構成情報１３０をシグナリングする（ステップ８０４）。加えてあるいは代わりに、ＰＣｅｌｌのために、ｅＮＢ１６０は上でリスティング（９）に示されているようにＲＲＣ共通メッセージでセカンダリ構成情報１３０をシグナリングする（ステップ８０４）。セカンダリ構成情報１３０のＲＲＣ共通メッセージシグナリングは、独立にまたはＳＩＢ１シグナリングとともに、使用され得る。
【０２６６】
ＳＣｅｌｌのために、ｅＮＢ１６０はセカンダリ構成情報１３０をＲＲＣ共通メッセージでシグナリングする（ステップ８０４）。このことは、上のリスティング（１０）で示されているように成し遂げられ得る。
【０２６７】
ｅＮＢ１６０は、プライマリおよびセカンダリＴＤＤ  ＵＬ／ＤＬ構成に基づいてＤＬ基準ＴＤＤ  ＵＬ／ＤＬ構成６６３およびＵＬ基準ＴＤＤ  ＵＬ／ＤＬ構成６６５を決定する（ステップ８０６）。ＤＬ基準ＴＤＤ  ＵＬ／ＤＬ構成６６３およびＵＬ基準ＴＤＤ  ＵＬ／ＤＬ構成６６５は、セカンダリ構成情報１３０がセカンダリＴＤＤ  ＵＬ／ＤＬ構成を１つ含むか２つ含むかによって異なる仕方で決定され得る（ステップ８０６）。
【０２６８】
１つのシナリオでは、セカンダリ構成情報１３０は１つの余分のＴＤＤ  ＵＬ／ＤＬ構成を含むことができ、該ＴＤＤ  ＵＬ／ＤＬ構成は第２ＴＤＤ  ＵＬ／ＤＬ構成であり得る。１つのインプリメンテーションでは、上で表（５）に示されているように、ＤＬ基準ＴＤＤ  ＵＬ／ＤＬ構成６６３およびＵＬ基準ＴＤＤ  ＵＬ／ＤＬ構成６６５は現存するＴＤＤ  ＵＬ／ＤＬ構成から選択され得る。他の１つのインプリメンテーションでは、図２と関連して記載されたように、第１（例えば、プライマリ）ＴＤＤ  ＵＬ／ＤＬ構成１２８はＤＬ基準ＴＤＤ  ＵＬ／ＤＬ構成６６３として使用でき、第２ＴＤＤ  ＵＬ／ＤＬ構成はＵＬ基準ＴＤＤ  ＵＬ／ＤＬ構成６６５として使用できる。さらに他の１つのインプリメンテーションでは、図２と関連して記載されたように、第１ＴＤＤ  ＵＬ／ＤＬ構成１２８はＵＬ基準ＴＤＤ  ＵＬ／ＤＬ構成６６５として使用でき、第２ＴＤＤ  ＵＬ／ＤＬ構成はＤＬ基準ＴＤＤ  ＵＬ／ＤＬ構成６６３として使用できる。
【０２６９】
他の１つのシナリオでは、セカンダリ構成情報１３０は２つの余分のＴＤＤ  ＵＬ／ＤＬ構成を含むことができ、その２つの余分のＴＤＤ  ＵＬ／ＤＬ構成は第２ＴＤＤ  ＵＬ／ＤＬ構成および第３ＴＤＤ  ＵＬ／ＤＬ構成であり得る。１つのアプローチでは、図２に記載されているように、基準ＴＤＤ  ＵＬ／ＤＬ構成を決定する（ステップ８０６）ためにセカンダリＴＤＤ  ＵＬ／ＤＬ構成（例えば、第２および第３ＴＤＤ  ＵＬ／ＤＬ構成）だけが使用される。他の１つのアプローチでは、図２に記載されているように、基準ＴＤＤ  ＵＬ／ＤＬ構成を決定する（ステップ８０６）ためにプライマリＴＤＤ  ＵＬ／ＤＬ構成と２つのセカンダリＴＤＤ  ＵＬ／ＤＬ構成の両方とが使用される。
【０２７０】
ｅＮＢ１６０は、ＤＬ基準ＴＤＤ  ＵＬ／ＤＬ構成６６３に基づくＰＤＳＣＨオペレーションおよびＵＬ基準ＴＤＤ  ＵＬ／ＤＬ構成６６５に基づくＰＵＳＣＨオペレーションを実行する（ステップ８０８）。例えば、ＤＬ基準ＴＤＤ  ＵＬ／ＤＬ構成６６３は、上の表（３）に示されているように、ＰＤＳＣＨ  ＨＡＲＱ−ＡＣＫレポートタイミングのために使用される。従って、ｅＮＢ１６０はＤＬ基準ＴＤＤ  ＵＬ／ＤＬ構成６６３に基づくＰＤＳＣＨ  ＨＡＲＱ−ＡＣＫ情報を受信することができる。
【０２７１】
ＵＬ基準ＴＤＤ  ＵＬ／ＤＬ構成６６５は、ＰＵＳＣＨオペレーションを実行する（ステップ８０８）ために使用される。例えば、ＵＬ基準ＴＤＤ  ＵＬ／ＤＬ構成６６５は、ＰＵＳＣＨスケジューリングおよびＰＵＳＣＨ  ＨＡＲＱ−ＡＣＫタイミングのために使用され得る。従って、ｅＮＢ１６０は、ＵＬ基準ＴＤＤ  ＵＬ／ＤＬ構成６６５に基づいてＰＵＳＣＨ送信を受信しおよび／またはＰＵＳＣＨ  ＨＡＲＱ−ＡＣＫ情報を送信することができる。
【０２７２】
図９は、ＵＥ９０２において利用され得る種々のコンポーネントを示す。図９と関連して記載されるＵＥ９０２は、図１と関連して記載されたＵＥ１０２に従って実装され得る。ＵＥ９０２は、ＵＥ９０２のオペレーションを制御するプロセッサ９６９を含む。プロセッサ９６９は中央処理装置（ＣＰＵ）とも称され得る。読み出し専用メモリ（ＲＯＭ）、ランダムアクセスメモリ（ＲＡＭ）、該２つの組み合わせあるいは情報を記憶できる任意のタイプのデバイスを含み得るメモリ９７７は、命令９７３ａおよびデータ９７５ａをプロセッサ９６９に提供する。メモリ９７７の一部分は不揮発性ランダムアクセスメモリ（ＮＶＲＡＭ）を含むこともできる。命令９７３ｂおよびデータ９７５ｂはプロセッサ９６９内にも存在し得る。プロセッサ９６９にロードされた命令９７３ｂおよび／またはデータ９７５ｂは、プロセッサ９６９によって実行または処理されるべくロードされたメモリ９７７からの命令９７３ａおよび／またはデータ９７５ａも含み得る。命令９７３ｂは、上記の方法２００および７００のうちの１つ以上を実行するためにプロセッサ９６９によって実行され得る。
【０２７３】
ＵＥ９０２は、データの送信および受信を可能にするために１つ以上のトランスミッタ９５８および１つ以上のレシーバ９２０を包含するハウジングも含み得る。１つまたは複数のトランスミッタ９５８および１つまたは複数のレシーバ９２０は結合されて１つ以上のトランシーバ９１８とされ得る。１つ以上のアンテナ９２２ａ−ｎが該ハウジングに取り付けられてトランシーバ９１８に電気的に結合される。
【０２７４】
ＵＥ９０２の種々のコンポーネントはバスシステム９７９によって互いに結合され、該バスシステムはデータバスのほかに、パワーバス、制御信号バスおよびステータス信号バスを含み得る。しかし、明瞭性を得るために、該種々のバスは図９においてはバスシステム９７９として示されている。ＵＥ９０２は、信号処理に使用されるデジタル信号プロセッサ（ＤＳＰ）９８１も含み得る。ＵＥ９０２は、ＵＥ９０２の機能へのアクセスをユーザに提供する通信インターフェース９８３も含み得る。図９に示されているＵＥ９０２は、特定のコンポーネントのリスティングではなくて機能ブロック図である。
【０２７５】
図１０は、ｅＮＢ１０６０において利用され得る種々のコンポーネントを示す。図１０と関連して記載されるｅＮＢ１０６０は、図１と関連して記載されたｅＮＢ１６０に従って実装され得る。ｅＮＢ１０６０は、ｅＮＢ１０６０のオペレーションを制御するプロセッサ１０８５を含む。プロセッサ１０８５は、中央処理装置（ＣＰＵ）と称されてもよい。読み出し専用メモリ（ＲＯＭ）、ランダムアクセスメモリ（ＲＡＭ）、該２つの組み合わせあるいは情報を記憶できる任意のタイプのデバイスを含み得るメモリ１０９１は、命令１０８７ａおよびデータ１０８９ａをプロセッサ１０８５に提供する。メモリ１０９１の一部分は、不揮発性ランダムアクセスメモリ（ＮＶＲＡＭ）を含むこともできる。命令１０８７ｂおよびデータ１０８９ｂは、プロセッサ１０８５にも存在し得る。プロセッサ１０８５にロードされた命令１０８７ｂおよび／またはデータ１０８９ｂは、プロセッサ１０８５により実行または処理されるべくロードされたメモリ１０９１からの命令１０８７ａおよび／またはデータ１０８９ａを含むこともできる。命令１０８７ｂは、上記の方法３００および８００のうちの１つ以上を実行するためにプロセッサ１０８５により実行され得る。
【０２７６】
ｅＮＢ１０６０は、データの送信および受信を可能にするために１つ以上のトランスミッタ１０１７および１つ以上のレシーバ１０７８を包含するハウジングも含むことができる。１つまたは複数のトランスミッタ１０１７および１つまたは複数のレシーバ１０７８は結合されて１つ以上のトランシーバ１０７６とされ得る。１つ以上のアンテナ１０８０ａ−ｎが該ハウジングに取り付けられてトランシーバ１０７６に電気的に結合される。
【０２７７】
ｅＮＢ１０６０の種々のコンポーネントはバスシステム１０９３によって互いに結合され、該バスシステムは、データバスのほかに、パワーバス、制御信号バスおよびステータス信号バスを含み得る。しかし、明瞭性を得るために、該種々のバスは図１０においてはバスシステム１０９３として示されている。ｅＮＢ１０６０は、信号処理に使用されるデジタル信号プロセッサ（ＤＳＰ）１０９５も含み得る。ｅＮＢ１０６０は、ｅＮＢ１０６０の機能へのアクセスをユーザに提供する通信インターフェース１０９７も含み得る。図１０に示されているｅＮＢ１０６０は、特定のコンポーネントのリスティングではなくて機能ブロック図である。
【０２７８】
図１１は、フィードバックレポートのためのシステムおよび方法が実装され得るＵＥ１１０２の１つの構成を示すブロック図である。ＵＥ１１０２は、送信手段１１５８、受信手段１１２０および制御手段１１２４を含む。送信手段１１５８、受信手段１１２０および制御手段１１２４は、上で図２、図７および図９と関連して記載された機能のうちの１つ以上を実行するように構成され得る。上の図９は、図１１の具体的装置構造の一例を示す。図２、図７および図９の機能のうちの１つ以上を実現するために他の種々の構造が実装され得る。例えば、ＤＳＰはソフトウェアによって実現され得る。
【０２７９】
図１２は、フィードバックレポートのためのシステムおよび方法が実装され得るｅＮＢ１２６０の１つの構成を示すブロック図である。ｅＮＢ１２６０は、送信手段１２１７、受信手段１２７８および制御手段１２８２を含む。送信手段１２１７、受信手段１２７８および制御手段１２８２は、上で図３、図８および図１０と関連して記載された機能のうちの１つ以上を実行するように構成され得る。上の図１０は、図１２の具体的装置構造の一例を示す。図３、図８および図１０の機能のうちの１つ以上を実現するために他の種々の構造が実装され得る。例えば、ＤＳＰはソフトウェアによって実現され得る。
【０２８０】
“コンピュータ可読媒体”という用語は、コンピュータまたはプロセッサによってアクセスされ得る任意の利用可能な媒体を指す。本書で使用されるとき、“コンピュータ可読媒体”という用語は、非一時的で有形であるコンピュータおよび／またはプロセッサ可読媒体を意味し得る。非限定的な例を挙げると、コンピュータ可読またはプロセッサ可読の媒体は、ＲＡＭ、ＲＯＭ、電気的に消去可能でプログラマブルな読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ））、コンパクトディスク読み出し専用メモリ（Ｃｏｍｐａｃｔ  Ｄｉｓｃ  Ｒｅａｄ−Ｏｎｌｙ  Ｍｅｍｏｒｙ（ＣＤ−ＲＯＭ））もしくは他の光ディスクストレージ、磁気ディスクストレージもしくは他の磁気ストレージデバイス、または、命令の形の所望のプログラムコードもしくはデータ構造を担持もしくは記憶するために使用できるとともにコンピュータもしくはプロセッサによりアクセス可能な他の任意の媒体を含むことができる。本書で使用されるとき、ディスク（ｄｉｓｋ)およびディスク（ｄｉｓｃ）はコンパクトディスク（ｃｏｍｐａｃｔ  ｄｉｓｃ（ＣＤ））、レーザディスク(ｌａｓｅｒ  ｄｉｓｃ)、光ディスク(ｏｐｔｉｃａｌ  ｄｉｓｃ)、デジタルバーサタイルディスク(ｄｉｇｉｔａｌ  ｖｅｒｓａｔｉｌｅ  ｄｉｓｃ（ＤＶＤ）)、フロッピー（登録商標）ディスク(ｆｌｏｐｐｙ  ｄｉｓｋ)およびＢｌｕ−ｒａｙ（登録商標）ディスク（ｄｉｓｃ）を含み、ここでディスク（ｄｉｓｋ）は普通はデータを磁気的に再生し、ディスク（ｄｉｓｃ）はデータをレーザにより光学的に再生する。
【０２８１】
本書に記載された方法のうちの１つ以上は、ハードウェアで実装されおよび／またはハードウェアを用いて実行され得るということに留意するべきである。例えば、本書に記載されている方法のうちの１つ以上は、チップセット、特定用途向け集積回路（ＡＳＩＣ）、大規模集積回路（ＬＳＩ）または集積回路などで実装されおよび／またはチップセット、特定用途向け集積回路（ＡＳＩＣ）、大規模集積回路（ＬＳＩ）または集積回路などを用いて実現され得る。
【０２８２】
本書で開示された方法の各々は、記載された方法を成し遂げるために１つ以上のステップもしくは動作を含む。該方法ステップおよび／または動作は、請求項の範囲から逸脱することなく、互いと交換されおよび／または結合されて単一のステップとすることができる。換言すれば、記載されている方法の適切なオペレーションのためにステップもしくは動作の特定の順序が必要でなければ、特定のステップおよび／または動作の順序および／または使用は、請求項の範囲を逸脱することなく改変され得る。
【０２８３】
請求項は、上で示された明確な構成およびコンポーネントに限定されないことが理解されなければならない。請求項の範囲から逸脱することなく、本書に記載されたシステム、方法および装置の構成、オペレーションおよび細部に種々の改変、変更および変化を加えることができる。
【図１】
2016514910.tif 000024
【図２】
2016514910.tif 000025
【図３】
2016514910.tif 000026
【図４】
2016514910.tif 000027
【図５】
2016514910.tif 000028
【図６】
2016514910.tif 000029
【図７】
2016514910.tif 000030
【図８】
2016514910.tif 000031
【図９】
2016514910.tif 000032
【図１０】
2016514910.tif 000033
【図１１】
2016514910.tif 000034
【図１２】
2016514910.tif 000035
【国際調査報告】
2016514910.tif 000036
2016514910.tif 000037